(57)【要約】  本出願は、二次同期信号と一次同期信号との間の相関を低減し、一次同期信号への干渉を低減するために、同期信号送信方法と関連デバイスとを開示する。本出願における方法は、ネットワークデバイスによって、第1の同期信号シーケンスと第2の同期信号シーケンスとを生成するステップであって、第1の同期信号シーケンスが第1のmシーケンスに基づいて取得されたシーケンスであり、第2の同期信号シーケンスがGoldシーケンスに基づいて取得されたシーケンスであり、Goldシーケンスが第2のmシーケンスと第3のmシーケンスとに基づいて生成され、第1のmシーケンスの生成多項式が第2のmシーケンスの生成多項式と同じである、ステップと、ネットワークデバイスによって、第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングするステップであって、MおよびNが1よりも大きい正の整数である、ステップと、ネットワークデバイスによって、第1の同期信号と第2の同期信号とを送信するステップとを含む。
2020519201.tif 000002
【特許請求の範囲】
【請求項１】
s(n)として表される第1の同期信号シーケンスを取得するステップであって、前記第1の同期信号シーケンスが、s(n)=1-2・c(n)、s(n)=1-2・c((n+43)modN)、またはs(n)=1-2・c((n+86)modN)を満たす、ステップと、
第2の同期信号シーケンスy(n)を取得するステップであって、前記第2の同期信号シーケンスが、
y(n)=[1-2・f1((n+k1)modN)]・[1-2・f2((n+k)modN)]を満たし、
前記第1の同期信号シーケンスがNの長さを有し、前記第2の同期信号シーケンスがNの長さを有し、Nが整数であり、n=0,1,2...N-1であり、kがN-1以下の整数であり、k1が2(N-1)以下の整数である、ステップと、
前記第1の同期信号シーケンスに基づいて第1の同期信号を生成するステップと、
前記第2の同期信号シーケンスに基づいて第2の同期信号を生成するステップと
を備える、同期信号生成方法。
【請求項２】
Nが127である、請求項1に記載の方法。
【請求項３】
前記第1の同期信号が一次同期信号であり、前記第2の同期信号が二次同期信号である、請求項1または2に記載の方法。
【請求項４】
前記第1の同期信号シーケンスを取得するステップが、
c(n)の漸化式とc(n)の初期値とに基づいて前記第1の同期信号シーケンスを決定するステップを備える、請求項1から3のいずれか一項に記載の方法。
【請求項５】
前記シーケンスc(n)の前記漸化式がc(n+7)=(c(n+4)+c(n))mod2である、請求項1から4のいずれか一項に記載の方法。
【請求項６】
c(n)が、
{c(6),c(5),c(4),c(3),c(2),c(1),c(0)}={1 1 1 0 1 1 0}
を満たす、請求項1から5のいずれか一項に記載の方法。
【請求項７】
前記シーケンスf1(n+k1)および前記シーケンスf2(n+k)のうちの1つの漸化式がc(n)の前記漸化式と同じである、請求項1から6のいずれか一項に記載の方法。
【請求項８】
前記第2の同期信号シーケンスが、第2のmシーケンスf1(n)と第3のmシーケンスf2(n)とに基づいて取得されたシーケンスであり、前記第2のmシーケンスf1(n)および前記第3のmシーケンスf2(n)のうちの1つの漸化式がf(n+7)=(f(n+4)+f(n))mod2である、請求項1から7のいずれか一項に記載の方法。
【請求項９】
前記シーケンスc(n)の生成多項式がg(x)=x7+x4+1である、請求項1から8のいずれか一項に記載の方法。
【請求項１０】
前記シーケンスf1(n+k1)および前記シーケンスf2(n+k)のうちの1つの生成多項式が、前記シーケンスc(n)の前記生成多項式と同じである、請求項1から9のいずれか一項に記載の方法。
【請求項１１】
前記シーケンスc(n)が、{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}である、請求項1から10のいずれか一項に記載の方法。
【請求項１２】
前記第1の同期信号が、{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}である、請求項1から11のいずれか一項に記載の方法。
【請求項１３】
f1(n+k1)および前記シーケンスf2(n+k)のうちの1つの前記漸化式が、f(i+7)=(f(i+1)+f(i))mod2である、請求項1から12のいずれか一項に記載の方法。
【請求項１４】
前記第1の同期信号シーケンスを保存するステップ、または、前記第2の同期信号シーケンスを保存するステップ、または、前記第1の同期信号シーケンスと前記第2の同期信号シーケンスとを保存するステップをさらに備える、請求項1から13のいずれか一項に記載の方法。
【請求項１５】
前記方法が、
前記第1の同期信号と前記第2の同期信号とを出力するステップをさらに備える、請求項1から13のいずれか一項に記載の方法。
【請求項１６】
前記方法が、
第3の同期信号と第4の同期信号とを取得し、前記第1の同期信号に基づいて前記第3の同期信号を処理し、前記第2の同期信号に基づいて前記第4の同期信号を処理するステップをさらに備える、請求項1から13のいずれか一項に記載の方法。
【請求項１７】
通信デバイスであって、前記通信デバイスが、請求項1から16のいずれか一項に記載の方法を実行するように構成された、通信デバイス。
【請求項１８】
s(n)として表される第1の同期信号シーケンスを取得するように構成されたプロセッサであって、前記第1の同期信号シーケンスが、s(n)=1-2・c(n)、s(n)=1-2・c((n+43)modN)、またはs(n)=1-2・c((n+86)modN)を満たす、プロセッサを備え、
前記プロセッサが、第2の同期信号シーケンスy(n)を取得するようにさらに構成され、前記第2の同期信号シーケンスが、
y(n)=[1-2・f1((n+k1)modN)]・[1-2・f2((n+k)modN)]を満たし、
前記第1の同期信号シーケンスがNの長さを有し、前記第2の同期信号シーケンスがNの長さを有し、Nが整数であり、n=0,1,2...N-1であり、kがN-1以下の整数であり、k1が2(N-1)以下の整数であり、
前記プロセッサが、前記第1の同期信号シーケンスに基づいて第1の同期信号を生成するようにさらに構成され、
前記プロセッサが、前記第2の同期信号シーケンスに基づいて第2の同期信号を生成するようにさらに構成された、
通信デバイス。
【請求項１９】
Nが127である、請求項18に記載の通信デバイス。
【請求項２０】
前記第1の同期信号が一次同期信号であり、前記第2の同期信号が二次同期信号である、請求項18または19に記載の通信デバイス。
【請求項２１】
前記第1の同期信号シーケンスを取得することが、
c(n)の漸化式とc(n)の初期値とに基づいて前記第1の同期信号シーケンスを決定することを備える、請求項18から20のいずれか一項に記載の通信デバイス。
【請求項２２】
前記シーケンスc(n)の前記漸化式がc(n+7)=(c(n+4)+c(n))mod2である、請求項18から21のいずれか一項に記載の通信デバイス。
【請求項２３】
c(n)が、
{c(6),c(5),c(4),c(3),c(2),c(1),c(0)}={1 1 1 0 1 1 0}
を満たす、請求項18から22のいずれか一項に記載の通信デバイス。
【請求項２４】
前記シーケンスf1(n+k1)および前記シーケンスf2(n+k)のうちの1つの漸化式がc(n)の前記漸化式と同じである、請求項18から23のいずれか一項に記載の通信デバイス。
【請求項２５】
前記第2の同期信号シーケンスが、第2のmシーケンスと第3のmシーケンスとに基づいて取得されたシーケンスである、請求項18から24のいずれか一項に記載の通信デバイス。
【請求項２６】
前記第1のmシーケンスが、{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}である、請求項18から25のいずれか一項に記載の通信デバイス。
【請求項２７】
前記第1の同期信号が、{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}である、請求項18から26のいずれか一項に記載の通信デバイス。
【請求項２８】
f1(n+k1)および前記シーケンスf2(n+k)のうちの1つの前記漸化式が、f(i+7)=(f(i+1)+f(i))mod2である、請求項18から27のいずれか一項に記載の通信デバイス。
【請求項２９】
前記通信デバイスが、
前記第1の同期信号と前記第2の同期信号とを出力するように構成された送信機をさらに備える、請求項18から28のいずれか一項に記載の通信デバイス。
【請求項３０】
方法が、
第3の同期信号と第4の同期信号とを取得し、前記第1の同期信号に基づいて前記第3の同期信号を処理し、前記第2の同期信号に基づいて前記第4の同期信号を処理することをさらに備える、請求項18から28のいずれか一項に記載の通信デバイス。
【請求項３１】
前記同期信号を送信するように構成された前記送信機をさらに備える、請求項18から29のいずれか一項に記載の通信デバイス。
【請求項３２】
第3の同期信号と第4の同期信号とを受信するように構成された受信機をさらに備え、
前記プロセッサが、前記第1の同期信号に基づいて前記第3の同期信号を処理し、前記第2の同期信号に基づいて前記第4の同期信号を処理するようにさらに構成された、
請求項18から28のいずれか一項に記載の通信デバイス。
【請求項３３】
記憶媒体であって、前記記憶媒体がプログラムを記憶し、前記プログラムが、請求項1から13のいずれか一項に記載の方法を実施するためにプロセッサによって実行される、記憶媒体。
【請求項３４】
第1のデバイスと第2のデバイスとを備え、前記第1のデバイスが、請求項1から14のいずれか一項に記載の方法を実行するようにさらに構成され、前記第1の同期信号と前記第2の同期信号とを送信するようにさらに構成され、
前記第2のデバイスが、請求項1から14のいずれか一項に記載の方法を実行するように構成され、前記第1の同期信号と前記第2の同期信号とを受信するようにさらに構成された、システム。
【請求項３５】
ネットワークデバイスによって、第1の同期信号シーケンスと第2の同期信号シーケンスとを生成するステップであって、前記第1の同期信号シーケンスが第1のmシーケンスに基づいて取得されたシーケンスであり、前記第2の同期信号シーケンスが第2のmシーケンスと第3のmシーケンスとに基づいて生成されたシーケンスであり、前記第1のmシーケンスの生成多項式が前記第2のmシーケンスの生成多項式と同じであり、前記第1のmシーケンス、前記第2のmシーケンス、および前記第3のmシーケンスが、各々、Nの長さを有する、ステップと、
前記ネットワークデバイスによって、第1の同期信号を取得するために第1の時間単位において前記第1の同期信号シーケンスをMのサブキャリアにマッピングし、第2の同期信号を取得するために第2の時間単位において前記第2の同期信号シーケンスをMのサブキャリアにマッピングするステップであって、MおよびNが1よりも大きい正の整数である、ステップと、
前記ネットワークデバイスによって、前記第1の同期信号と前記第2の同期信号とを送信するステップと
を備える同期信号送信方法。
【請求項３６】
前記第1の同期信号シーケンスが前記第1のmシーケンスに基づいて取得されたシーケンスであり、前記第1のmシーケンス{c(n)|n=0,1,2,...,N-1}の前記生成多項式が
【数１】
2020519201.tif 000061
であり、aK=1、a0=1であり、Kが1以上の正の整数であり、0≦i≦Kであり、前記第1の同期信号シーケンスおよび前記第1のmシーケンスが
【数２】
2020519201.tif 000062
を満たし、n=0,1,2,...,N-K-1であり、s(n)が前記第1の同期信号シーケンスであり、c(n)が前記第1のmシーケンスである、請求項35に記載の送信方法。
【請求項３７】
前記第2の同期信号シーケンスが第1のGoldシーケンスに基づいて取得されたシーケンスであり、前記第1のGoldシーケンスが前記第2のmシーケンス{f1(n)|n=0,1,2,...,N-1}と前記第3のmシーケンス{f2(n)|n=0,1,2,...,N-1}とに基づいて生成され、前記第2のmシーケンスの前記生成多項式が
【数３】
2020519201.tif 000063
であり、前記第3のmシーケンスの生成多項式が
【数４】
2020519201.tif 000064
であり、bK=1、b0=1、cK=1、c0=1であり、Kが1以上の正の整数であり、0≦i≦Kであり、前記第1のGoldシーケンス、前記第2のmシーケンス、および前記第3のmシーケンスが、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が前記第2の同期信号シーケンスであり、gm,k(n)が前記第1のGoldシーケンスであり、mが前記シーケンスf1(n)と前記シーケンスf2(n)との間の相対シフト値であり、kが循環シフト値である、請求項35に記載の送信方法。
【請求項３８】
前記第2の同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第2の同期信号シーケンスであり、f1(n)が前記第2のmシーケンスであり、f2(n)が前記第3のmシーケンスである、請求項35から37のいずれか一項に記載の送信方法。
【請求項３９】
前記第1の同期信号シーケンスの生成多項式がg(x)=x7+x4+1であり、前記第1の同期信号シーケンス内の要素{c(n)|n=0,1,2,...,N-1}が漸化式c(n+7)=(c(n+4)+c(n))mod2を満たす、請求項35から38のいずれか一項に記載の送信方法。
【請求項４０】
前記第2の同期信号シーケンスが前記第1のGoldシーケンスに基づいて取得されたシーケンスであり、前記第1のGoldシーケンスが前記第2のmシーケンスと前記第3のmシーケンスとに基づいて生成される、請求項35から37のいずれか一項に記載の送信方法。
【請求項４１】
ユーザ機器によって、第1の受信信号と第2の受信信号とを受信するステップと、
前記ユーザ機器によって、ローカル同期信号シーケンスを生成するステップであって、前記ローカル同期信号シーケンスが第1のローカル同期信号シーケンスと第2のローカル同期信号シーケンスとを備え、前記第1のローカル同期信号シーケンスが第1のmシーケンスに基づいて取得されたシーケンスであり、前記第2のローカル同期信号シーケンスが第2のmシーケンスと第3のmシーケンスとに基づいて取得されたシーケンスであり、前記第1のmシーケンスの生成多項式が前記第2のmシーケンスの生成多項式と同じであり、前記第1のmシーケンス、前記第2のmシーケンス、および前記第3のmシーケンスが、各々、Nの長さを有し、Nが1よりも大きい正の整数である、ステップと、
前記ユーザ機器によって、前記ローカル同期信号シーケンスに基づいて、前記第1の受信信号と前記第2の受信信号とを処理するステップと
を備える同期信号受信方法。
【請求項４２】
前記ユーザ機器によって、前記ローカル同期信号シーケンスに基づいて、前記第1の受信信号と前記第2の受信信号とを処理するステップステップが、
前記ユーザ機器によって、前記第1のローカル同期信号シーケンスに基づいて、前記第1の受信信号に対して相関処理を実行するステップと、
前記ユーザ機器によって、前記第2のローカル同期信号シーケンスに基づいて、前記第2の受信信号に対して相関処理を実行するステップと
を備える、請求項41に記載の受信方法。
【請求項４３】
前記ユーザ機器によって、前記第1のローカル同期信号シーケンスに基づいて、前記第1の受信信号に対して相関処理を実行するステップが、
前記ユーザ機器によって、前記第1のローカル同期信号シーケンスに基づいて、前記第1の受信信号に対して相関処理を実行するステップであって、前記第1のローカル同期信号シーケンスが前記第1のmシーケンスに基づいて取得されたシーケンスであり、前記第1のmシーケンス{c(n)|n=0,1,2,...,N-1}の前記生成多項式が
【数５】
2020519201.tif 000065
であり、aK=1、a0=1であり、Kが1以上の正の整数であり、0≦i≦Kであり、前記第1のローカル同期信号シーケンスおよび前記第1のmシーケンスが
【数６】
2020519201.tif 000066
を満たし、n=0,1,2,...,N-K-1であり、s(n)が前記第1のローカル同期信号シーケンスであり、c(n)が前記第1のmシーケンスである、ステップを備える、請求項42に記載の受信方法。
【請求項４４】
前記ユーザ機器によって、前記第2のローカル同期信号シーケンスに基づいて、前記第2の受信信号に対して相関処理を実行するステップが、
前記ユーザ機器によって、前記第2のローカル同期信号シーケンスに基づいて、前記第2の受信信号に対して相関処理を実行するステップであって、前記第2のローカル同期信号シーケンスが前記第1のGoldシーケンスに基づいて取得されたシーケンスであり、前記第1のGoldシーケンスが、前記第2のmシーケンス{f1(n)|n=0,1,2,...,N-1}と前記第3のmシーケンス{f2(n)|n=0,1,2,...,N-1}とに基づいて生成され、前記第2のmシーケンスの前記生成多項式が
【数７】
2020519201.tif 000067
であり、前記第3のmシーケンスの生成多項式が
【数８】
2020519201.tif 000068
であり、bK=1、b0=1、cK=1、c0=1であり、Kが1以上の正の整数であり、0≦i≦Kであり、第1のGoldシーケンス、第2のmシーケンス、および第3のmシーケンスが、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mが前記シーケンスf1(n)と前記シーケンスf2(n)との間の相対シフト値であり、kが循環シフト値である、ステップを備える、請求項42に記載の受信方法。
【請求項４５】
前記第2のローカル同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第2の同期信号シーケンスであり、f1(n)が前記第2のmシーケンスであり、f2(n)が前記第3のmシーケンスである、請求項41から44のいずれか一項に記載の受信方法。
【請求項４６】
前記第2のローカル同期信号シーケンスが前記第1のGoldシーケンスに基づいて取得されたシーケンスであり、前記第1のGoldシーケンスが前記第2のmシーケンスと前記第3のmシーケンスとに基づいて生成される、請求項41から45のいずれか一項に記載の受信方法。
【請求項４７】
ネットワークデバイスによって、第1の同期信号シーケンスと第2の同期信号シーケンスとを生成するステップであって、前記第1の同期信号シーケンスが第1のGoldシーケンスに基づいて取得されたシーケンスであり、前記第1のGoldシーケンスが第1のmシーケンスと第2のmシーケンスとに基づいて生成されたシーケンスであり、前記第2の同期信号シーケンスが第2のGoldシーケンスに基づいて取得されたシーケンスであり、前記第2のGoldシーケンスが第3のmシーケンスと第4のmシーケンスとに基づいて生成されたシーケンスであり、前記第1のmシーケンスおよび前記第3のmシーケンスの生成多項式が同じであり、前記第2のmシーケンスおよび前記第4のmシーケンスの生成多項式が同じであり、前記第1のmシーケンスと前記第2のmシーケンスとの間の相対シフト値がm1であり、前記第3のmシーケンスと前記第4のmシーケンスとの間の相対シフト値がm2であり、m1≠m2(modN)であり、前記第1のmシーケンス、前記第2のmシーケンス、前記第3のmシーケンス、および前記第4のmシーケンスが、各々、Nの長さを有する、ステップと、
前記ネットワークデバイスによって、第1の同期信号を取得するために第1の時間単位において前記第1の同期信号シーケンスをMのサブキャリアにマッピングし、第2の同期信号を取得するために第2の時間単位において前記第2の同期信号シーケンスをMのサブキャリアにマッピングするステップであって、MおよびNが1よりも大きい正の整数である、ステップと、
前記ネットワークデバイスによって、前記第1の同期信号と前記第2の同期信号とを送信するステップと
を備える同期信号送信方法。
【請求項４８】
前記第1の同期信号シーケンスが前記第1のGoldシーケンスに基づいて取得されたシーケンスであり、前記第1のGoldシーケンスが前記第1のmシーケンスf1(n)と前記第2のmシーケンスf2(n)とに基づいて生成されたシーケンスであり、前記第2の同期信号シーケンスが前記第2のGoldシーケンスに基づいて取得されたシーケンスであり、前記第2のGoldシーケンスが前記第3のmシーケンスf3(n)と前記第3のmシーケンスf4(n)とに基づいて生成されたシーケンスであり、前記第1のGoldシーケンス、前記第1のmシーケンス、および前記第2のmシーケンスが、ym,k(n)=1-2・gm,k(n)、gm,k(n)=(f1((n+m+k)modN)+f2((n+k)modN))mod2、を満たし、ym,k(n)が前記第1の同期信号シーケンスであり、gm,k(n)が前記第1のGoldシーケンスであり、前記第1のmシーケンスと前記第2のmシーケンスとの間の相対シフト値がm1であり、
前記第2のGoldシーケンス、前記第3のmシーケンス、および前記第4のmシーケンスが、ym,k(n)=1-2・gm,k(n)、gm,k(n)=(f3((n+m+k)modN)+f4((n+k)modN))mod2、を満たし、ym,k(n)が第2の同期信号シーケンスであり、gm,k(n)が第2のGoldシーケンスであり、前記第3のmシーケンスと前記第4のmシーケンスとの間の相対シフト値がm2であり、n=0,1,2,...,N-1、k=0,1,2,...,N-1、m=0,1,2,...,N-1であり、kが循環シフト値であり、
前記第1のmシーケンスおよび前記第3のmシーケンスの前記生成多項式が同じであり、
【数９】
2020519201.tif 000069
であり、前記第2のmシーケンスおよび前記第4のmシーケンスの前記生成多項式が同じであり、
【数１０】
2020519201.tif 000070
であり、m1≠m2(modN)が満たされる、
請求項47に記載の送信方法。
【請求項４９】
前記第1の同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第1の同期信号シーケンスであり、f1(n)が前記第1のmシーケンスであり、f2(n)が前記第2のmシーケンスである、請求項47または48に記載の送信方法。
【請求項５０】
ユーザ機器によって、第1の受信信号と第2の受信信号とを受信するステップと、
前記ユーザ機器によって、ローカル同期信号シーケンスを生成するステップであって、前記ローカル同期信号シーケンスが第1のローカル同期信号シーケンスと第2のローカル同期信号シーケンスとを備え、前記第1のローカル同期信号シーケンスが第1のGoldシーケンスに基づいて取得されたシーケンスであり、前記第1のGoldシーケンスが第1のmシーケンスと第2のmシーケンスとに基づいて生成されたシーケンスであり、第2のローカル同期信号シーケンスが第2のGoldシーケンスに基づいて取得されたシーケンスであり、前記第2のGoldシーケンスが第3のmシーケンスと第4のmシーケンスとに基づいて生成されたシーケンスであり、前記第1のmシーケンスおよび前記第3のmシーケンスの生成多項式が同じであり、前記第2のmシーケンスおよび前記第4のmシーケンスの生成多項式が同じであり、前記第1のmシーケンスと前記第2のmシーケンスとの間の相対シフト値がm1であり、前記第3のmシーケンスと前記第4のmシーケンスとの間の相対シフト値がm2であり、m1≠m2(modN)であり、前記第1のmシーケンス、前記第2のmシーケンス、前記第3のmシーケンス、および前記第4のmシーケンスが、各々、Nの長さを有し、Nが1よりも大きい正の整数である、ステップと、
前記ユーザ機器によって、前記ローカル同期信号シーケンスに基づいて、前記第1の受信信号と前記第2の受信信号とを処理するステップと
を備える同期信号受信方法。
【請求項５１】
前記第1のローカル同期信号シーケンスが前記第1のGoldシーケンスに基づいて取得されたシーケンスであり、前記第1のGoldシーケンスが前記第1のmシーケンスf1(n)と前記第2のmシーケンスf2(n)とに基づいて生成されたシーケンスであり、前記第2のローカル同期信号シーケンスが前記第2のGoldシーケンスに基づいて取得されたシーケンスであり、前記第2のGoldシーケンスが前記第3のmシーケンスf3(n)と前記第3のmシーケンスf4(n)とに基づいて生成されたシーケンスであり、前記第1のGoldシーケンス、前記第1のmシーケンス、および前記第2のmシーケンスが、ym,k(n)=1-2・gm,k(n)、gm,k(n)=(f1((n+m+k)modN)+f2((n+k)modN))mod2、を満たし、ym,k(n)が前記第1の同期信号シーケンスであり、gm,k(n)が前記第1のGoldシーケンスであり、前記第1のmシーケンスと前記第2のmシーケンスとの間の相対シフト値がm1であり、
前記第2のGoldシーケンス、前記第3のmシーケンス、および前記第4のmシーケンスが、ym,k(n)=1-2・gm,k(n)、gm,k(n)=(f3((n+m+k)modN)+f4((n+k)modN))mod2、を満たし、ym,k(n)が第2の同期信号シーケンスであり、gm,k(n)が第2のGoldシーケンスであり、前記第3のmシーケンスと前記第4のmシーケンスとの間の相対シフト値がm2であり、n=0,1,2,...,N-1、k=0,1,2,...,N-1、m=0,1,2,...,N-1であり、kが循環シフト値であり、
前記第1のmシーケンスおよび前記第3のmシーケンスの前記生成多項式が同じであり、
【数１１】
2020519201.tif 000071
であり、前記第2のmシーケンスおよび前記第4のmシーケンスの前記生成多項式が同じであり、
【数１２】
2020519201.tif 000072
であり、m1≠m2(modN)が満たされる、
請求項50に記載の受信方法。
【請求項５２】
前記第1のローカル同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第1のローカル同期信号シーケンスであり、f1(n)が前記第1のmシーケンスであり、f2(n)が前記第2のmシーケンスである、請求項50または51に記載の受信方法。
【請求項５３】
第1の同期信号シーケンスと第2の同期信号シーケンスとを生成するように構成された生成ユニットであって、前記第1の同期信号シーケンスが第1のmシーケンスに基づいて取得されたシーケンスであり、前記第2の同期信号シーケンスが第2のmシーケンスと第3のmシーケンスとに基づいて生成されたシーケンスであり、前記第1のmシーケンスの生成多項式が前記第2のmシーケンスの生成多項式と同じであり、前記第1のmシーケンス、前記第2のmシーケンス、および前記第3のmシーケンスが、各々、Nの長さを有する、生成ユニットと、
第1の同期信号を取得するために第1の時間単位において前記第1の同期信号シーケンスをMのサブキャリアにマッピングし、第2の同期信号を取得するために第2の時間単位において前記第2の同期信号シーケンスをMのサブキャリアにマッピングするように構成されたマッピングユニットであって、MおよびNが1よりも大きい正の整数である、マッピングユニットと、
前記第1の同期信号と前記第2の同期信号とを送信するように構成された送信ユニットと
を備えるネットワークデバイス。
【請求項５４】
前記第1の同期信号シーケンスが前記第1のmシーケンスに基づいて取得されたシーケンスであり、前記第1のmシーケンス{c(n)|n=0,1,2,...,N-1}の前記生成多項式が
【数１３】
2020519201.tif 000073
であり、aK=1、a0=1であり、Kが1以上の正の整数であり、0≦i≦Kであり、前記第1の同期信号シーケンスおよび前記第1のmシーケンスが
【数１４】
2020519201.tif 000074
を満たし、n=0,1,2,...,N-K-1であり、s(n)が前記第1の同期信号シーケンスであり、c(n)が前記第1のmシーケンスである、請求項53に記載のネットワークデバイス。
【請求項５５】
前記第2の同期信号シーケンスが第1のGoldシーケンスに基づいて取得されたシーケンスであり、前記第1のGoldシーケンスが前記第2のmシーケンス{f1(n)|n=0,1,2,...,N-1}と前記第3のmシーケンス{f2(n)|n=0,1,2,...,N-1}とに基づいて生成され、前記第2のmシーケンスの前記生成多項式が
【数１５】
2020519201.tif 000075
であり、前記第3のmシーケンスの生成多項式が
【数１６】
2020519201.tif 000076
であり、bK=1、b0=1、cK=1、c0=1であり、Kが1以上の正の整数であり、0≦i≦Kであり、前記第1のGoldシーケンス、前記第2のmシーケンス、および前記第3のmシーケンスが、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が前記第2の同期信号シーケンスであり、gm,k(n)が前記第1のGoldシーケンスであり、mが前記シーケンスf1(n)と前記シーケンスf2(n)との間の相対シフト値であり、kが循環シフト値である、請求項53に記載のネットワークデバイス。
【請求項５６】
前記第2の同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第2の同期信号シーケンスであり、f1(n)が前記第2のmシーケンスであり、f2(n)が前記第3のmシーケンスである、請求項53から55のいずれか一項に記載のネットワークデバイス。
【請求項５７】
前記第1の同期信号シーケンスの生成多項式がg(x)=x7+x4+1であり、前記第1の同期信号シーケンス内の要素{c(n)|n=0,1,2,...,N-1}が漸化式c(n+7)=(c(n+4)+c(n))mod2を満たす、請求項53から56のいずれか一項に記載のネットワークデバイス。
【請求項５８】
前記第2の同期信号シーケンスが前記第1のGoldシーケンスに基づいて取得されたシーケンスであり、前記第1のGoldシーケンスが前記第2のmシーケンスと前記第3のmシーケンスとに基づいて生成される、請求項53から57のいずれか一項に記載のネットワークデバイス。
【請求項５９】
第1の受信信号と第2の受信信号とを受信するように構成された受信ユニットと、
ローカル同期信号シーケンスを生成するように構成された生成ユニットであって、前記ローカル同期信号シーケンスが第1のローカル同期信号シーケンスと第2のローカル同期信号シーケンスとを備え、前記第1のローカル同期信号シーケンスが第1のmシーケンスに基づいて取得されたシーケンスであり、前記第2のローカル同期信号シーケンスが第2のmシーケンスと第3のmシーケンスとに基づいて取得されたシーケンスであり、前記第1のmシーケンスの生成多項式が前記第2のmシーケンスの生成多項式と同じであり、前記第1のmシーケンス、前記第2のmシーケンス、および前記第3のmシーケンスが、各々、Nの長さを有し、Nが1よりも大きい正の整数である、生成ユニットと、
前記ローカル同期信号シーケンスに基づいて、前記第1の受信信号と前記第2の受信信号とを処理する構成された処理ユニットと
を備えるユーザ機器。
【請求項６０】
前記処理ユニットが、
前記第1のローカル同期信号シーケンスに基づいて、前記第1の受信信号に対して相関処理を実行するように構成された第1の処理サブユニットと、
前記第2のローカル同期信号シーケンスに基づいて、前記第2の受信信号に対して相関処理を実行するように構成された第2の処理サブユニットと
を備える、請求項59に記載のユーザ機器。
【請求項６１】
前記第1の処理サブユニットが、具体的には、
前記第1のローカル同期信号シーケンスに基づいて、前記第1の受信信号に対して相関処理を実行することであって、前記第1のローカル同期信号シーケンスが前記第1のmシーケンスに基づいて取得されたシーケンスであり、前記第1のmシーケンス{c(n)|n=0,1,2,...,N-1}の前記生成多項式が
【数１７】
2020519201.tif 000077
であり、aK=1、a0=1であり、Kが1以上の正の整数であり、0≦i≦Kであり、前記第1のローカル同期信号シーケンスおよび前記第1のmシーケンスが
【数１８】
2020519201.tif 000078
を満たし、n=0,1,2,...,N-K-1であり、s(n)が前記第1の同期信号シーケンスであり、c(n)が前記第1のmシーケンスである、ことを実行するように構成された、請求項60に記載のユーザ機器。
【請求項６２】
前記第2の処理サブユニットが、具体的には、
前記第2のローカル同期信号シーケンスに基づいて、前記第2の受信信号に対して相関処理を実行することであって、前記第2のローカル同期信号シーケンスが前記第1のGoldシーケンスに基づいて取得されたシーケンスであり、前記第1のGoldシーケンスが、前記第2のmシーケンス{f1(n)|n=0,1,2,...,N-1}と前記第3のmシーケンス{f2(n)|n=0,1,2,...,N-1}とに基づいて生成され、前記第2のmシーケンスの前記生成多項式が
【数１９】
2020519201.tif 000079
であり、前記第3のmシーケンスの生成多項式が
【数２０】
2020519201.tif 000080
であり、bK=1、b0=1、cK=1、c0=1であり、Kが1以上の正の整数であり、0≦i≦Kであり、第1のGoldシーケンス、第2のmシーケンス、および第3のmシーケンスが、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mが前記シーケンスf1(n)と前記シーケンスf2(n)との間の相対シフト値であり、kが循環シフト値である、ことを実行するように構成された、請求項61に記載のユーザ機器。
【請求項６３】
前記第2のローカル同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第2の同期信号シーケンスであり、f1(n)が前記第2のmシーケンスであり、f2(n)が前記第3のmシーケンスである、請求項59から62のいずれか一項に記載のユーザ機器。
【請求項６４】
前記第2のローカル同期信号シーケンスが前記第1のGoldシーケンスに基づいて取得されたシーケンスであり、前記第1のGoldシーケンスが前記第2のmシーケンスと前記第3のmシーケンスとに基づいて生成される、請求項59から63のいずれか一項に記載のユーザ機器。
【請求項６５】
第1の同期信号シーケンスと第2の同期信号シーケンスとを生成するように構成された生成ユニットであって、前記第1の同期信号シーケンスが第1のGoldシーケンスに基づいて取得されたシーケンスであり、前記第1のGoldシーケンスが第1のmシーケンスと第2のmシーケンスとに基づいて生成されたシーケンスであり、前記第2の同期信号シーケンスが第2のGoldシーケンスに基づいて取得されたシーケンスであり、前記第2のGoldシーケンスが第3のmシーケンスと第4のmシーケンスとに基づいて生成されたシーケンスであり、前記第1のmシーケンスおよび前記第3のmシーケンスの生成多項式が同じであり、前記第2のmシーケンスおよび前記第4のmシーケンスの生成多項式が同じであり、前記第1のmシーケンスと前記第2のmシーケンスとの間の相対シフト値がm1であり、前記第3のmシーケンスと前記第4のmシーケンスとの間の相対シフト値がm2であり、m1≠m2(modN)であり、前記第1のmシーケンス、前記第2のmシーケンス、前記第3のmシーケンス、および前記第4のmシーケンスが、各々、Nの長さを有する、生成ユニットと、
第1の同期信号を取得するために第1の時間単位において前記第1の同期信号シーケンスをMのサブキャリアにマッピングし、第2の同期信号を取得するために第2の時間単位において前記第2の同期信号シーケンスをMのサブキャリアにマッピングするマッピングユニットであって、MおよびNが1よりも大きい正の整数である、マッピングユニットと、
前記第1の同期信号と前記第2の同期信号とを送信する送信ユニットと
を備えるネットワークデバイス。
【請求項６６】
前記第1の同期信号シーケンスが前記第1のGoldシーケンスに基づいて取得されたシーケンスであり、前記第1のGoldシーケンスが前記第1のmシーケンスf1(n)と前記第2のmシーケンスf2(n)とに基づいて生成されたシーケンスであり、前記第2の同期信号シーケンスが前記第2のGoldシーケンスに基づいて取得されたシーケンスであり、前記第2のGoldシーケンスが前記第3のmシーケンスf3(n)と前記第3のmシーケンスf4(n)とに基づいて生成されたシーケンスであり、前記第1のGoldシーケンス、前記第1のmシーケンス、および前記第2のmシーケンスが、ym,k(n)=1-2・gm,k(n)、gm,k(n)=(f1((n+m+k)modN)+f2((n+k)modN))mod2、を満たし、ym,k(n)が前記第1の同期信号シーケンスであり、gm,k(n)が前記第1のGoldシーケンスであり、前記第1のmシーケンスと前記第2のmシーケンスとの間の相対シフト値がm1であり、
前記第2のGoldシーケンス、前記第3のmシーケンス、および前記第4のmシーケンスが、ym,k(n)=1-2・gm,k(n)、gm,k(n)=(f3((n+m+k)modN)+f4((n+k)modN))mod2、を満たし、ym,k(n)が第2の同期信号シーケンスであり、gm,k(n)が第2のGoldシーケンスであり、前記第3のmシーケンスと前記第4のmシーケンスとの間の相対シフト値がm2であり、n=0,1,2,...,N-1、k=0,1,2,...,N-1、m=0,1,2,...,N-1であり、kが循環シフト値であり、
前記第1のmシーケンスおよび前記第3のmシーケンスの前記生成多項式が同じであり、
【数２１】
2020519201.tif 000081
であり、前記第2のmシーケンスおよび前記第4のmシーケンスの前記生成多項式が同じであり、
【数２２】
2020519201.tif 000082
であり、m1≠m2(modN)が満たされる、
請求項65に記載のネットワークデバイス。
【請求項６７】
前記第1の同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第1の同期信号シーケンスであり、f1(n)が前記第1のmシーケンスであり、f2(n)が前記第2のmシーケンスである、請求項65または66に記載のネットワークデバイス。
【請求項６８】
第1の受信信号と第2の受信信号とを受信するように構成された受信ユニットと、
ローカル同期信号シーケンスを生成するように構成された生成ユニットであって、前記ローカル同期信号シーケンスが第1のローカル同期信号シーケンスと第2のローカル同期信号シーケンスとを備え、前記第1のローカル同期信号シーケンスが第1のGoldシーケンスに基づいて取得されたシーケンスであり、前記第1のGoldシーケンスが第1のmシーケンスと第2のmシーケンスとに基づいて生成されたシーケンスであり、第2のローカル同期信号シーケンスが第2のGoldシーケンスに基づいて取得されたシーケンスであり、前記第2のGoldシーケンスが第3のmシーケンスと第4のmシーケンスとに基づいて生成されたシーケンスであり、前記第1のmシーケンスおよび前記第3のmシーケンスの生成多項式が同じであり、前記第2のmシーケンスおよび前記第4のmシーケンスの生成多項式が同じであり、前記第1のmシーケンスと前記第2のmシーケンスとの間の相対シフト値がm1であり、前記第3のmシーケンスと前記第4のmシーケンスとの間の相対シフト値がm2であり、m1≠m2(modN)であり、前記第1のmシーケンス、前記第2のmシーケンス、前記第3のmシーケンス、および前記第4のmシーケンスが、各々、Nの長さを有し、Nが1よりも大きい正の整数である、生成ユニットと、
前記ローカル同期信号シーケンスに基づいて、前記第1の受信信号と前記第2の受信信号とを処理するように構成された処理ユニットと
を備えるユーザ機器。
【請求項６９】
前記第1のローカル同期信号シーケンスが前記第1のGoldシーケンスに基づいて取得されたシーケンスであり、前記第1のGoldシーケンスが前記第1のmシーケンスf1(n)と前記第2のmシーケンスf2(n)とに基づいて生成されたシーケンスであり、前記第2のローカル同期信号シーケンスが前記第2のGoldシーケンスに基づいて取得されたシーケンスであり、前記第2のGoldシーケンスが前記第3のmシーケンスf3(n)と前記第3のmシーケンスf4(n)とに基づいて生成されたシーケンスであり、前記第1のGoldシーケンス、前記第1のmシーケンス、および前記第2のmシーケンスが、ym,k(n)=1-2・gm,k(n)、gm,k(n)=(f1((n+m+k)modN)+f2((n+k)modN))mod2、を満たし、ym,k(n)が前記第1の同期信号シーケンスであり、gm,k(n)が前記第1のGoldシーケンスであり、前記第1のmシーケンスと前記第2のmシーケンスとの間の相対シフト値がm1であり、
前記第2のGoldシーケンス、前記第3のmシーケンス、および前記第4のmシーケンスが、ym,k(n)=1-2・gm,k(n)、gm,k(n)=(f3((n+m+k)modN)+f4((n+k)modN))mod2、を満たし、ym,k(n)が第2の同期信号シーケンスであり、gm,k(n)が第2のGoldシーケンスであり、前記第3のmシーケンスと前記第4のmシーケンスとの間の相対シフト値がm2であり、n=0,1,2,...,N-1、k=0,1,2,...,N-1、m=0,1,2,...,N-1であり、kが循環シフト値であり、
前記第1のmシーケンスおよび前記第3のmシーケンスの前記生成多項式が同じであり、
【数２３】
2020519201.tif 000083
であり、前記第2のmシーケンスおよび前記第4のmシーケンスの前記生成多項式が同じであり、
【数２４】
2020519201.tif 000084
であり、m1≠m2(modN)が満たされる、
請求項68に記載のユーザ機器。
【請求項７０】
前記第1のローカル同期信号シーケンスが、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が前記第1のローカル同期信号シーケンスであり、f1(n)が前記第1のmシーケンスであり、f2(n)が前記第2のmシーケンスである、請求項68または69に記載のユーザ機器。
【請求項７１】
記憶媒体であって、前記記憶媒体がプログラムを記憶し、前記プログラムが、請求項35から52のいずれか一項に記載の方法を実施するためにプロセッサによって実行される、記憶媒体。
【請求項７２】
請求項52から58のいずれか一項に記載のネットワークデバイスと、請求項59から64のいずれか一項に記載のユーザ機器とを備えるシステム。
【請求項７３】
1つまたは複数の命令を備えるコンピュータプログラム製品であって、前記コンピュータプログラム製品がコンピュータ上で実行されると、前記コンピュータプログラム製品が、前記コンピュータが請求項1から16のいずれか一項に記載の方法または請求項35から52のいずれか一項に記載の方法を実行することを可能にする、コンピュータプログラム製品。
【請求項７４】
s(n)として表される第1の同期シーケンスを取得するステップであって、前記第1の同期シーケンスが、s(n)=1-2・c((n+p)modN)を満たす、ステップと、
s(n)として表される第2の同期シーケンスを取得するステップであって、前記第1の同期シーケンスが、
y(n)=[1-2・f1((n+k1)modN)]・[1-2・f2((n+k)modN)]を満たし、
前記第1の同期シーケンスがNの長さを有し、前記第2の同期シーケンスがNの長さを有し、Nが整数であり、n=0,1,2...N-1であり、pがN-1以下の整数であり、kがN-1以下の整数であり、k1が2(N-1)以下の整数である、ステップと、
前記第1の同期信号シーケンスに従って第1の同期信号を生成するステップと、
前記第2の同期信号シーケンスに従って第2の同期信号を生成するステップと
を備える、同期信号生成方法。
【請求項７５】
s(n)として表される第1の同期シーケンスを取得するように構成されたプロセッサであって、前記第1の同期シーケンスが、s(n)=1-2・c((n+p)modN)を満たす、プロセッサを備え、
前記プロセッサが、s(n)として表される第2の同期シーケンスを取得するようにさらに構成され、前記第1の同期シーケンスが、
y(n)=[1-2・f1((n+k1)modN)]・[1-2・f2((n+k)modN)]を満たし、
前記第1の同期シーケンスがNの長さを有し、前記第2の同期シーケンスがNの長さを有し、Nが整数であり、n=0,1,2...N-1であり、pがN-1以下の整数であり、kがN-1以下の整数であり、k1が2(N-1)以下の整数であり、
前記プロセッサが、前記第1の同期信号シーケンスに従って第1の同期信号を生成するようにさらに構成され、
前記プロセッサが、前記第2の同期信号シーケンスに従って第2の同期信号を生成するようにさらに構成された、
通信装置。
【請求項７６】
第1の同期信号を取得するステップであって、前記第1の同期シーケンスが、
{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}である、ステップと、
前記第1の同期信号シーケンスに従って第1の同期信号を生成するステップと
を備える同期信号生成方法。
【請求項７７】
第1の同期シーケンスを取得するように構成されたプロセッサであって、前記第1の同期シーケンスが、
{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}である、プロセッサを備え、
前記プロセッサが、第1の同期信号シーケンスに従って第1の同期信号を生成するようにさらに構成された、通信装置。
【発明の詳細な説明】
【技術分野】
【０００１】
本出願は、参照によりその全体において本明細書に組み込まれる、2017年5月4日に中国特許庁に出願し、「SYNCHRONIZATION SIGNAL SENDING METHOD, SYNCHRONIZATION SIGNAL RECEIVING METHOD, AND RELATED DEVICE」と題する、中国特許出願第201710309975.6号の優先権を主張するものである。
【０００２】
本出願は、通信分野に関し、具体的には、同期信号送信方法、同期信号受信方法、および関連デバイスに関する。
【背景技術】
【０００３】
次世代無線アクセスネットワーク(new radio、NR)では、ダウンリンク基地局は、同期信号を使用することによって、粗いダウンリンク時間および周波数同期を完了する。同期信号は、一次同期信号(primary synchronization signal、PSS)と二次同期信号(secondary synchronization signal、SSS)とを含む。ユーザ機器(user equipment、UE)は、同期を実施して、セル識別情報を取得するために、一次同期信号と二次同期信号とを受信し得る。ユーザ機器は、最初に、中心周波数と、基本時間および周波数同期情報、またはセル識別情報の一部とを決定するために、一次同期信号を検出し、次いで、二次同期信号を使用することによってセル識別情報を取得する。通常、少量のあり得る異なる一次同期信号、例えば、3つの一次同期信号または1つの一次同期信号が存在する。第3世代パートナーシッププロジェクト(the 3rd generation partnership project、3GPP)は、最長線形フィードバックシフトレジスタシーケンスを使用することによる一次同期信号の生成を論じている。加えて、二次同期信号はまた、スクランブルされたmシーケンスまたはGoldシーケンスに基づいて生成され得る。mシーケンスは、最長線形シフトレジスタシーケンスの略である。通常、一次同期信号と二次同期信号とを区別するために、一次同期信号シーケンスおよび二次同期信号シーケンスは、異なる。
【０００４】
第5世代モバイル通信技術(5th-Generation、5G)では、新しい同期信号シーケンスの長さが、ロングタームエボリューション(long term evolution、LTE)における同期信号シーケンスの長さ以上であり得る。同期信号を送信するために、直交周波数分割多重化技術(orthogonal frequency division multiplexing、OFDM)が使用される。すなわち、一次同期信号シーケンスが、一次同期信号に割り当てられたOFDMシステムにおけるサブキャリアにマッピングされ、二次同期信号シーケンスが、二次同期信号に割り当てられたOFDMシステムにおけるサブキャリアにマッピングされる。
【０００５】
既存の解決策では、一次同期信号および二次同期信号は、1つのOFDMシンボルを占有し、占有される帯域のサイズは、同じでNであり、ここで、Nは、整数であり、例えば、127である。ネットワークデバイスが一次同期信号を検出するとき、別のセルまたはローカルセルにおける二次同期信号が、一次同期信号の検出に干渉する。
【発明の概要】
【課題を解決するための手段】
【０００６】
本出願の実施形態は、二次同期信号と一次同期信号との間の相関を低減し、一次同期信号への干渉を低減するために、同期信号送信方法と同期信号受信方法とを提供する。
【０００７】
本出願の実施形態の第1の態様は、同期信号送信方法を提供する。方法は、ネットワークデバイスによって、第1のmシーケンスに基づいて取得される第1の同期信号シーケンスと第1のGoldシーケンス基づいて取得される第2の同期信号シーケンスとを生成するステップであって、第1のGoldシーケンスが、第2のmシーケンスと第3のmシーケンスに基づいて生成され、第1のmシーケンスの生成多項式が第2のmシーケンスの生成多項式と同じであり、第1のmシーケンス、第2のmシーケンス、および第3のmシーケンスが各々Nの長さを有し、Nが1よりも大きい正の整数である、ステップと、ネットワークデバイスによって、第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングするステップであって、Mが1よりも大きい正の整数である、ステップと、ネットワークデバイスによって、第1の同期信号と第2の同期信号とを送信するステップとを含む。本出願のこの実施形態では、ネットワークデバイスは、二次同期信号と一次同期信号との間の相互相関を低減するために、小さい相関値を有する第1の同期信号シーケンスおよび第2の同期信号シーケンス、すなわち、一次同期信号シーケンスおよび二次同期信号シーケンスを生成し、それによって、別のセルまたはローカルセルにおける二次同期信号によって一次同期信号に引き起こされる干渉を低減する。
【０００８】
本出願のこの実施形態における第1の態様の第1の実装形態では、第1の同期信号シーケンスは、第1のmシーケンスに基づいて取得されたシーケンスであり、第1のmシーケンス{c(n)|n=0,1,2,...,N-1}の生成多項式は、
【０００９】
【数１】
2020519201.tif 000003
【００１０】
であり、0≦i≦K、aK=1、a0=1、およびKが1以上の正の整数であり、第1の同期信号シーケンスおよび第1のmシーケンスが
【００１１】
【数２】
2020519201.tif 000004
【００１２】
を満たし、n=0,1,2,...,N-K-1であり、s(n)が第1の同期信号シーケンスであり、c(n)が第1のmシーケンスである。第1の同期信号シーケンスは、本出願のこの実施形態において制限され、それによって、本出願のこの実施形態の実現可能性および実施可能性を改善する。
【００１３】
本出願のこの実施形態における第1の態様の第2の実装形態では、第2の同期信号シーケンスは、第1のGoldシーケンスに基づいて取得されたシーケンスであり、第1のGoldシーケンスは、{f1(n)|n=0,1,2,...,N-1}と第3のmシーケンス{f2(n)|n=0,1,2,...,N-1}とに基づいて生成され、第2のmシーケンスの生成多項式は、
【００１４】
【数３】
2020519201.tif 000005
【００１５】
であり、第3のmシーケンスの生成多項式は、
【００１６】
【数４】
2020519201.tif 000006
【００１７】
であり、bK=1、b0=1、cK=1、c0=1、0≦i≦K、およびKが1以上の正の整数であり、第1のGoldシーケンス、第2のmシーケンス、および第3のmシーケンスが、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mが第2のシーケンスf1(n)と第3のシーケンスf2(n)との間の相対シフト値であり、kが循環シフト値である。第2の同期信号シーケンスは、本出願のこの実施形態において定義され、それによって、本出願のこの実施形態の実現可能性および実施可能性を改善する。
【００１８】
本出願のこの実施形態における第1の態様の第3の実装形態では、第2の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2の同期信号シーケンスであり、f1(n)が第2のmシーケンスであり、f2(n)が第3のmシーケンスである。第2の同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2の同期信号シーケンスym,k(n)はまた、ym,k(n)=[1-2・f1(n+k1)modN]・[1-2・f2(n+k)modN]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第2の同期信号によって満たされ得る別の条件は、本出願のこの実施形態において提供され、それによって、本出願のこの実施形態の実装形態を向上させる。
【００１９】
本出願の実施形態の第2の態様は、同期信号受信方法を提供する。方法は、ユーザ機器によって、第1の受信信号と第2の受信信号とを受信するステップと、ユーザ機器によって、ローカル同期信号シーケンスを生成するステップであって、ローカル同期信号シーケンスが、第1のローカル同期信号シーケンスと第2のローカル同期信号シーケンスとを含み、第1のローカル同期信号シーケンスが第1のmシーケンスに基づいて取得されたシーケンスであり、第2のローカル同期信号シーケンスが第1のGoldシーケンスに基づいて取得されたシーケンスであり、第1のGoldシーケンスが第2のmシーケンスと第3のmシーケンスとに基づいて生成され、第1のmシーケンスの生成多項式が第2のmシーケンスの生成多項式と同じであり、第1のmシーケンス、第2のmシーケンス、および第3のmシーケンスが、各々、Nの長さを有し、Nが1よりも大きい正の整数である、ステップと、ユーザ機器によって、ローカル同期信号シーケンスに基づいて、第1の受信信号と第2の受信信号とを処理するステップとを含む。本出願のこの実施形態において、ユーザ機器は、小さい相関値を有する生成された第1の同期信号シーケンスと第2の同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、小さい相関値を有するローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【００２０】
本出願のこの実施形態における第2の態様の第1の実装形態では、ユーザ機器によって、ローカル同期信号シーケンスに基づいて、第1の受信信号と第2の受信信号とを処理するステップは、ユーザ機器によって、第1のローカル同期信号シーケンスに基づいて、第1の受信信号に対して相関処理を実行するステップと、ユーザ機器によって、第2のローカル同期信号シーケンスに基づいて、第2の受信信号に対して相関処理を実行するステップとを含む。第1の受信信号と第2の受信信号とを処理するプロセスは、本出願のこの実施形態において改良され、それによって、本出願のこの実施形態におけるステップを完成させる。
【００２１】
本出願のこの実施形態における第2の態様の第2の実装形態では、ユーザ機器によって、第1のローカル同期信号シーケンスに基づいて、第1の受信信号に対して相関処理を実行するステップは、ユーザ機器によって、第1のローカル同期信号シーケンスに基づいて、第1の受信信号に対して相関処理を実行するステップであって、第1のローカル同期信号シーケンスが、第1のmシーケンスに基づいて取得されたシーケンスであり、第1のmシーケンス{c(n)|n=0,1,2,...,N-1}の生成多項式が
【００２２】
【数５】
2020519201.tif 000007
【００２３】
であり、aK=1、a0=1、Kが1以上の正の整数、および0≦i≦Kである、ステップを含み、第1のローカル同期信号シーケンスおよび第1のmシーケンスは、
【００２４】
【数６】
2020519201.tif 000008
【００２５】
を満たし、n=0,1,2,...,N-K-1であり、s(n)が第1のローカル同期信号シーケンスであり、c(n)が第1のmシーケンスである。第1のローカル同期信号シーケンスは、本出願のこの実施形態において制限され、それによって、本出願のこの実施形態の実現可能性および実施可能性を改善する。
【００２６】
本出願のこの実施形態における第2の態様の第3の実装形態では、ユーザ機器によって、第2のローカル同期信号シーケンスに基づいて、第2の受信信号に対して相関処理を実行するステップは、ユーザ機器によって、第2のローカル同期信号シーケンスに基づいて、第2の受信信号に対して相関処理を実行するステップであって、第2のローカル同期信号シーケンスが、第1のGoldシーケンスに基づいて取得されたシーケンスであり、第1のGoldシーケンスが、第2のmシーケンス{f1(n)|n=0,1,2,...,N-1}と第3のmシーケンス{f2(n)|n=0,1,2,...,N-1}とに基づいて生成され、第2のmシーケンスの生成多項式が
【００２７】
【数７】
2020519201.tif 000009
【００２８】
であり、第3のmシーケンスの生成多項式が、
【００２９】
【数８】
2020519201.tif 000010
【００３０】
であり、bK=1、b0=1、cK=1、c0=1、Kが1以上の正の整数、および0≦i≦Kである、ステップを含み、第1のGoldシーケンス、第2のmシーケンス、および第3のmシーケンスは、ym,k(n)=1-2・gm,k(n)、gm,k(n)=(f1((n+m+k)modN)+(f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mがシーケンスf1(n)とシーケンスf2(n)との間の相対シフト値であり、kが循環シフト値である。第1のローカル同期信号シーケンスは、本出願のこの実施形態において制限され、それによって、本出願のこの実施形態の実現可能性および実施可能性を改善する。
【００３１】
本出願のこの実施形態における第2の態様の第4の実装形態では、第2のローカル同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2のローカル同期信号シーケンスであり、f1(n)が第2のmシーケンスであり、f2(n)が第3のmシーケンスである。ym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、ym,k(n)はまた、ym,k(n)=[1-2・f1(n+k1)modN]・[1-2・f2(n+k)modN]として表され得、n=0,1,...,N-1、kがN-1以下の整数、およびk1が2(N-1)以下の整数である。第2のローカル同期信号によって満たされ得る別の条件は、本出願のこの実施形態において提供され、それによって、本出願のこの実施形態の実装形態を向上させる。
【００３２】
本出願の実施形態の第3の態様は、同期信号送信方法を提供する。方法は、ネットワークデバイスによって、第1の同期信号シーケンスと第2の同期信号シーケンスとを生成するステップであって、第1の同期信号シーケンスが、第1のGoldシーケンスに基づいて取得されたシーケンスであり、第1のGoldシーケンスが、第1のmシーケンスと第2のmシーケンスとに基づいて生成されたシーケンスであり、第2の同期信号シーケンスが、第2のGoldシーケンスに基づいて取得されたシーケンスであり、第2のGoldシーケンスが、第3のmシーケンスと第4のmシーケンスとに基づいて生成されたシーケンスであり、第1のmシーケンスおよび第3のmシーケンスの生成多項式が同じであり、第2のmシーケンスおよび第4のmシーケンスの生成多項式が同じであり、第1のmシーケンスと第2のmシーケンスとの間の相対シフト値がm1であり、第3のmシーケンスと第4のmシーケンスとの間の相対シフト値がm2であり、m1≠m2(modN)であり、第1のmシーケンス、第2のmシーケンス、第3のmシーケンス、および第4のmシーケンスが、各々、Nの長さを有する、ステップと、ネットワークデバイスによって、第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングするステップであって、MおよびNが1よりも大きい正の整数である、ステップと、ネットワークデバイスによって、第1の同期信号と第2の同期信号とを送信するステップとを含む。本出願のこの実施形態において、ネットワークデバイスは、二次同期信号と一次同期信号との間の相互相関を低減するために、小さい相関値を有する第1の同期信号シーケンスおよび第2の同期信号シーケンス、すなわち、一次同期信号シーケンスおよび二次同期信号シーケンスを生成し、それによって、別のセルまたはローカルセルにおける二次同期信号によって一次同期信号に引き起こされる干渉を低減する。
【００３３】
本出願のこの実施形態における第3の態様の第1の実装形態では、第1の同期信号シーケンスは、第1のGoldシーケンスに基づいて取得されたシーケンスであり、第1のGoldシーケンスは、第1のmシーケンスf1(n)と第2のmシーケンスf2(n)とに基づいて生成されたシーケンスであり、第2の同期信号シーケンスは、第2のGoldシーケンスに基づいて取得されたシーケンスであり、第2のGoldシーケンスは、第3のmシーケンスf3(n)と第4のmシーケンスf4(n)とに基づいて生成され、第1のGoldシーケンス、第1のmシーケンス、および第2のmシーケンスは、ym,k(n)=1-2・gm,k(n)、gm,k(n)=(f1((n+m+k)modN)+f2((n+k)modN))mod2を満たし、ym,k(n)が第1の同期信号シーケンスであり、gm,k(n)が第1のGoldシーケンスであり、第1のmシーケンスと第2のmシーケンスとの間の相対シフト値がm1である。第2のGoldシーケンス、第3のmシーケンス、および第4のmシーケンスは、ym,k(n)=1-2・gm,k(n)、gm,k(n)=(f3((n+m+k)modN)+f4((n+k)modN))mod2を満たし、ym,k(n)が第2の同期信号シーケンスであり、gm,k(n)が第2のGoldシーケンスであり、第3のmシーケンスと第4のmシーケンスとの間の相対シフト値がm2であり、n=0,1,2,...,N-1、k=0,1,2,...,N-1、m=0,1,2,...,N-1、kが循環シフト値である。第1のmシーケンスおよび第3のmシーケンスの生成多項式は、同じであり、
【００３４】
【数９】
2020519201.tif 000011
【００３５】
であり、第2のmシーケンスおよび第4のmシーケンスの生成多項式は、同じであり、
【００３６】
【数１０】
2020519201.tif 000012
【００３７】
であり、m1≠m2(modN)が満たされる。第1の同期信号シーケンスおよび第2の同期信号シーケンスは、本出願のこの実施形態において制限され、それによって、本出願のこの実施形態の実現可能性および実施可能性を改善する。
【００３８】
本出願のこの実施形態における第3の態様の第2の実装形態では、第1の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1の同期信号シーケンスであり、f1(n)が第1のmシーケンスであり、f2(n)が第2のmシーケンスである。第1の同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1(n+k1)modN]・[1-2・f2(n+k)modN]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第1の同期信号によって満たされ得る別の条件は、本出願のこの実施形態において提供され、それによって、本出願のこの実施形態の実装形態を向上させる。
【００３９】
本出願の実施形態の第4の態様は、同期信号受信方法を提供する。方法は、ユーザ機器によって、第1の受信信号と第2の受信信号とを受信するステップと、ユーザ機器によって、ローカル同期信号シーケンスを生成するステップであって、ローカル同期信号シーケンスが、第1のローカル同期信号シーケンスと第2のローカル同期信号シーケンスとを含み、第1のローカル同期信号シーケンスが第1のGoldシーケンスに基づいて取得されたシーケンスであり、第1のGoldシーケンスが第1のmシーケンスと第2のmシーケンスとに基づいて生成されたシーケンスであり、第2のローカル同期信号シーケンスが第2のGoldシーケンスに基づいて取得されたシーケンスであり、第2のGoldシーケンスが第3のmシーケンスと第4のmシーケンスとに基づいて生成されたシーケンスであり、第1のmシーケンスおよび第3のmシーケンスの生成多項式が同じであり、第2のmシーケンスおよび第4のmシーケンスの生成多項式が同じであり、第1のmシーケンスと第2のmシーケンスとの間の相対シフト値がm1であり、第3のmシーケンスと第4のmシーケンスとの間の相対シフト値がm2であり、m1≠m2(modN)であり、第1のmシーケンス、第2のmシーケンス、第3のmシーケンス、および第4のmシーケンスが、各々、Nの長さを有し、Nが1よりも大きい正の整数である、ステップと、ユーザ機器によって、ローカル同期信号シーケンスに基づいて、第1の受信信号と第2の受信信号とを処理するステップとを含む。本出願のこの実施形態において、ユーザ機器は、小さい相関値を有する生成された第1の同期信号シーケンスと第2の同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【００４０】
本出願のこの実施形態における第4の態様の第1の実装形態では、第1のローカル同期信号シーケンスは、第1のGoldシーケンスに基づいて取得されたシーケンスであり、第1のGoldシーケンスは、第1のmシーケンスf1(n)と第2のmシーケンスf2(n)とに基づいて生成されたシーケンスであり、第2のローカル同期信号シーケンスは、第2のGoldシーケンスに基づいて取得されたシーケンスであり、第2のGoldシーケンスは、第3のmシーケンスf3(n)と第4のmシーケンスf4(n)とに基づいて生成されたシーケンスであり、第1のGoldシーケンス、第1のmシーケンス、および第2のmシーケンスが、ym,k(n)=1-2・gm,k(n)、gm,k(n)=(f1((n+m+k)modN)+f2((n+k)modN))mod2を満たし、ym,k(n)が第1の同期信号シーケンスであり、gm,k(n)が第1のGoldシーケンスであり、ym,k(n)が第1の同期信号シーケンスであり、第1のmシーケンスと第2のmシーケンスとの間の相対シフト値がm1である。第2のGoldシーケンス、第3のmシーケンス、および第4のmシーケンスが、ym,k(n)=1-2・gm,k(n)、gm,k(n)=(f3((n+m+k)modN)+f4((n+k)modN))mod2を満たし、ym,k(n)が第2の同期信号シーケンスであり、gm,k(n)が第2のGoldシーケンスであり、第3のmシーケンスと第4のmシーケンスとの間の相対シフト値がm2であり、n=0,1,2,...,N-1、k=0,1,2,...,N-1、m=0,1,2,...,N-1、およびkが循環シフト値である。第1のmシーケンスおよび第3のmシーケンスの生成多項式が同じであり、
【００４１】
【数１１】
2020519201.tif 000013
【００４２】
であり、第2のmシーケンスおよび第4のmシーケンスの生成多項式が同じであり、
【００４３】
【数１２】
2020519201.tif 000014
【００４４】
であり、m1≠m2(modN)が満たされる。第1のローカル同期信号シーケンスおよび第2のローカル同期信号シーケンスは、本出願のこの実施形態において制限され、それによって、本出願のこの実施形態の実現可能性および実施可能性を改善する。
【００４５】
本出願のこの実施形態における第4の態様の第2の実装形態では、第1のローカル同期信号は、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1のローカル同期信号シーケンスであり、f1(n)が第1のmシーケンスであり、f2(n)が第2のmシーケンスである。第1の同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1(n+k1)modN]・[1-2・f2(n+k)modN]として表され得、n=0,1,...,N-1、k=0,1,...,N-1、およびk1=0,1,...,2(N-1)である。すなわち、nがN-1以下の整数であり、kがN-1以下の整数であり、k1が2(N-1)以下の整数である。第1のローカル同期信号によって満たされ得る別の条件は、本出願のこの実施形態において提供され、それによって、本出願のこの実施形態の実装形態を向上させる。
【００４６】
本出願の実施形態の第5の態様は、同期信号送信方法を提供する。方法は、ネットワークデバイスによって、第1の同期信号シーケンスと第2の同期信号シーケンスとを生成するステップであって、第2の同期信号シーケンスが、第1のmシーケンスと第2のmシーケンスとに基づいて取得されたシーケンスであり、第1のmシーケンスと第2のmシーケンスとの間の相対シフト値がmであり、循環シフト値がpであり、pの値範囲が、第1の同期信号シーケンスに強く相関する循環シフト値kを含まず、第1のmシーケンスおよび第2のmシーケンスが、各々、Nの長さを有する、ステップと、ネットワークデバイスによって、第1の同期信号を取得するために第1の時間単位において第1の同期信号シーケンスをMのサブキャリアにマッピングし。第2の同期信号を取得するために第2の時間単位において第2の同期信号シーケンスをMのサブキャリアにマッピングするステップであって、MおよびNが1よりも大きい正の整数である、ステップと、ネットワークデバイスによって、第1の同期信号と第2の同期信号とを送信するステップとを含む。本出願のこの実施形態において、ネットワークデバイスは、二次同期信号と一次同期信号との間の相互相関を低減するために、小さい相関値を有する第1の同期信号シーケンスおよび第2の同期信号シーケンス、すなわち、一次同期信号シーケンスおよび二次同期信号シーケンスを生成し、それによって、別のセルまたはローカルセルにおける二次同期信号によって一次同期信号に引き起こされる干渉を低減する。
【００４７】
本出願のこの実施形態における第5の態様の第1の実装形態では、第2の同期信号シーケンスは、Goldシーケンスであり、Goldシーケンスは、第1のmシーケンスf1(n)と第2のmシーケンスf2(n)とに基づいて生成されたシーケンスであり、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)がGoldシーケンスであり、f1(n)およびf2(n)がmシーケンスである。第2の同期信号シーケンスは、本出願のこの実施形態において制限され、それによって、本出願のこの実施形態の実現可能性および実施可能性を改善する。
【００４８】
本出願の実施形態の第6の態様は、同期信号受信方法を提供する。方法は、ユーザ機器によって、第1の受信信号と第2の受信信号とを受信するステップと、ユーザ機器によって、ローカル同期信号シーケンスを生成するステップであって、ローカル同期信号シーケンスが、第1のローカル同期信号シーケンスと第2のローカル同期信号シーケンスとを含み、第2のローカル同期信号シーケンスが、第1のmシーケンスと第2のmシーケンスとに基づいて取得されたシーケンスであり、第1のmシーケンスと第2のmシーケンスとの間の相対シフト値がmであり、循環シフト値がpであり、pの値範囲が、第1の同期信号シーケンスに強く相関する循環シフト値kを含まず、第1のmシーケンスおよび第2のmシーケンスが、各々、Nの長さを有し、Nが1よりも大きい正の整数である、ステップと、ユーザ機器によって、ローカル同期信号シーケンスに基づいて、第1の受信信号と第2の受信信号とを処理するステップとを含む。本出願のこの実施形態において、ユーザ機器は、小さい相関値を有する生成された第1のローカル同期信号シーケンスと第2のローカル同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【００４９】
本出願のこの実施形態における第6の態様の第1の実装形態では、第1のローカル同期信号シーケンスは、Goldシーケンスであり、Goldシーケンスは、第1のmシーケンスf1(n)と第2のmシーケンスf2(n)とに基づいて生成されたシーケンスであり、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2のローカル同期信号シーケンスであり、gm,k(n)がGoldシーケンスであり、f1(n)およびf2(n)がmシーケンスである。第2の同期信号シーケンスは、本出願のこの実施形態において制限され、それによって、本出願のこの実施形態の実現可能性および実施可能性を改善する。
【００５０】
本出願の実施形態の第7の態様は、ネットワークデバイスを提供する。ネットワークデバイスは、生成ユニットと、マッピングユニットと、送信ユニットとを含む。生成ユニットは、第1の同期信号シーケンスと第2の同期信号シーケンスとを生成するように構成される。第1の同期信号シーケンスは、第1のmシーケンスに基づいて取得されたシーケンスである。第2の同期信号シーケンスは、第1のGoldシーケンスに基づいて取得されたシーケンスである。第1のGoldシーケンスは、第2のmシーケンスと第3のmシーケンスとに基づいて生成される。第1のmシーケンスの生成多項式は、第2のmシーケンスの生成多項式と同じである。第1のmシーケンス、第2のmシーケンス、および第3のmシーケンスは、各々、Nの長さを有する。マッピングユニットは、第1の同期信号を取得するために、第1の時間単位において第1の同期信号シーケンスをMのサブキャリアにマッピングし、第2の同期信号を取得するために、第2の時間単位において第2の同期信号シーケンスをMのサブキャリアにマッピングするように構成され、MおよびNは、1よりも大きい正の整数である。送信ユニットは、第1の同期信号と第2の同期信号とを送信するように構成される。本出願のこの実施形態では、ネットワークデバイスは、二次同期信号と一次同期信号との間の相互相関を低減するために、小さい相関値を有する第1の同期信号シーケンスおよび第2の同期信号シーケンス、すなわち、一次同期信号シーケンスおよび二次同期信号シーケンスを生成し、それによって、別のセルまたはローカルセルにおける二次同期信号によって一次同期信号に引き起こされる干渉を低減する。
【００５１】
本出願のこの実施形態における第7の態様の第1の実装形態では、第1の同期信号シーケンスは、第1のmシーケンスに基づいて取得されたシーケンスであり、第1のmシーケンス{c(n)|n=0,1,2,...,N-1}の生成多項式は、
【００５２】
【数１３】
2020519201.tif 000015
【００５３】
であり、aK=1、a0=1、Kが1以上の正の整数、および0≦i≦Kである。第1の同期信号シーケンスおよび第1のmシーケンスは、
【００５４】
【数１４】
2020519201.tif 000016
【００５５】
を満たし、n=0,1,2,...,N-K-1であり、s(n)が第1の同期信号シーケンスであり、c(n)が第1のmシーケンスである。第1の同期信号シーケンスは、本出願のこの実施形態において制限され、それによって、本出願のこの実施形態の実現可能性および実施可能性を改善する。
【００５６】
本出願のこの実施形態における第7の態様の第2の実装形態では、第2の同期信号シーケンスは、第1のGoldシーケンスに基づいて取得されたシーケンスであり、第1のGoldシーケンスは、{f1(n)|n=0,1,2,...,N-1}と第3のmシーケンス{f2(n)|n=0,1,2,...,N-1}とに基づいて生成される。第2のmシーケンスの生成多項式は、
【００５７】
【数１５】
2020519201.tif 000017
【００５８】
であり、第3のmシーケンスの生成多項式は、
【００５９】
【数１６】
2020519201.tif 000018
【００６０】
であり、bK=1、b0=1、cK=1、c0=1、Kが1以上の正の整数、および0≦i≦Kである。第1のGoldシーケンス、第2のmシーケンス、および第3のmシーケンスは、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mがシーケンスf1(n)とシーケンスf2(n)との間の相対シフト値であり、kが循環シフト値である。第2の同期信号シーケンスは、本出願のこの実施形態において制限され、それによって、本出願のこの実施形態の実現可能性および実施可能性を改善する。
【００６１】
本出願のこの実施形態における第7の態様の第3の実装形態では、第2の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2の同期信号シーケンスであり、f1(n)が第2のmシーケンスであり、f2(n)が第3のmシーケンスである。第2の同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2の同期信号シーケンスym,k(n)はまた、ym,k(n)=[1-2・f1(n+k1)modN]・[1-2・f2(n+k)modN]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第2の同期信号によって満たされ得る別の条件は、本出願のこの実施形態において提供され、それによって、本出願のこの実施形態の実装形態を向上させる。
【００６２】
本出願の実施形態の第8の態様は、ユーザ機器を提供する。ユーザ機器は、第1の受信信号と第2の受信信号とを受信するように構成される。生成ユニットが、ローカル同期信号シーケンスを生成するように構成され、ローカル同期信号シーケンスが、第1のローカル同期信号シーケンスと第2のローカル同期信号シーケンスとを含む。第1のローカル同期信号シーケンスは、第1のmシーケンスに基づいて取得されたシーケンスであり、第2のローカル同期信号シーケンスは、第1のGoldシーケンスに基づいて取得されたシーケンスであり、第1のGoldシーケンスは、第2のmシーケンスと第3のmシーケンスとに基づいて生成される。第1のmシーケンスの生成多項式は、第2のmシーケンスの生成多項式と同じであり、第1のmシーケンス、第2のmシーケンス、および第3のmシーケンスは、各々、Nの長さを有し、Nが1よりも大きい正の整数であり、処理ユニットが、ローカル同期信号シーケンスに基づいて、第1の受信信号と第2の受信信号とを処理するように構成される。本出願のこの実施形態において、ユーザ機器は、小さい相関値を有する生成された第1の同期信号シーケンスと第2の同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【００６３】
本出願のこの実施形態における第8の態様の第1の実装形態では、処理ユニットは、第1のローカル同期信号シーケンスに基づいて、第1の受信信号に対して相関処理を実行するように構成された第1の処理サブユニットと、第2のローカル同期信号シーケンスに基づいて、第2の受信信号に対して相関処理を実行するように構成された第2の処理サブユニットとを含む。第1の受信信号と第2の受信信号とを処理するプロセスは、本出願のこの実施形態において改良され、それによって、本出願のこの実施形態におけるステップを完成させる。
【００６４】
本出願のこの実施形態における第8の態様の第2の実装形態では、第1の処理サブユニットは、具体的には、第1のローカル同期信号シーケンスに基づいて、第1の受信信号に対して相関処理を実行するように構成される。第1のローカル同期信号シーケンスは、第1のmシーケンスに基づいて取得されたシーケンスであり、第1のmシーケンス{c(n)|n=0,1,2,...,N-1}の生成多項式は、
【００６５】
【数１７】
2020519201.tif 000019
【００６６】
であり、aK=1、a0=1、Kが1以上の正の整数、および0≦i≦Kである。第1のローカル同期信号シーケンスおよび第1のmシーケンスは、
【００６７】
【数１８】
2020519201.tif 000020
【００６８】
を満たし、n=0,1,2,...,N-K-1であり、s(n)が第1のローカル同期信号シーケンスであり、c(n)が第1のmシーケンスである。第1のローカル同期信号シーケンスは、本出願のこの実施形態において制限され、それによって、本出願のこの実施形態の実現可能性および実施可能性を改善する。
【００６９】
本出願のこの実施形態における第8の態様の第3の実装形態では、第2の処理サブユニットは、具体的には、第2のローカル同期信号シーケンスに基づいて、第2の受信信号に対して相関処理を実行するように構成される。第2のローカル同期信号シーケンスは、第1のGoldシーケンスに基づいて取得されたシーケンスであり、第1のGoldシーケンスは、第2のmシーケンス{f1(n)|n=0,1,2,...,N-1}と第3のmシーケンス{f2(n)|n=0,1,2,...,N-1}とに基づいて生成され、第2のmシーケンスの生成多項式は
【００７０】
【数１９】
2020519201.tif 000021
【００７１】
であり、第3のmシーケンスの生成多項式は
【００７２】
【数２０】
2020519201.tif 000022
【００７３】
であり、bK=1、b0=1、cK=1、c0=1、Kが1以上の正の整数、および0≦i≦Kである。第1のGoldシーケンス、第2のmシーケンス、および第3のmシーケンスは、ym,k(n)=1-2・gm,k(n)、gm,k(n)=(f1((n+m+k)modN)+(f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mがシーケンスf1(n)とシーケンスf2(n)との間の相対シフト値であり、kが循環シフト値である。第1のローカル同期信号シーケンスは、本出願のこの実施形態において制限され、それによって、本出願のこの実施形態の実現可能性および実施可能性を改善する。
【００７４】
本出願のこの実施形態における第8の態様の第4の実装形態では、第2のローカル同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2の同期信号シーケンスであり、f1(n)が第2のmシーケンスであり、f2(n)が第3のmシーケンスである。第2のローカル同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2のローカル同期信号シーケンスym,k(n)はまた、ym,k(n)=[1-2・f1(n+k1)modN]・[1-2・f2(n+k)modN]として表され得、n=0,1,...,N-1、k=0,1,...,N-1、およびk1=0,1,...,2(N-1)である。すなわち、nがN-1以下の整数、kがN-1以下の整数、およびk1が2(N-1)以下の整数である。第2のローカル同期信号によって満たされ得る別の条件は、本出願のこの実施形態において提供され、それによって、本出願のこの実施形態の実装形態を向上させる。
【００７５】
本出願の実施形態の第9の態様は、ネットワークデバイスを提供する。ネットワークデバイスは、第1の同期信号シーケンスと第2の同期信号シーケンスとを生成するように構成された生成ユニットであって、第1の同期信号シーケンスが、第1のGoldシーケンスに基づいて取得されたシーケンスであり、第1のGoldシーケンスが、第1のmシーケンスと第2のmシーケンスとに基づいて生成されたシーケンスであり、第2の同期信号シーケンスが、第2のGoldシーケンスに基づいて取得されたシーケンスであり、第2のGoldシーケンスが、第3のmシーケンスと第4のmシーケンスとに基づいて生成されたシーケンスであり、第1のmシーケンスおよび第3のmシーケンスの生成多項式が同じであり、第2のmシーケンスおよび第4のmシーケンスの生成多項式が同じであり、第1のmシーケンスと第2のmシーケンスとの間の相対シフト値がm1であり、第3のmシーケンスと第4のmシーケンスとの間の相対シフト値がm2であり、m1≠m2(modN)であり、第1のmシーケンス、第2のmシーケンス、第3のmシーケンス、および第4のmシーケンスが、各々、Nの長さを有する、生成ユニットと、第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングするように構成されたマッピングユニットであって、MおよびNが1よりも大きい正の整数である、マッピングユニットと、第1の同期信号と第2の同期信号とを送信するように構成された送信ユニットとを含む。本出願のこの実施形態において、ネットワークデバイスは、二次同期信号と一次同期信号との間の相互相関を低減するために、小さい相関値を有する第1の同期信号シーケンスおよび第2の同期信号シーケンス、すなわち、一次同期信号シーケンスおよび二次同期信号シーケンスを生成し、それによって、別のセルまたはローカルセルにおける二次同期信号によって一次同期信号に引き起こされる干渉を低減する。
【００７６】
本出願のこの実施形態における第9の態様の第1の実装形態では、第1の同期信号シーケンスは、第1のGoldシーケンスに基づいて取得されたシーケンスであり、第1のGoldシーケンスは、第1のmシーケンスf1(n)と第2のmシーケンスf2(n)とに基づいて生成され、第2の同期信号シーケンスは、第2のGoldシーケンスに基づいて取得されたシーケンスであり、第2のGoldシーケンスは、第3のmシーケンスf3(n)と第4のmシーケンスf4(n)とに基づいて生成されたシーケンスであり、第1のGoldシーケンス、第1のmシーケンス、および第2のmシーケンスは、ym,k(n)=1-2・gm,k(n)、gm,k(n)=(f1((n+m+k)modN)+f2((n+k)modN))mod2を満たし、ym,k(n)が第1の同期信号シーケンスであり、gm,k(n)が第1のGoldシーケンスであり、第1のmシーケンスと第2のmシーケンスとの間の相対シフト値がm1である。第2のGoldシーケンス、第3のmシーケンス、および第4のmシーケンスは、ym,k(n)=1-2・gm,k(n)、gm,k(n)=(f3((n+m+k)modN)+f4((n+k)modN))mod2を満たし、ym,k(n)が第2の同期信号シーケンスであり、gm,k(n)が第2のGoldシーケンスであり、第3のmシーケンスと第4のmシーケンスとの間の相対シフト値がm2であり、n=0,1,2,...,N-1、k=0,1,2,...,N-1、m=0,1,2,...,N-1、kが循環シフト値である。第1のmシーケンスおよび第3のmシーケンスの生成多項式は、同じであり、
【００７７】
【数２１】
2020519201.tif 000023
【００７８】
であり、第2のmシーケンスおよび第4のmシーケンスの生成多項式は、同じであり、
【００７９】
【数２２】
2020519201.tif 000024
【００８０】
であり、m1≠m2(modN)が満たされる。第1の同期信号シーケンスおよび第2の同期信号シーケンスは、本出願のこの実施形態において制限され、それによって、本出願のこの実施形態の実現可能性および実施可能性を改善する。
【００８１】
本出願のこの実施形態における第9の態様の第2の実装形態では、第1の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1の同期信号シーケンスであり、f1(n)が第1のmシーケンスであり、f2(n)が第2のmシーケンスである。第1の同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1(n+k1)modN]・[1-2・f2(n+k)modN]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第1の同期信号によって満たされ得る別の条件は、本出願のこの実施形態において提供され、それによって、本出願のこの実施形態の実装形態を向上させる。
【００８２】
本出願の実施形態の第10の態様は、ユーザ機器を提供する。ユーザ機器は、第1の受信信号と第2の受信信号とを受信するように構成された受信ユニットと、ローカル同期信号シーケンスを生成するように構成された生成ユニットであって、ローカル同期信号シーケンスが、第1のローカル同期信号シーケンスと第2のローカル同期信号シーケンスとを含み、第1のローカル同期信号シーケンスが第1のGoldシーケンスに基づいて取得されたシーケンスであり、第1のGoldシーケンスが第1のmシーケンスと第2のmシーケンスとに基づいて生成されたシーケンスであり、第2のローカル同期信号シーケンスが第2のGoldシーケンスに基づいて取得されたシーケンスであり、第2のGoldシーケンスが第3のmシーケンスと第4のmシーケンスとに基づいて生成されたシーケンスであり、第1のmシーケンスおよび第3のmシーケンスの生成多項式が同じであり、第2のmシーケンスおよび第4のmシーケンスの生成多項式が同じであり、第1のmシーケンスと第2のmシーケンスとの間の相対シフト値がm1であり、第3のmシーケンスと第4のmシーケンスとの間の相対シフト値がm2であり、m1≠m2(modN)であり、第1のmシーケンス、第2のmシーケンス、第3のmシーケンス、および第4のmシーケンスが、各々、Nの長さを有し、Nが1よりも大きい正の整数である、生成ユニットと、ローカル同期信号シーケンスに基づいて、第1の受信信号と第2の受信信号とを処理するように構成された処理ユニットとを含む。本出願のこの実施形態において、ユーザ機器は、小さい相関値を有する生成された第1の同期信号シーケンスと第2の同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【００８３】
本出願のこの実施形態における第10の態様の第1の実装形態では、第1のローカル同期信号シーケンスは、第1のGoldシーケンスに基づいて取得されたシーケンスであり、第1のGoldシーケンスは、第1のmシーケンスf1(n)と第2のmシーケンスf2(n)とに基づいて生成され、第2のローカル同期信号シーケンスは、第2のGoldシーケンスに基づいて取得されたシーケンスであり、第2のGoldシーケンスは、第3のmシーケンスf3(n)と第4のmシーケンスf4(n)とに基づいて生成されたシーケンスであり、第1のGoldシーケンス、第1のmシーケンス、および第2のmシーケンスが、ym,k(n)=1-2・gm,k(n)、gm,k(n)=(f1((n+m+k)modN)+f2((n+k)modN))mod2を満たし、ym,k(n)が第1の同期信号シーケンスであり、gm,k(n)が第1のGoldシーケンスであり、第1のmシーケンスと第2のmシーケンスとの間の相対シフト値がm1である。第2のGoldシーケンス、第3のmシーケンス、および第4のmシーケンスが、ym,k(n)=1-2・gm,k(n)、gm,k(n)=(f3((n+m+k)modN)+f4((n+k)modN))mod2を満たし、ym,k(n)が第2の同期信号シーケンスであり、gm,k(n)が第2のGoldシーケンスであり、第3のmシーケンスと第4のmシーケンスとの間の相対シフト値がm2であり、n=0,1,2,...,N-1、k=0,1,2,...,N-1、m=0,1,2,...,N-1、およびkが循環シフト値である。第1のmシーケンスおよび第3のmシーケンスの生成多項式が同じであり、
【００８４】
【数２３】
2020519201.tif 000025
【００８５】
であり、第2のmシーケンスおよび第4のmシーケンスの生成多項式が同じであり、
【００８６】
【数２４】
2020519201.tif 000026
【００８７】
であり、m1≠m2(modN)が満たされる。第1のローカル同期信号シーケンスおよび第2のローカル同期信号シーケンスは、本出願のこの実施形態において制限され、それによって、本出願のこの実施形態の実現可能性および実施可能性を改善する。
【００８８】
本出願のこの実施形態における第10の態様の第2の実装形態では、第1のローカル同期信号は、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1のローカル同期信号シーケンスであり、f1(n)が第1のmシーケンスであり、f2(n)が第2のmシーケンスである。第1の同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1(n+k1)modN]・[1-2・f2(n+k)modN]として表され得、n=0,1,...,N-1、k=0,1,...,N-1、およびk1=0,1,...,2(N-1)である。すなわち、nがN-1以下の整数であり、kがN-1以下の整数であり、k1が2(N-1)以下の整数である。第1のローカル同期信号によって満たされ得る別の条件は、本出願のこの実施形態において提供され、それによって、本出願のこの実施形態の実装形態を向上させる。
【００８９】
本出願の実施形態の第11の態様は、同期信号送信方法を提供する。方法は、ネットワークデバイスによって、第1の同期信号シーケンスと第2の同期信号シーケンスとを生成するステップであって、第2の同期信号シーケンスが、第1のmシーケンスと第2のmシーケンスとに基づいて取得されたシーケンスであり、第1のmシーケンスと第2のmシーケンスとの間の相対シフト値がmであり、循環シフト値がpであり、pの値範囲が、第1の同期信号シーケンスに強く相関する循環シフト値kを含まず、第1のmシーケンスおよび第2のmシーケンスが、各々、Nの長さを有する、ステップと、ネットワークデバイスによって、第1の同期信号を取得するために第1の時間単位において第1の同期信号シーケンスをMのサブキャリアにマッピングし。第2の同期信号を取得するために第2の時間単位において第2の同期信号シーケンスをMのサブキャリアにマッピングするステップであって、MおよびNが1よりも大きい正の整数である、ステップと、ネットワークデバイスによって、第1の同期信号と第2の同期信号とを送信するステップとを含む。本出願のこの実施形態において、ネットワークデバイスは、二次同期信号と一次同期信号との間の相互相関を低減するために、小さい相関値を有する第1の同期信号シーケンスおよび第2の同期信号シーケンス、すなわち、一次同期信号シーケンスおよび二次同期信号シーケンスを生成し、それによって、別のセルまたはローカルセルにおける二次同期信号によって一次同期信号に引き起こされる干渉を低減する。
【００９０】
本出願のこの実施形態における第11の態様の第1の実装形態では、第2の同期信号シーケンスは、Goldシーケンスであり、Goldシーケンスは、第1のmシーケンスf1(n)と第2のmシーケンスf2(n)とに基づいて生成されたシーケンスであり、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)がGoldシーケンスであり、f1(n)およびf2(n)がmシーケンスである。第2の同期信号シーケンスは、本出願のこの実施形態において制限され、それによって、本出願のこの実施形態の実現可能性および実施可能性を改善する。
【００９１】
本出願の実施形態の第12の態様は、同期信号受信方法を提供する。方法は、ユーザ機器によって、第1の受信信号と第2の受信信号とを受信するステップと、ユーザ機器によって、ローカル同期信号シーケンスを生成するステップであって、ローカル同期信号シーケンスが、第1のローカル同期信号シーケンスと第2のローカル同期信号シーケンスとを含み、第2のローカル同期信号シーケンスが、第1のmシーケンスと第2のmシーケンスとに基づいて取得されたシーケンスであり、第1のmシーケンスと第2のmシーケンスとの間の相対シフト値がmであり、循環シフト値がpであり、pの値範囲が、第1の同期信号シーケンスに強く相関する循環シフト値kを含まず、第1のmシーケンスおよび第2のmシーケンスが、各々、Nの長さを有し、Nが1よりも大きい正の整数である、ステップと、ユーザ機器によって、ローカル同期信号シーケンスに基づいて、第1の受信信号と第2の受信信号とを処理するステップとを含む。本出願のこの実施形態において、ユーザ機器は、小さい相関値を有する生成された第1のローカル同期信号シーケンスと第2のローカル同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【００９２】
本出願のこの実施形態における第12の態様の第1の実装形態では、第1のローカル同期信号シーケンスは、Goldシーケンスであり、Goldシーケンスは、第1のmシーケンスf1(n)と第2のmシーケンスf2(n)とに基づいて生成されたシーケンスであり、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2のローカル同期信号シーケンスであり、gm,k(n)がGoldシーケンスであり、f1(n)およびf2(n)がmシーケンスである。第2の同期信号シーケンスは、本出願のこの実施形態において制限され、それによって、本出願のこの実施形態の実現可能性および実施可能性を改善する。
【００９３】
本出願の実施形態の第13の態様は、コンピュータ可読記憶媒体を提供する。コンピュータ可読記憶媒体は、命令を記憶し、命令は、コンピュータによって実行されると、コンピュータに以下のステップ、すなわち、第1の同期信号シーケンスと第2の同期信号シーケンスとを生成するステップであって、第1の同期信号シーケンスが、第1のmシーケンスに基づいて取得されたシーケンスであり、第2の同期信号シーケンスが、第1のGoldシーケンスに基づいて取得されたシーケンスであり、第1のGoldシーケンスが、第2のmシーケンスと第3のmシーケンスとに基づいて生成され、第1のmシーケンスの生成多項式が、第2のmシーケンスの生成多項式と同じであり、第1のmシーケンス、第2のmシーケンス、および第3のmシーケンスが、各々、Nの長さを有する、ステップと、第1の同期信号を取得するために、第1の時間単位において第1の同期信号シーケンスをMのサブキャリアにマッピングし、第2の同期信号を取得するために、第2の時間単位において第2の同期信号シーケンスをMのサブキャリアにマッピングするステップであって、MおよびNが、1よりも大きい正の整数である、ステップとを実行させる。
【００９４】
オプションで、第1の同期信号シーケンスは、第1のmシーケンスに基づいて取得されたシーケンスであり、第1のmシーケンス{c(n)|n=0,1,2,...,N-1}の生成多項式は、
【００９５】
【数２５】
2020519201.tif 000027
【００９６】
であり、aK=1、a0=1、およびKが1以上の正の整数、および0≦i≦Kである。第1の同期信号シーケンスおよび第1のmシーケンスは、
【００９７】
【数２６】
2020519201.tif 000028
【００９８】
を満たし、n=0,1,2,...,N-K-1であり、s(n)が第1の同期信号シーケンスであり、c(n)が第1のmシーケンスである。
【００９９】
オプションで、第2の同期信号シーケンスは、第1のGoldシーケンスに基づいて取得されたシーケンスであり、第1のGoldシーケンスは、第2のmシーケンス{f1(n)|n=0,1,2,…,N-1}と第3のmシーケンス{f2(n)|n=0,1,2,…,N-1}とに基づいて生成され、第2のmシーケンスの生成多項式は、
【０１００】
【数２７】
2020519201.tif 000029
【０１０１】
であり、第3のmシーケンスの生成多項式は、
【０１０２】
【数２８】
2020519201.tif 000030
【０１０３】
であり、bK=1、b0=1、cK=1、c0=1、Kが1以上の正の整数、および0≦i≦Kである。第1のGoldシーケンス、第2のmシーケンス、および第3のmシーケンスは、ym,k(n)=1-2・gm,k(n)、gm,k(n)=(f1((n+m+k)modN)+(f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mがシーケンスf1(n)とシーケンスf2(n)との間の相対シフト値であり、kが循環シフト値である。
【０１０４】
オプションで、第2の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2の同期信号シーケンスであり、f1(n)が第2のmシーケンスであり、f2(n)が第3のmシーケンスである。第2の同期信号シーケンスym,k(n)がym,k(n)=[1-2・f1(n+m+k)modN]・[1-2・f2(n+k)modNとしても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2の同期信号シーケンスym,k(n)はまた、ym,k(n)=[1-2・f1(n+k1)modN]・[1-2・f2(n+k)modN]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。
【０１０５】
オプションで、ローカル同期信号シーケンスが生成される。ローカル同期信号シーケンスは、第1のローカル同期信号シーケンスと第2のローカル同期信号シーケンスとを含む。第1のローカル同期信号シーケンスは、第1のmシーケンスに基づいて取得されたシーケンスであり、第2のローカル同期信号シーケンスは、第1のGoldシーケンスに基づいて取得されたシーケンスであり、第1のGoldシーケンスは、第2のmシーケンスと第3のmシーケンスとに基づいて生成され、第1のmシーケンスの生成多項式は、第2のmシーケンスの生成多項式と同じであり、第1のmシーケンス、第2のmシーケンス、および第3のmシーケンスは、各々、Nの長さを有し、Nが1よりも大きい正の整数である。第1の受信信号および第2の受信信号は、ローカル同期信号シーケンスに基づいて処理される。
【０１０６】
前述の技術的解決策から、本出願の実施形態が以下の利点を有することがわかり得る。
【０１０７】
本出願の実施形態において提供される技術的解決策では、ネットワークデバイスは、第1の同期信号シーケンスと第2の同期信号シーケンスとを生成する。第1の同期信号シーケンスは、mシーケンスに基づいて取得されたシーケンスであり、第2の同期信号シーケンスは、Goldシーケンスに基づいて取得されたシーケンスであり、Goldシーケンスは、第1のmシーケンスと第2のmシーケンスとに基づいて生成され、mシーケンスの生成多項式は、Goldシーケンスの第1のmシーケンスの生成多項式と同じである。ネットワークデバイスは、第1の同期信号と第2の同期信号とを取得するために、第1の同期信号シーケンスおよび第2の同期信号シーケンスを、それぞれ、第1の時間単位におけるNのサブキャリアおよび第2の時間単位におけるNのサブキャリアにマッピングし、Nが1以上の正の整数である。ネットワークデバイスは、第1の同期信号と第2の同期信号とを送信する。本出願の実施形態において、小さい相関値を有し、ネットワークデバイスによって生成される一次同期信号シーケンスおよび二次同期信号シーケンスは、二次同期信号と一次同期信号との間の相互相関を低減し、それによって、別のセルまたはローカルセルにおいて二次同期信号によって一次同期信号に引き起こされる干渉を低減する。
【図面の簡単な説明】
【０１０８】
【図１ａ】本出願の実施形態によるネットワークアーキテクチャの概略図である。
【図１ｂ】本出願の実施形態によるシナリオの概略図である。
【図２】本出願の実施形態による同期信号送信方法の概略図である。
【図３】本出願の実施形態による八進数値と原始多項式との間の対応の概略図である。
【図４】本出願の実施形態による、同期信号が異なる中心周波数を有するシナリオの概略図である。
【図５】本出願の別の実施形態による同期信号送信方法の概略図である。
【図６】本出願の実施形態によるネットワークデバイスの概略図である。
【図７】本出願の実施形態によるユーザ機器の概略図である。
【図８】本出願の別の実施形態によるネットワークデバイスの概略図である。
【図９】本出願の別の実施形態によるユーザ機器の概略図である。
【図１０】本出願の別の実施形態によるネットワークデバイスの概略図である。
【図１１】本出願の別の実施形態によるユーザ機器の概略図である。
【図１２ａ】本出願の別の実施形態によるユーザ機器の概略図である。
【図１２ｂ】本出願の別の実施形態によるユーザ機器の概略図である。
【図１３】本出願の別の実施形態によるネットワークデバイスの概略図である。
【発明を実施するための形態】
【０１０９】
本出願の実施形態は、二次同期信号と一次同期信号との間の相関を低減し、一次同期信号への干渉を低減するために、同期信号送信方法を提供する。
【０１１０】
本出願における技術的解決策を当業者によりよく理解させるために、以下は、本出願の実施形態における添付図面を参照して本出願の実施形態を説明する。
【０１１１】
本出願の明細書、特許請求の範囲、および添付図面において、「第1の」、「第2の」、「第3の」、「第4の」、など(存在する場合)の用語は、同様の対象間を区別することを意図しているが、特定の順序または連続を必ずしも示すとは限らない。そのような方法で命名されたデータは、本明細書に記載の実施形態が本明細書で例示されたまたは説明された順序以外の順序で実施され得るように、適切な状況において交換可能であることが理解されるべきである。さらに、「含む」、「有する」という用語、および任意の他の変形は、非排他的な包含をカバーすることを意味し、例えば、ステップまたはユニットのリストを含むプロセス、方法、システム、製品、またはデバイスは、それらのステップまたはユニットに必ずしも限定されず、明示的にリストされていないか、またはそのようなプロセス、方法、システム、製品、もしくはデバイスに固有の他のステップまたはユニットを含み得る。
【０１１２】
本出願の実施形態は、図1aに示すネットワークアーキテクチャに適用され得る。ネットワークアーキテクチャにおいて、ネットワークデバイス(例えば、基地局)とユーザ機器(例えば、モバイル電話)との間で同期信号が送信される。本出願において同期信号を送信するデバイスは、ネットワークデバイスと呼ばれる。本出願の実施形態について、ネットワークデバイスが同期信号をユーザ機器に送信する例を使用することによって説明する。図1bに示すように、セル1におけるユーザ端末が一次同期信号を検出すると、セル1およびセル2における二次同期信号が、セル1における一次同期信号への干渉を引き起こす。セル2およびセル1は、時間的に同期しない可能性があるので、セル2における二次同期信号およびセル1における一次同期信号は、時間的に互いに重複する可能性がある。この場合、セル2における二次同期信号は、セル1における一次同期信号への干渉を引き起こす。セル1における二次同期信号は、セル1における一次同期信号の検出への干渉を引き起こす可能性もある。これは、セル1における一次同期信号を検出すると、ユーザ端末は、ローカル一次同期信号シーケンスと受信信号とに対して複数の瞬間において相関演算を実行するからである。二次同期信号が存在する瞬間において、ローカル一次同期信号シーケンスは、受信された二次同期信号に相関し、その結果、二次同期信号によって干渉される。
【０１１３】
ネットワークデバイス間またはユーザ機器間でも同期信号が送受信される場合があることも理解され得る。これは、本明細書では特に限定されない。
【０１１４】
本出願におけるネットワークデバイスは、ワイヤレス送信および受信機能を有する任意のデバイスであり得、限定はしないが、グローバルシステムフォーモバイルコミュニケーション(Global System for Mobile、GSM(登録商標))またはCDMAにおける基地トランシーバ局(base transceiver station、BTS)、WCDMA(登録商標)におけるNodeB(NodeB)、LTEにおける進化型NodeB (NodeBまたはeNBまたはe-NodeB、evolved NodeB)、NRにおけるgNodeB(gNodeBまたはgNB)または送信/受信ポイント(transmission reception point、TRP)、3GPPにおける将来の進化の基地局、WiFiシステムにおけるアクセスノード、ワイヤレスリレーノード、ワイヤレスバックホールノードなどを含む。基地局は、マクロ基地局、マイクロ基地局、ピクセル基地局、スモールセル、リレー局などであり得る。複数の基地局は、上記の同じ技術を使用するネットワークをサポートすることができ、または、上記の異なる技術を使用するネットワークをサポートし得る。基地局は、1つまたは複数の同一の場所または非同一の場所にある送信/受信ポイント(Transmission receiving point、TRP)を含み得る。ネットワークデバイスは、代替的には、クラウド無線アクセスネットワーク(cloud radio access network、CRAN)シナリオにおける無線コントローラ、集中型ユニット(centralized unit、CU)、および/または分散型ユニット(distributed unit、DU)であり得る。ネットワークデバイスは、代替的には、サーバ、ウェアラブルデバイス、車載デバイスなどであり得る。ネットワークデバイスが基地局であることが、以下で説明のための例として使用される。複数のネットワークデバイスは、同じタイプの基地局または異なるタイプの基地局であり得る。基地局は、端末デバイスと通信し得、または、リレー局を使用することによって端末デバイスと通信し得る。端末デバイスは、異なる技術を使用する複数の基地局と通信し得る。例えば、端末デバイスは、LTEネットワークをサポートする基地局と通信し得、5Gネットワークをサポートする基地局と通信し得、または、LTEネットワークにおける基地局と5Gネットワークにおける基地局との二重接続をサポートし得る。
【０１１５】
本出願において、端末デバイスは、ワイヤレス送信および受信機能を有するデバイスであり、ハンドヘルド、ウェアラブル、もしくは車載方式で屋内もしくは屋外環境を含む土地において展開され得、水面(例えば、船内)において展開され得、または、空中(例えば、飛行機上、気球内、もしくは衛星上)に展開され得る。端末デバイスは、モバイル電話(mobile phone)、タブレットコンピュータ(Pad)、ワイヤレス送信および受信機能を有するコンピュータ、仮想現実(virtual reality、VR)端末デバイス、拡張現実(augmented reality、AR)端末デバイス、産業用制御(industrial control)に関連するワイヤレス端末、自動運転(self driving)に関連するワイヤレス端末、遠隔医療(remote medical)に関連するワイヤレス端末、スマートグリッド(smart grid)に関連するワイヤレス端末、輸送安全(transportation safety)に関連するワイヤレス端末、スマートシティ(smart city)に関連するワイヤレス端末、スマートホーム(smart home)に関連するワイヤレス端末などであり得る。本出願の実施形態は、アプリケーションシナリオに制限を課さない。ユーザ機器は、ときには、端末、端末デバイス、ユーザ機器(user equipment、UE)、アクセス端末デバイス、UEユニット、UE局、モバイル局、モバイル、リモート局、リモート端末デバイス、モバイルデバイス、UE端末デバイス、端末デバイス、ワイヤレス通信デバイス、UEエージェント、UE装置などと呼ばれる場合もある。さらに、端末は、固定式または可動式であり得る。
【０１１６】
シーケンス規則によれば、mシーケンスの生成多項式は、
【０１１７】
【数２９】
2020519201.tif 000031
【０１１８】
であり、aK=1、a0=1であり、生成多項式がg(x)である場合、生成されるシーケンス{c(n)|n=0,1,2,...,N-1}は、以下の再帰的関係、
【０１１９】
【数３０】
2020519201.tif 000032
【０１２０】
を満たす。初期状態は、c(K-1),c(K-2),c(K-3),...,c(1),c(0)であり、シーケンス{c(n)|n=0,1,2,...,N-1}は、初期状態値と漸化式とに基づいて取得され得る。生成多項式がK次の原始多項式であるとき、取得されるシーケンスは、N=2K-1の長さを有するmシーケンスである。
【０１２１】
Goldシーケンスは、1対の好ましいmシーケンスに対してモジュール2加算を実行することによって生成されるシーケンスである。1対の好ましいmシーケンスは、異なるGoldシーケンス間の比較的小さい相互相関をもたらす。f1(n)およびf2(n)は、各々がNの長さを有する2つのmシーケンスであり、gm,k(n)=(f1((n+m+k)modN)+f2((n+k)modN))mod2は、Nの長さを有するGoldシーケンスであり、m=0,1,2,...,N-1、k=0,1,2,...,N-1である。mおよびkにおける変動は、同じグループ内の複数の異なるGoldシーケンスの生成をもたらす。Goldシーケンス内の1対のmシーケンスは、同じグループ内の異なるGoldシーケンス間の比較的小さい相互相関をもたらす。
【０１２２】
一次同期信号シーケンスの生成多項式がg(x)=x7+x4+1、すなわち、c(n+7)=(c(n+4)+c(n))mod2であり、c(n)がmシーケンスであることが仮定される。初期状態は、1 1 1 0 1 1 0、すなわち、c(6)=1、c(5)=1、c(4)=1、c(3)=0、c(2)=1、c(1)=1、c(0)=0である。mシーケンスは、{c(6),c(5),c(4),c(3),c(2),c(1),c(0)}={1 1 1 0 1 1 0}とも表され得る。BPSK変調がmシーケンスに対して実行された後、mシーケンスは、Nのサブキャリアにマッピングされる。例えば、N=127である。変調された一次同期信号シーケンスは、s(n)=1-2・c(n)、n=0,1,...,N-1である。本明細書では、mシーケンスc(n)および一次同期信号シーケンスs(n)が、各々、Nの長さを有することがわかり得る。例えば、3つの循環シフト(0、43、86)に基づいて、3つの一次同期信号シーケンスが生成され得る。シーケンス{c(n)|n=0,1,2,...N-1}の循環シフトシーケンスは、{c((n+p)modN)|n=0,1,2,...,N-1として表され、pが循環シフト値であり、p=0,1,2,...,N-1である。
【０１２３】
二次同期信号シーケンスは、2つのmシーケンスに基づいて生成されるシーケンスgm,k(n)に基づいて取得され、例えば、生成多項式g1(x)=x7+x3+1とg2(x)=x3+x2+x+1とを使用することによって生成されるシーケンスf1(n)およびf2(n)に基づいて取得され得、gm,k(n)=(f1((n+m+k)modN)+f2((n+k)modN))mod2であり、初期値が1 1 1 0 1 1 0である。ここで、mは、2つのmシーケンス間の相対シフト値である。例えば、m=0,1,2,...,126、n=0,1,2,...,126である。さらに、BPSK変調がGoldシーケンスに対して実行された後、Goldシーケンスは、Nのサブキャリアにマッピングされ、N=127である。
【０１２４】
ym,k(n)=1-2・gm,k(n)、n=0,1,...,N-1は、二次同期信号シーケンスであり、Nのサブキャリアにマッピングされる。ここで、一次同期信号および二次同期信号は、異なるOFDMシンボル上に配置される。例えば、N=127である。
【０１２５】
隣接セルにおける二次同期信号がローカルセルにおける一次同期信号と時間領域において重なるとき、一次同期信号への干渉が引き起こされる。UEがローカルセルの一次同期信号を検出したとき、二次同期信号および一次同期信号は、比較的大きい相関値を有する。これは、一次同期信号の検出への干渉も引き起こす。具体的には、二次同期信号の前述の生成されたGoldシーケンスについて、0の循環シフトを有する一次同期信号と、循環シフト値がGoldシーケンスの127の相対シフト値に対応するkmである(m=0,1,...,126)シーケンスとの間の最大相関値は、以下の通り、すなわち、{33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33}である。
【０１２６】
kmの値は、以下の通り、すなわち、{20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20}である。
【０１２７】
通常、Goldシーケンスのグループ内の異なるシーケンス間の最大相関値は、17である。明らかに、前述の相関値は、17よりもはるかに大きく、二次同期信号によって一次同期信号に対して引き起こされる比較的大きい干渉をもたらす。
【０１２８】
理解の便宜上、本出願の実施形態の特定の手順について以下に説明する。図2を参照して、本出願の実施形態による同期信号送信方法の実施形態は、以下のステップを含む。
【０１２９】
201.ネットワークデバイスが第1の同期信号シーケンスと第2の同期信号シーケンスとを生成する。
【０１３０】
ネットワークデバイスは、第1の同期信号シーケンスと第2の同期信号シーケンスとを生成する。第1の同期信号シーケンスは、第1のmシーケンスに基づいて取得されたシーケンスであり、第2の同期信号シーケンスは、第1のGoldシーケンスに基づいて取得されたシーケンスであり、第1のGoldシーケンスは、第2のmシーケンスと第3のmシーケンスとに基づいて生成され、第1のmシーケンスの生成多項式は、第2のmシーケンスの生成多項式と同じであり、第1のmシーケンス、第2のmシーケンス、および第3のmシーケンスは、各々、Nの長さを有し、Nが1よりも大きい正の整数である。
【０１３１】
第1の同期信号シーケンスは、第1のmシーケンスに基づいて取得されたシーケンスであることに留意すべきである。ネットワークデバイスは、
【０１３２】
【数３１】
2020519201.tif 000033
【０１３３】
に基づいてmシーケンス{c(n)|n=0,1,2,...,N-1}を取得し、多項式の係数の値が0または1であり得、aK=1、a0=1であり、Kが1よりも大きい正の整数であり、0≦i≦Kである。次いで、ネットワークデバイスは、第1のmシーケンスの初期状態値と漸化式とに基づいて、第1の同期信号シーケンス
【０１３４】
【数３２】
2020519201.tif 000034
【０１３５】
を取得し、s(n)が第1の同期信号シーケンスであり、c(n)が第1のmシーケンスである。第1のmシーケンスの異なる初期状態値は、異なる取得されたシーケンスをもたらす。第1のmシーケンスの初期状態値は、本明細書では限定されない。第2の同期信号シーケンスは、第1のGoldシーケンスに基づいて取得されたシーケンスであり、第1のGoldシーケンスは、第2のmシーケンス{f1(n)|n=0,1,2,...,N-1}と第3のmシーケンス{f2(n)|n=0,1,2,...,N-1}とに基づいて生成され、第2のmシーケンスの生成多項式は、
【０１３６】
【数３３】
2020519201.tif 000035
【０１３７】
であり、第3のmシーケンスの生成多項式は、
【０１３８】
【数３４】
2020519201.tif 000036
【０１３９】
であり、bK=1、b0=1、cK=1、c0=1であり、Kが1よりも大きい正の整数であり、0≦i≦Kである。第1のGoldシーケンス、第2のmシーケンス、および第3のmシーケンスは、ym,k(n)=1-2・gm,k(n)、gm,k(n)=((f1((n+m+k)modN)+f2((n+k)modN))mod2、n=0,1,2,...,N-1、k=0,1,2,...,N-1、m=0,1,2,...,N-1を満たし、gm,k(n)が第1のGoldシーケンスであり、mがシーケンスf1(n)とシーケンスf2(n)との間の相対シフト値であり、kが循環シフト値である。
【０１４０】
生成多項式がK次の原始多項式であるとき、取得された第1の同期信号シーケンスは、mシーケンスであることが理解され得る。第1の同期信号シーケンスは、Nの長さを有し、N=2K-1である。例えば、K=7のとき、N=127である。Kは、1よりも大きい整数である。これは、本明細書では特に限定されない。同じ特性を有する他のシーケンスを取得するために、第1の同期信号シーケンスおよび第2の同期信号シーケンスに対して循環シフトが実行され得る。例えば、第1の同期信号シーケンスに対して循環シフトが実行された後に取得されるシーケンスは、第1の同期信号シーケンスの特性と同じ特性を有し、依然としてm信号シーケンスである。第2の同期信号シーケンスに対して循環シフトが実行された後、同じグループ内の別のGoldシーケンスが取得される。循環シフトシーケンスは、{c((n+p)modN)|n=0,1,2,...,N-1}を満たし、pが、限定はしないがp=0,1,2,...,N-1を含む循環シフト値である。
【０１４１】
例えば、K=7のとき、Nは、127である。第1の同期信号に対応する第1の同期信号シーケンスは、第1のmシーケンスに基づいて取得されたシーケンスである。第1のmシーケンスの生成多項式は、g(x)=x7+x4+1である。漸化式は、c(n+7)=(c(n+4)+c(n))mod2である。第1のmシーケンスの初期状態値は、{1 1 1 0 1 1 0}である。すなわち、c(6)=1、c(5)=1、c(4)=1、c(3)=0、c(2)=1、c(1)=1、c(0)=0である。言い換えれば、{c(6),c(5),c(4),c(3),c(2),c(1),c(0)}={1 1 1 0 1 1 0}である。第1のmシーケンスの初期値に基づいて、第1の同期信号のものであり、127の長さを有するシーケンスが取得され、{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}となる。
【０１４２】
図3に示すように、第2の同期信号に対応する第2の同期信号シーケンスは、第2のmシーケンスと第3のmシーケンスとに基づいて取得されたシーケンスである。第2のmシーケンスの生成多項式は、第1の同期信号の第1のmシーケンスの生成多項式と同じである。例えば、第2のmシーケンスは、g(x)=x7+x4+1として表され得る。第2のmシーケンスに対応する原始多項式は、{1 0 0 1 0 0 0 1}であり、八進数値221に対応する。例えば、第3のmシーケンスの生成多項式は、図3における八進数値361、375、313、301、325、345、367、271、253、および203のうちの任意の1つに対応する生成多項式であり得、係数a7、a6、...、a1、a0は、図3における各原始多項式(言い換えれば、前述の生成多項式)に対応する値であり、a7が最上位ビットである。例えば、値361は、二進数形式で1 1 1 1 0 0 0 1として表され、値に対応する生成多項式は、g2(x)=x7+x6+x5+x4+1である。別の例では、八進数値203は、二進数形式で1 0 0 0 0 0 1 1として表され、対応する漸化式は、c1(i+7)=(c1(i+1)+c1(i))mod2を満たす。
【０１４３】
オプションで、第1の同期信号シーケンスと第2の同期信号シーケンスの両方は、Goldシーケンスに基づいて取得されたシーケンスである。例えば、第1の同期信号シーケンスは、第1のGoldシーケンスに基づいて取得されたシーケンスであり、第1のGoldシーケンスは、第1のmシーケンスと第2のmシーケンスとに基づいて生成されたシーケンスである。第2の同期信号シーケンスは、第2のGoldシーケンスに基づいて生成されたシーケンスであり、第2のGoldシーケンスは、第3のmシーケンスと第4のmシーケンスとに基づいて生成されたシーケンスである。第1のmシーケンスおよび第3のmシーケンスの生成多項式は、同じであり、第2のmシーケンスおよび第4のmシーケンスの生成多項式は、同じである。例えば、第1のmシーケンスと第2のmシーケンスとの間の相対シフト値は、m１であり、第3のmシーケンスと第4のmシーケンスとの間の相対シフト値がm2であり、m1≠m2(modN)が満たされる。第1のmシーケンス、第2のmシーケンス、第3のmシーケンス、および第4のmシーケンスは、各々、Nの長さを有し、N=2K-1である。
【０１４４】
実装形態において、第1の同期信号シーケンスym,k(n)は、ym,k(n)=1-2・gm,k(n)を満たす。シーケンスgm,k(n)は、第1のシーケンスf1(n)と第2のmシーケンスf2(n)とに基づいて取得されたGoldシーケンスであり得、gm,k(n)=(f1((n+m+k)modN)+f2((n+k)modN))mod2、n=0,1,2,...,N-1、k=0,1,2,...,N-1、m=0,1,2,...,N-1であり、mが、シーケンスf1(n)とシーケンスf2(n)との間の相対シフト値である。第2の同期信号シーケンスym,k(n)は、ym,k(n)=1-2・gm,k(n)を満たす。シーケンスgm,k(n)は、gm,k(n)第3のmシーケンスf3(n)と第4のmシーケンスf4(n)とに基づいて取得されたGoldシーケンスであり得、gm,k(n)=(f3((n+m+k)modN)+f4((n+k)modN))mod2である。シーケンスf3(n)とシーケンスf4(n)との間の相対シフト値は、m2であり、n=0,1,2,...,N-1、k=0,1,2,...,N-1、m=0,1,2,...,N-1であり、kが循環シフト値である。
【０１４５】
第1のmシーケンスおよび第3のmシーケンスの生成多項式は、同じであり、両方ともg1(x)であり、
【０１４６】
【数３５】
2020519201.tif 000037
【０１４７】
である。第2のmシーケンスおよび第4のmシーケンスの生成多項式は、同じであり、両方ともg2(x)であり、
【０１４８】
【数３６】
2020519201.tif 000038
【０１４９】
であり、m1≠m2(modN)が満たされる。
【０１５０】
202.ネットワークデバイスは、第1の同期信号と第2の同期信号とを取得する。
【０１５１】
ネットワークデバイスは、第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングし、Mが1よりも大きい正の整数である。
【０１５２】
ネットワークデバイスによって取得される第1の同期信号および第2の同期信号は、mシーケンスに対して変調および変換が実行された後に取得され得、または式に従って生成され得ることに留意すべきである。第1の同期信号は、s(n)=1-2・c(n)、n=0,1,...,N-1を満たし、Nが1よりも大きい正の整数、s(n)が第1の同期信号シーケンス、c(n)が第1のmシーケンスである。
【０１５３】
M=NまたはM=N-1である。M=Nのとき、同期信号シーケンス内のNの要素がNのサブキャリアにマッピングされる。M=N-1のとき、同期信号シーケンス内の中心要素以外の要素がN-1のサブキャリアにマッピングされる。同期信号のシーケンス内の中心要素は、周波数領域において同期信号の中心サブキャリアにマッピングされる場合があり、または送信されない場合がある。これは、本発明において限定されない。
【０１５４】
ネットワークデバイスは、変調および変換された同期信号シーケンスを取得するために、バイナリ位相シフトキーイング(binary phase shift keying、BPSK)を介してmシーケンスを変調し得ることが理解され得る。ネットワークデバイスは、代替的には、限定はしないが、別の変調方式を使用することによって同期信号シーケンスを変調することを含み得る。
【０１５５】
例えば、前述のステップにおいて第1のmシーケンスがシーケンス{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}であるとき、変調および変換されたシーケンスは、{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}である。第1のGoldシーケンスの変調プロセスは、第1のmシーケンスの変調プロセスと同様であり、詳細について本明細書では再び説明しない。
【０１５６】
203.ネットワークデバイスは、第1の同期信号と第2の同期信号とを送信する。
【０１５７】
ネットワークデバイスは、第1の同期信号シーケンスを搬送するサブキャリア上で第1の同期信号を送信し、第2の同期信号シーケンスを搬送するサブキャリア上で第2の同期信号を送信する。
【０１５８】
204.ユーザ機器は、第1の受信信号と第2の受信信号とを受信する。
【０１５９】
ユーザ機器は、ネットワークデバイスによって送信された信号を受信し、信号品質要件を満たす第1の受信信号および第2の受信信号を受信することを選択する。
【０１６０】
ユーザ機器は、感知された信号を受信し、信号品質が要件を満たす信号から必要な第1の受信信号および第2の受信信号を受信し得ることに留意すべきである。信号品質は、限定はしないが、信号強度、チャネル品質指示情報などを含み得る。
【０１６１】
205.ユーザ機器は、ローカル同期信号シーケンスを生成する。
【０１６２】
ユーザ機器は、ローカル同期信号シーケンスを生成する。ローカル同期信号シーケンスは、第1のローカル同期信号シーケンスと第2のローカル同期信号シーケンスとを含む。第1のローカル同期信号シーケンスは、第1のmシーケンスに基づいて取得されたシーケンスであり、第2のローカル同期信号シーケンスは、第1のGoldシーケンスに基づいて取得されたシーケンスであり、第1のGoldシーケンスは、第2のmシーケンスと第3のmシーケンスとに基づいて生成され、第1のmシーケンスの生成多項式は、第1のGoldシーケンス内の第2のmシーケンスの生成多項式と同じである。
【０１６３】
第1のローカル同期信号シーケンスは、第1のmシーケンスに基づいて取得されたシーケンスであることに留意すべきである。ユーザ機器は、生成多項式
【０１６４】
【数３７】
2020519201.tif 000039
【０１６５】
に基づいて第1のmシーケンス{c(n)|n=0,1,2,...,N-1}を取得し、多項式の係数の値が0または1であり得、aK=1、a0=1であり、Kが1以上の正の整数であり、0≦i≦Kである。次いで、ユーザ機器は、第1のmシーケンスの初期状態値と漸化式とに基づいて第1のローカル同期信号シーケンス
【０１６６】
【数３８】
2020519201.tif 000040
【０１６７】
を取得し、s(n)が第1のローカル同期信号シーケンスであり、c(n)が第1のmシーケンスである。第1のmシーケンスの異なる初期状態値は、異なる取得されたシーケンスをもたらす。第1のmシーケンスの初期状態値は、本明細書では限定されない。第2の同期信号シーケンスは、第1のGoldシーケンスに基づいて取得されたシーケンスであり、Goldシーケンスは、第2のmシーケンス{f1(n)|n=0,1,2,...,N-1}と第3のmシーケンス{f2(n)|n=0,1,2,...,N-1}とに基づいて生成される。第2のmシーケンスの生成多項式は、
【０１６８】
【数３９】
2020519201.tif 000041
【０１６９】
であり、第3のmシーケンスの生成多項式は、
【０１７０】
【数４０】
2020519201.tif 000042
【０１７１】
であり、bK=1、b0=1、cK=1、c0=1であり、Kが1よりも大きい正の整数であり、0≦i≦Kである。第1のGoldシーケンス、第2のmシーケンス、および第3のmシーケンスは、ym,k(n)=1-2・gm,k(n)、gm,k(n)=((f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)が第1のGoldシーケンスであり、mがシーケンスf1(n)とシーケンスf2(n)との間の相対シフト値である。
【０１７２】
生成多項式がK次の原始多項式であるとき、取得された第1のローカル同期信号シーケンスは、mシーケンスであり、第1の同期信号シーケンスは、Nの長さを有し、N=2K-1であることが理解され得る。例えば、K=7のとき、N=127である。Kは、1よりも大きい整数である。これは、本明細書では特に限定されない。同じ特性を有する他のシーケンスを取得するために、第1のローカル同期信号シーケンスおよび第2のローカル同期信号シーケンスに対して循環シフトが実行され得る。例えば、第1のローカル同期信号シーケンスに対して循環シフトが実行された後に取得されるシーケンスは、第1のローカル同期信号シーケンスの特性と同じ特性を有し、依然としてmシーケンスである。第２のローカル同期信号シーケンスに対して循環シフトが実行された後に取得されるシーケンスは、依然としてGoldシーケンスである。シーケンス{c(n)|n=0,1,2,...,N-1}の循環シフトシーケンスは、{c((n+p)modN)|n=0,1,2,...,N-1}、p=0,1,2,...,N-1を満たし、pが循環シフト値である。代替的には、シーケンス{c(n)|n=0,1,2,...,N-1}の循環シフトシーケンスは、{c((n-p)modN)|n=0,1,2,...,N-1}を満たし、pが、限定はしないが、p=0,1,2,...,N-1を含む循環シフト値である。
【０１７３】
実装形態において、ユーザ機器は、ローカル同期信号シーケンスを生成する。ローカル同期信号シーケンスは、第1のローカル同期信号シーケンスと第2のローカル同期信号シーケンスとを含み、第1のローカル同期信号シーケンスは、第1のGoldシーケンスに基づいて取得されたシーケンスであり、第1のGoldシーケンスは、第1のmシーケンスf1(n)と第2のmシーケンスf2(n)とに基づいて生成されたシーケンスである。第2のローカル同期信号シーケンスは、第2のGoldシーケンスに基づいて取得されたシーケンスであり、第2のGoldシーケンスは、第3のmシーケンスf3(n)と第4のmシーケンスf4(n)とに基づいて生成されたシーケンスである。第1のGoldシーケンス、第1のmシーケンス、および第2のmシーケンスは、ym,k(n)=1-2・gm,k(n)、gm,k(n)=((f1((n+m+k)modN)+f2((n+k)modN))mod2、n=0,1,2,...,N-1、k=0,1,2,...,N-1、m=0,1,2,...,N-1を満たし、ym,k(n)が第1の同期信号シーケンスであり、gm,k(n)が第1のGoldシーケンスであり、第1のmシーケンスと第2のmシーケンスとの間の相対シフト値がm1である。第2のGoldシーケンス、第3のmシーケンス、および第4のmシーケンスは、ym,k(n)=1-2・gm,k(n)、gm,k(n)=((f3((n+m+k)modN)+f4((n+k)modN))mod2を満たし、ym,k(n)が第2の同期信号シーケンスであり、gm,k(n)が第2のGoldシーケンスであり、第3のmシーケンスと第4のmシーケンスとの間の相対シフト値がm2であり、n=0,1,2,...,N-1、k=0,1,2,...,N-1、m=0,1,2,...,N-1であり、kが循環シフト値である。第1のmシーケンスおよび第3のmシーケンスの生成多項式は、同じであり、
【０１７４】
【数４１】
2020519201.tif 000043
【０１７５】
であり、第2のmシーケンスおよび第4のmシーケンスの生成多項式は、同じであり、
【０１７６】
【数４２】
2020519201.tif 000044
【０１７７】
であり、m1≠m2(modN)が満たされる。本発明のすべての実施形態において、m1≠m2(modN)の場合、システムが複数の二次同期信号シーケンスを含むとき、各二次同期信号シーケンスの相対シフト値は、m1≠m2(modN)を満たす。
【０１７８】
206.ユーザ機器は、第1の受信信号と第2の受信信号とを処理する。
【０１７９】
ユーザ機器は、ローカル同期信号シーケンスに基づいて第1の受信信号と第2の受信信号とを処理する。ローカル同期信号は、第1のローカル同期信号と第2のローカル同期信号とを含む。
【０１８０】
受信信号は、第1の受信信号と第2の受信信号とを含み、ユーザ機器は、受信信号に対する相関演算を実行することに留意すべきである。第1の受信信号および第2の受信信号は、同じであり得、例えば、ある時間期間において受信された信号であり得、または、異なる時間期間内に受信された信号であり得る。
【０１８１】
本出願のこの実施形態において、小さい相関値を有し、ネットワークデバイスによって生成される第1の同期信号シーケンスおよび第2の同期信号シーケンス、すなわち、一次同期信号シーケンスおよび二次同期信号シーケンスは、二次同期信号と一次同期信号との間の相互相関を低減する。ユーザ機器がローカルセルにおける一次同期信号を検出するとき、別のセルまたはローカルセルにおける二次同期信号によって一次同期信号に引き起こされる干渉は、低減され得、それによって、異なる中心周波数において一次同期信号を探索するとき、一次同期信号が異なる周波数のために別の同期信号と強く相関しないことを確実にする。
【０１８２】
本発明の実施形態における数学的記号および文字は、本発明に制限を課さないことに留意すべきである。例えば、本発明のこの実施形態では、第1のmシーケンスは、f1(n)によって表され得るか、または、a(n)、a1(n)、もしくはx(n)などの別の関数記号もしくはシーケンス記号を使用することによって表され得る。特定の実装形態プロセスでは、前述のシーケンスは、特定の順序で記憶されるか、または、特定の関係を満たし、それに対して数学的計算または処理が実行されるデータであり得る。
【０１８３】
図4に示すように、一次同期検出が実行されるとき、周波数中心が中心1であり、実際に送信される同期信号の中心位置が中心2であると想定される。一次同期信号によって使用されるGoldシーケンスの相対シフト値および二次同期信号によって使用されるGoldシーケンスの相対シフト値がm1≠m2(modN)を満たす場合、区別するために異なるシフト値kが使用される。検出中、想定される中心が実際に二次同期信号を送信するための中心と異なるとき、周波数領域において重複する部分は、完全に同じである可能性があり、比較的大きい相関値をもたらす。本発明におけるこの解決策によれば、m1≠m2(modN)である。したがって、相関値は、比較的小さく、干渉は、比較的小さい。
【０１８４】
ユーザ機器によって異なる受信信号を処理するプロセスは、異なることが理解され得る。例えば、一次同期信号の検出は、二次同期信号の検出とは異なる。一次同期信号の検出中、受信側デバイスは、生成されたローカル一次同期信号シーケンスおよび受信信号に対して相関演算を実行するために、一次同期信号の中心周波数を想定し、一次同期信号の想定された中心周波数に基づいて受信信号を取得する必要がある。二次同期信号の検出は、一次同期信号が検出されたときに実行される。受信側デバイスは、検出された一次同期信号の中心に基づいて二次同期信号の中心を取得し得る(一次同期信号の中心は通常、二次同期信号の中心と同じである)。一次同期信号の中心の可能な周波数は、f0+n×fRであり、nが整数であり、f0が初期周波数であり、fRがチャネル間隔であり、事前に定義され得る。例えば、チャネル間隔fRは、100kHz、180kHz、300kHzなどであり得る。加えて、fRの値は、周波数帯域(Frequency Band)によって異なり得る。例えば、高周波数の場合、周波数は、3GHz未満の周波数、3GHzから6GHzの周波数、および6GHzから52.6GHzの周波数が異なるチャネル間隔値に対応し得る。
【０１８５】
複数、例えば、3つの一次同期信号シーケンスが存在し得る。ネットワークデバイスは、セル識別子に基づいて一次同期信号シーケンスのうちの1つを使用することを決定する。実装形態において、3つの一次同期信号シーケンスが存在し、一次同期信号シーケンスのうちの2つが2つのmシーケンスに基づいて取得され得、他の一次同期信号シーケンスがGoldシーケンスに基づいて取得され得ることが想定される。2つのmシーケンスの生成多項式は、二次同期信号を生成するためのGoldシーケンスに関する2つのmシーケンスの生成多項式と同じである。一次同期信号に関するGoldシーケンスに関する2つのmシーケンスの生成多項式は、二次同期信号を生成するためのGoldシーケンスに関する2つのmシーケンスの多項式と同じである。すなわち、mシーケンスは、Goldシーケンスと同じグループに属する。複数の二次同期信号も存在し得る。異なるGoldシーケンスは、相対シフト値および循環値の変化によって生成され、異なるGoldシーケンスは、セル識別情報を搬送し得る。
【０１８６】
一次同期信号シーケンスは、Nの長さを有し、一次同期信号シーケンスを生成するためのmシーケンスの3つの循環シフト値は、{0,a0,a1}であり、N>a1>a0>0である。b0=a0、b1=a1-a0、およびb2=N-a1であると想定される。一次同期信号は、Δfのサブキャリア間隔を有し、a0、a1、fRは、i=0,1,2のすべての値が(bi×Δf)mod fR>ΔfおよびfR-(bi×Δf)mod fR>Δfを満たすように選択される。異なる周波数帯域について、Δfは、異なり得る。しかしながら、各周波数帯域は、一意であり得る。すなわち、各周波数帯域は、1つの値のみを有する。異なる周波数帯域における同期信号のシーケンスは、同じ長さを有し得る。
【０１８７】
例えば、N=127、Δf=15KHz、a0=43、a1=86、およびfR=100KHzが想定される。この場合、b0=43、b1=43、b2=41である。したがって、b2×Δf mod fR=15KHzは、(b2×Δf)mod fR>Δfを満たさない。このようにして、受信側デバイスの周波数と送信側デバイスの周波数との間の偏差が1サブキャリアよりも大きい場合、受信側デバイスが、一次同期信号の中心周波数を想定し、想定された中心周波数に基づいて一次同期信号を探索するとき、中心周波数によって引き起こされる周波数オフセットのために、想定される同期信号、およびb0の循環シフトを有する一次同期信号は、約127-b0=127-42=85の重複するサブキャリアを有する可能性がある。中心周波数が正しくない場合でも、比較的大きい相関値が存在し、受信側デバイスの劣化した受信性能をもたらす。a0=42、a1=84、およびfR=100KHzが選択された場合、b0=42、b1=42、およびb2=43である。(bi×Δf)mod fR=30KHz、30KHz、45KHzは、それぞれ、i=0,1,2に対応する。
【０１８８】
fR-(bi×Δf)mod fR=70KHz、70KHz、25KHzは、それぞれ、i=0,1,2に対応する。Δfよりも大きいという特性が満たされる。
【０１８９】
別の例では、fR=180KHz、a0=43、a1=86、およびΔf=30KHzの場合、Δf=30KHz、b0=43、b1=43、およびb2=41である。
【０１９０】
(bi×Δf)mod fR=30KHz、30KHz、50KHzは、それぞれ、i=0,1,2に対応する。
【０１９１】
fR-(bi×Δf)mod fR=150KHz、150KHz、30KHzは、それぞれ、i=0,1,2に対応する。Δfよりも大きいという特性が満たされる。
【０１９２】
fR=300KHz、a0=42、およびa1=84の場合、b0=42、b1=42、b2=43、およびΔf=30KHzである。
【０１９３】
(bi×Δf)mod fR=60KHz、60KHz、90KHzは、それぞれ、i=0,1,2に対応する。
【０１９４】
fR-(bi×Δf)mod fR=240KHz、240KHz、210KHzは、それぞれ、i=0,1,2に対応する。Δfよりも大きいという特性が満たされる。
【０１９５】
さらに、各周波数帯域について、選択されたa0、a1、およびfRのすべては、(bi×Δf)mod fR>ΔfおよびfR-(bi×Δf)mod fR>Δfを満たし、Δfが周波数帯域における一次同期信号のサブキャリア間隔である。一次同期信号の検出中、特徴を満たし、その循環シフト値が0、a0、およびa1であるmシーケンスに基づいて生成された一次同期信号シーケンスを送信または受信するための方法またはデバイスは、同期チャネルの中心周波数の検出によって引き起こされる干渉を低減し得る。
【０１９６】
図5を参照して、本出願の実施形態において提供される同期信号送信方法の別の実施形態について説明する。
【０１９７】
501.ネットワークデバイスが第1の同期信号と第2の同期信号とを生成する。
【０１９８】
ネットワークデバイスは、第1の同期信号シーケンスと第2の同期信号シーケンスとを生成する。第2の同期信号シーケンスは、第1のmシーケンスと第2のmシーケンスとに基づいて取得されたシーケンスである。第2の同期信号シーケンスの第1のmシーケンスと第2のmシーケンスとの間の相対シフト値が取得され、mであり、循環シフト値がpであり、pの値範囲が、第1の同期信号シーケンスに強く相関する循環シフト値kを含まない。第1のmシーケンスおよび第2のmシーケンスは、各々、Nの長さを有する。
【０１９９】
第2の同期信号シーケンスは、第1のmシーケンスおよび第2のmシーケンスに対してモジュロ2加算演算を実行することによって取得されたシーケンスであることに留意すべきである。すなわち、第2の同期信号シーケンスは、モジュロ2加算演算によって第1のmシーケンス{f1(n)|n=0,1,2,...,N-1}と第2のmシーケンス{f2(n)|n=0,1,2,...,N-1}とに基づいて生成される。第1のmシーケンスの生成多項式は、
【０２００】
【数４３】
2020519201.tif 000045
【０２０１】
であり、第2のmシーケンスの生成多項式は、
【０２０２】
【数４４】
2020519201.tif 000046
【０２０３】
であり、aK=1、a0=1、bK=1、b0=1、Kが1以上の正の整数、0≦i≦Kである。第2の同期信号シーケンスは、Goldシーケンスに基づいて取得され得、または、Goldシーケンスに基づいて取得されなくてもよい。第2の同期信号シーケンス、第1のmシーケンス、および第2のmシーケンスは、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たし、ym,k(n)が第2の同期信号シーケンスであり、gm,k(n)がGoldシーケンスであり、f1(n)およびf2(n)がmシーケンスであり、mがシーケンスf1(n)とシーケンスf2(n)との間の相対シフト値である。f1(n)およびf2(n)が好ましいmシーケンス対であるとき、gm,k(n)は、Goldシーケンスである。
【０２０４】
2つの同期信号間の強い相関を回避するために、第2の同期信号シーケンスにおけるmシーケンスのために使用される循環シフト値pは、第1の同期信号との最大相関値を有するシーケンスに対応する循環シフト値kを含まないことが理解され得る。同じ長さを有する2つのシーケンス間の相関値は、同じ位置における要素の共役の積の合計の絶対値として定義される。例えば、K=7およびN=127のとき、127の相対シフト値のうちの任意の1つについて、m=0,1,2,...,126である。第2の同期信号シーケンスが回避する必要がある循環シフト値kは、{20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20}である。
【０２０５】
502.ネットワークデバイスは、第1の同期信号と第2の同期信号とを取得する。
【０２０６】
ネットワークデバイスは、第1の同期信号を取得するために第1の時間単位において第1の同期信号シーケンスをNのサブキャリアにマッピングし、第2の同期信号を取得するために第2の時間単位において第2の同期信号シーケンスをNのサブキャリアにマッピングし、Nは、1以上の正の整数である。
【０２０７】
ネットワークデバイスによって取得される第1の同期信号および第2の同期信号は、mシーケンスに対して変調および変換が実行された後に取得されるシーケンスであり得、または、式に従って直接生成され得る。第1の同期信号は、s(n)=1-2・c(n)、n=0,1,...,N-1を満たし、Nが1よりも大きい正の整数であり、s(n)が第1の同期信号シーケンスであり、c(n)が第1のmシーケンスであり、第2の同期信号は、第1の同期信号と同様であり、詳細について本明細書では再び説明しない。
【０２０８】
M=NまたはM=N-1である。M=Nのとき、同期信号シーケンス内のNの要素がNのサブキャリアにマッピングされる。M=N-1のとき、同期信号シーケンス内の中心要素以外の要素がN-1のサブキャリアにマッピングされる。同期信号のシーケンス内の中心要素は、周波数領域において同期信号の中心サブキャリアにマッピングされる場合があり、または送信されない場合がある。これは、本発明において限定されない。
【０２０９】
ネットワークデバイスは、変調および変換された同期信号シーケンスを取得するために、バイナリ位相シフトキーイング(binary phase shift keying、BPSK)を介してmシーケンスを変調し得ることが理解され得る。ネットワークデバイスは、代替的には、別の変調方式を使用することによって同期信号シーケンスを変調し得る。これは、本発明において特に限定されない。
【０２１０】
503.ネットワークデバイスは、第1の同期信号と第2の同期信号とを送信する。
【０２１１】
ネットワークデバイスは、第1の同期信号シーケンスを搬送するサブキャリア上で第1の同期信号を送信し、第2の同期信号シーケンスを搬送するサブキャリア上で第2の同期信号を送信する。
【０２１２】
504.ユーザ機器は、第1の受信信号と第2の受信信号とを受信する。
【０２１３】
ユーザ機器は、受信された信号に対してスクリーニングを実行し、信号品質要件を満たす第1の受信信号および第2の受信信号を受信することを選択する。
【０２１４】
本出願のこの実施形態において、ユーザ機器が同期信号を送信するステップ503およびステップ504は、図2におけるステップ203およびステップ204と同様であり、詳細について本明細書では再び説明しない。
【０２１５】
505.ユーザ機器は、ローカル同期信号シーケンスを生成する。
【０２１６】
ユーザ機器は、ローカル同期信号シーケンスを生成する。ローカル同期信号シーケンスは、第1のローカル同期信号シーケンスと第2のローカル同期信号シーケンスとを含む。第2のローカル同期信号シーケンスは、第1のmシーケンスと第2のmシーケンスとに基づいて取得されたシーケンスである。第2のローカル同期信号シーケンスの第1のmシーケンスと第2のmシーケンスとの間の相対シフト値は、取得され、mである。循環シフト値は、pであり、pの値範囲は、第1の同期信号シーケンスに強く相関する循環シフト値kを含まない。
【０２１７】
第2のローカル同期信号シーケンスは、Goldシーケンスに基づいて取得され得ることが理解され得る。Goldシーケンスは、第1のmシーケンスf1(n)と第2のmシーケンスf2(n)とに基づいて生成されたシーケンスである。第2のローカル同期信号シーケンスは、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,...,N-1を満たす。
【０２１８】
506.ユーザ機器は、第1の受信信号と第2の受信信号とを処理する。
【０２１９】
ユーザ機器は、ローカル同期信号シーケンスに基づいて第1の受信信号と第2の受信信号とを処理する。ローカル同期信号は、第1のローカル同期信号と第2のローカル同期信号とを含む。
【０２２０】
受信信号は、第1の受信信号と第2の受信信号とを含み、ユーザ機器は、受信信号に対する相関演算を実行することに留意すべきである。
【０２２１】
本出願のこの実施形態において、小さい相関値を有し、ネットワークデバイスによって生成される第1の同期信号シーケンスおよび第2の同期信号シーケンス、すなわち、一次同期信号シーケンスおよび二次同期信号シーケンスは、二次同期信号と一次同期信号との間の相互相関を低減する。このようにして、ユーザ機器がローカルセルにおける一次同期信号を検出するとき、別のセルまたはローカルセルにおける二次同期信号によって一次同期信号に引き起こされる干渉は、低減され得る。
【０２２２】
図6を参照すると、本出願の実施形態におけるネットワークデバイスの実施形態は、
第1の同期信号シーケンスと第2の同期信号シーケンスとを生成するように構成された生成ユニット601であって、第1の同期信号シーケンスが第1のmシーケンスに基づいて取得されたシーケンスであり、第2の同期信号シーケンスが第1のGoldシーケンスに基づいて取得されたシーケンスである。第1のGoldシーケンスは、第1のmシーケンスと第3のmシーケンスとに基づいて生成され、第1のmの生成多項式が第2のmシーケンスの生成多項式と同じであり、第1のmシーケンス、第2のmシーケンス、および第3のmシーケンスが、各々、Nの長さを有する、生成ユニット601と、
第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングしするマッピングユニット602であって、MおよびNが1よりも大きい正の整数である、マッピングユニット602と、
第1の同期信号と第2の同期信号とを送信するように構成された送信ユニット603
とを含む。
【０２２３】
本発明のこの実施形態は、同期信号を生成するための方法を提供する。同期信号は、第1の同期信号と第2の同期信号とを含み得る。第1の同期信号および第2の同期信号は、本出願の実施形態において言及した第1の同期信号および第2の同期信号であり得る。例えば、第1の同期信号は、一次同期信号であり得、第2の同期信号は、二次同期信号であり得る。第1の同期信号は、第1の同期信号シーケンスに基づいて生成される。第2の同期信号は、第2の同期信号シーケンスに基づいて生成される。
【０２２４】
可能な実装形態では、第1の同期信号シーケンスs(n)は、s(n)=1-2・c(n)、n=0,1,2,...,N-1を満たし、c(n)が第1のmシーケンスである。第1のmシーケンス{c(n)|n=0,1,2,...,N-1}の生成多項式は、
【０２２５】
【数４５】
2020519201.tif 000047
【０２２６】
であり、aK=1、a0=1、Kが1以上の正の整数であり、0≦i≦Kである。
【０２２７】
【数４６】
2020519201.tif 000048
【０２２８】
である。第1のmシーケンスc(n)の生成多項式は、g(x)=x7+x4+1である。漸化式は、c(n+7)=(c(n+4)+c(n))mod2である。
【０２２９】
可能な実装形態では、第2の同期信号シーケンスym,k(n)は、ym,k(n)=1-2・gm,k(n)、n=0,1,2,...,N-1を満たし、gm,k(n)が、第2のmシーケンス{f1(n)|n=0,1,2,..,N-1}と第3のmシーケンス{f2(n)|n=0,1,2,...,N-1}とに基づいて取得されたシーケンスである。例えば、gm,k(n)は、Goldシーケンスであり得る。第2のmシーケンスの生成多項式は、
【０２３０】
【数４７】
2020519201.tif 000049
【０２３１】
であり、第3のmシーケンスの生成多項式は、
【０２３２】
【数４８】
2020519201.tif 000050
【０２３３】
であり、bK=1、b0=1、cK=1、c0=1であり、Kが1以上の正の整数であり、0≦i≦Kである。gm,k(n)=(f1((n+m+k)modN)+f2((n+k)modN))mod2、n=0,1,2,...,N-1、k=0,1,2,...,N-1、m=0,1,2,...,N-1であり、mがシーケンスf1(n)とシーケンスf2(n)との間の相対シフト値であり、kが循環シフト値である。
【０２３４】
別の可能な実装形態では、第2の同期信号シーケンスym,k(n)は、ym,k(n)=x1((n+m+k)modN)・x2((n+k)modN) (式1)を満たし、
x1(n)=1-2・f1(n) (式2)、
x2(n)=1-2・f2(n) (式3)、および
n=0,1,...,N-1、k=0,1,2,...,N-1、m=0,1,2,...,N-1であり、f1(n)が第2のmシーケンスであり、f2(n)が第3のmシーケンスである。
【０２３５】
ym,k(n)=[1-2・f1(n+m+k)modN]・[1-2・f2(n+k)modN] (式4)
を取得するために、式2および式3は、式1に代入され得ることが理解され得る。
【０２３６】
簡単にするために、m+kは、K1と見なされ得、すなわち、K1=m+kと見なされ得る。この場合、式4は、
ym,k(n)=[1-2・f1(n+k1)modN]・[1-2・f2(n+k)modN] (式5)
としても表され得、
n=0,1,...,N-1、k=0,1,2,...,N-1、およびk1=0,1,2,...,2(N-1)であり、すなわち、nがN-1以下の整数であり、kがN-1以下の整数であり、k1が2(N-1)以下の整数である。
【０２３７】
可能な実装形態では、第1のmシーケンス{c(n)|n=0,1,2,...,N-1}の生成多項式は、第2のmシーケンスf1(n)の生成多項式と同じである。例えば、第1のmシーケンスの生成多項式は、g(x)=x7+x4+1であり、漸化式は、c(n+7)=(c(n+4)+c(n))mod2であり、第2のmシーケンスの生成多項式は、g(x)=x7+x4+1であり、漸化式は、f1(n+7)=(f1(n+4)+f1(n))mod2である。
【０２３８】
この実施形態において取得される第1の同期信号シーケンスおよび第2の同期信号シーケンスは、小さい相関値を有する。すなわち、一次同期信号シーケンスおよび二次同期信号シーケンスは、小さい相関値を有する。したがって、二次同期信号と一次同期信号との間の相互相関は、低減され得、それによって、別のセルまたはローカルセルにおける二次同期信号によって一次同期信号に引き起こされる干渉を低減する。
【０２３９】
図7を参照すると、本出願の実施形態におけるユーザ機器の別の実施形態は、受信ユニット701と、生成ユニット702と、処理ユニット703とを含む。
第1の受信信号と第2の受信信号とを受信するように構成された受信ユニット701。
ローカル同期信号シーケンスを生成するように構成された生成ユニット702であって、ローカル同期信号シーケンスが第1のローカル同期信号シーケンスと第2のローカル同期信号シーケンスとを含む。第1のローカル同期信号シーケンスは、第1のmシーケンスに基づいて取得されたシーケンスである。第2のローカル同期信号シーケンスは、第1のGoldシーケンスに基づいて取得されたシーケンスであり、第のGoldシーケンスは、第2のmシーケンスと第3のmシーケンスとに基づいて生成され、第1のmシーケンスの生成多項式は、第2のmシーケンスの生成多項式と同じであり、第1のmシーケンス、第2のmシーケンス、および第3のmシーケンスは、各々、Nの長さを有し、Nが1よりも大きい正の整数である。
ローカル同期信号シーケンスに基づいて第1の受信信号と第2の受信信号とを処理するように構成された処理ユニット703。
【０２４０】
オプションで、処理ユニット703は、
第1のローカル同期信号シーケンスに基づいて第1の受信信号に対して相関処理を実行するように構成された第1の処理サブユニット7031と、
第2のローカル同期信号シーケンスに基づいて第2の受信信号に対して相関処理を実行するように構成された第2の処理サブユニット7032と
をさらに含み得る。
【０２４１】
オプションで、第1の処理サブユニット7031は、具体的には、第1のローカル同期信号シーケンスに基づいて第1の受信信号に対して相関処理を実行するように構成され得、第1のローカル同期信号シーケンスは、第1のmシーケンスに基づいて取得されたシーケンスである。第1のローカル同期信号シーケンスs(n)は、s(n)=1-2・c(n)、n=0,1,2,...,N-1を満たし、c(n)が第1のmシーケンスである。第1のmシーケンス{c(n)|n=0,1,2,...,N-1}の生成多項式は、
【０２４２】
【数４９】
2020519201.tif 000051
【０２４３】
であり、aK=1、a0=1であり、Kが1以上の正の整数であり、0≦i≦Kである。
【０２４４】
【数５０】
2020519201.tif 000052
【０２４５】
である。第1のmシーケンスc(n)の生成多項式は、g(x)=x7+x4+1である。漸化式は、c(n+7)=(c(n+4)+c(n))mod2である。
【０２４６】
オプションで、第1のローカル同期信号シーケンスは、代替的には、前述の実施形態における第1の同期信号シーケンスを生成する方法において生成され得る。詳細については、前述の実施形態における関連する説明を参照されたい。詳細について、ここでは再び説明しない。
【０２４７】
オプションで、第2の処理サブユニット7032は、具体的には、第2のローカル同期信号シーケンスに基づいて第2の受信信号に対して相関処理を実行するように構成され得る。
【０２４８】
実装形態において、第2のローカル同期信号シーケンスは、第1のGoldシーケンスに基づいて取得されたシーケンスである。第1のGoldシーケンスは、第2のmシーケンス{f1(n)|n=0,1,2,...,N-1}と第3のmシーケンス{f2(n)|n=0,1,2,...,N-1}とに基づいて生成される。第2のmシーケンスの生成多項式は、
【０２４９】
【数５１】
2020519201.tif 000053
【０２５０】
であり、第3のmシーケンスの生成多項式は、
【０２５１】
【数５２】
2020519201.tif 000054
【０２５２】
であり、bK=1、b0=1、cK=1、c0=1であり、Kが1以上の正の整数であり、0≦i≦Kである。第1のGoldシーケンス、第2のmシーケンス、および第3のmシーケンスは、ym,k(n)=1-2・gm,k(n)、gm,k(n)=(f1((n+m+k)modN)+f2((n+k)modN))mod2、n=0,1,2,...,N-1、k=0,1,2,...,N-1、m=0,1,2,..,N-1を満たし、ym,k(n)が第2の同期信号シーケンスであり、gm,k(n)が第1のGoldシーケンスであり、mがシーケンスf1(n)とシーケンスf2(n)との間の相対シフト値であり、kが循環シフト値である。
【０２５３】
別の実装形態では、第2のローカル同期信号シーケンスym,k(n)は、
ym,k(n)=x1((n+m+k)modN)・x2((n+k)modNを満たし、x1(n)=1-2・f1(n)、x2(n)=1-2・f2(n)、n=0,1,...,N-1、k=0,1,2,...,N-1、m=0,1,2,...,N-1であり、f1(n)が第2のmシーケンスであり、f2(n)が第3のmシーケンスである。
【０２５４】
ym,k(n)は、
ym,k(n)=[1-2・f1(n+m+k)modN]・[1-2・f2(n+k)modN]としても表され得る。
【０２５５】
簡単にするために、m+kは、K1と見なされ得、すなわち、K1=m+kと見なされ得る。この場合、ym,k(n)は、
ym,k(n)=[1-2・f1(n+k1)modN]・[1-2・f2(n+k)modN] (式5)
としても表され得、
n=0,1,...,N-1、k=0,1,2,...,N-1、k1=0,1,2,...,2(N-1)であり、すなわち、nがN-1以下の整数であり、kがN-1以下の整数であり、k1が2(N-1)以下の整数である。
【０２５６】
可能な実装形態では、第1のmシーケンス{c(n)|n=0,1,2,...,N-1}の生成多項式は、第2のmシーケンスf1(n)の生成多項式と同じである。例えば、第1のmシーケンスの生成多項式は、g(x)=x7+x4+1であり、漸化式は、c(n+7)=(c(n+4)+c(n))mod2であり、第2のmシーケンスの生成多項式は、g(x)=x7+x4+1であり、漸化式は、f1(n+7)=(f1(n+4)+f1(n))mod2である。
【０２５７】
オプションで、第2のローカル同期信号シーケンスは、代替的には、前述の実施形態における第1の同期信号シーケンスを生成する方法において生成され得る。詳細については、前述の実施形態における関連する説明を参照されたい。詳細について、ここでは再び説明しない。
【０２５８】
本出願のこの実施形態において、ユーザ機器は、小さい相関値を有する生成された第1のローカル同期信号シーケンスと第2のローカル同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【０２５９】
図8を参照すると、本出願の実施形態におけるネットワークデバイスの別の実施形態は、生成ユニット801と、マッピングユニット802と、送信ユニット803とを含む。
第1の同期信号シーケンスと第2の同期信号シーケンスとを生成するように構成された生成ユニット801であって、第1の同期信号シーケンスは、第1のGoldシーケンスに基づいて取得されたシーケンスである。第1のGoldシーケンスは、第1のmシーケンスと第2のmシーケンスとに基づいて生成されたシーケンスである。第2の同期信号シーケンスは、第2のGoldシーケンスに基づいて取得されたシーケンスである。第2のGoldシーケンスは、第3のmシーケンスと第4のmシーケンスとに基づいて生成されたシーケンスであり、第1のmシーケンスおよび第3のmシーケンスの生成多項式は、同じであり、第2のmシーケンスおよび第4のmシーケンスの生成多項式は、同じである。第1のmシーケンスと第2のmシーケンスとの間の相対シフト値は、m1であり、第3のmシーケンスと第4のmシーケンスとの間の相対シフト値は、m2であり、m1≠m2(modN)であり、第1のmシーケンス、第2のmシーケンス、第3のmシーケンス、および第4のmシーケンスは、各々、Nの長さを有する。
第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングし、MおよびNが1よりも大きい正の整数であるように構成されたマッピングユニット802。
第1の同期信号と第2の同期信号とを送信するように構成された送信ユニット803。
【０２６０】
オプションで、第1の同期信号シーケンスは、第1のGoldシーケンスに基づいて取得されたシーケンスであり、第1のGoldシーケンスは、第1のmシーケンスf1(n)と第2のmシーケンスf2(n)とに基づいて生成されたシーケンスである。第2の同期信号シーケンスは、第2のGoldシーケンスに基づいて取得されたシーケンスであり、第2のGoldシーケンスは、第3のmシーケンスf3(n)と第4のmシーケンスf4(n)とに基づいて生成されたシーケンスであり、第1のGoldシーケンス、第1のmシーケンス、および第2のmシーケンスは、ym,k(n)=1-2・gm,k(n)、gm,k(n)=(f1((n+m+k)modN)+f2((n+k)modN))mod2を満たし、ym,k(n)が第1の同期信号シーケンスであり、gm,k(n)が第1のGoldシーケンスであり、第1のmシーケンスと第2のmシーケンスとの間の相対シフト値がm1である。第2のGoldシーケンス、第3のmシーケンス、および第4のmシーケンスは、ym,k(n)=1-2・gm,k(n)、gm,k(n)=(f3((n+m+k)modN)+f4((n+k)modN))mod2を満たし、ym,k(n)が第2の同期信号シーケンスであり、gm,k(n)が第2のGoldシーケンスであり、第3のmシーケンスと第4のmシーケンスとの間の相対シフト値がm2であり、n=0,1,2,...,N-1、k=0,1,2,...,N-1、m=0,1,2,...,N-1であり、kが循環シフト値である。第1のmシーケンスおよび第3のmシーケンスの生成多項式は、同じであり、
【０２６１】
【数５３】
2020519201.tif 000055
【０２６２】
であり、第2のmシーケンスおよび第4のmシーケンスの生成多項式は、同じであり、
【０２６３】
【数５４】
2020519201.tif 000056
【０２６４】
であり、m1≠m2(modN)が満たされる。
【０２６５】
オプションで、第1の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1の同期信号シーケンスであり、f1(n)が第1のmシーケンスであり、f2(n)が第2のmシーケンスである。
【０２６６】
この実施形態における第1の同期信号シーケンスおよび第2の同期信号シーケンスが前述の実施形態を参照して説明したシーケンスであり得ることに留意すべきである。
【０２６７】
例えば、第1の同期信号シーケンスs(n)は、s(n)=1-2・c(n)、n=0,1,2,...,N-1を満たし、c(n)が第1のmシーケンスである。第1のmシーケンス{c(n)|n=0,1,2,...,N-1}の生成多項式が
【０２６８】
【数５５】
2020519201.tif 000057
【０２６９】
であり、aK=1、a0=1であり、Kが1以上の正の整数であり、0≦i≦Kである。
【０２７０】
【数５６】
2020519201.tif 000058
【０２７１】
である。
【０２７２】
別の例では、第2の同期信号シーケンスym,k(n)は、ym,k(n)=x1((n+m+k)modN)・x2((n+k)modN)を満たし、x1(n)=1-2・f1(n)、x2(n)=1-2・f2(n)、n=0,1,...,N-1、k=0,1,2,...,N-1、m=0,1,2,...,N-1であり、f1(n)が第2のmシーケンスであり、f2(n)が第3のmシーケンスである。ym,k(n)は、ym,k(n)=[1-2・f1(n+m+k)modN]・[1-2・f2(n+k)modN]としても表され得る。簡単にするために、m+kは、K1と見なされ得、すなわち、K1=m+kと見なされ得る。この場合、ym,k(n)は、
ym,k(n)=[1-2・f1(n+k1)modN]・[1-2・f2(n+k)modN]
としても表され得、n=0,1,...,N-1、k=0,1,2,...,N-1、k1=0,1,2,...,2(N-1)であり、すなわち、nがN-1以下の整数であり、kがN-1以下の整数であり、k1が2(N-1)以下の整数である。
【０２７３】
本出願のこの実施形態では、ネットワークデバイスは、二次同期信号と一次同期信号との間の相互相関を低減するために、小さい相関値を有する第1の同期信号シーケンスおよび第2の同期信号シーケンス、すなわち、一次同期信号シーケンスおよび二次同期信号シーケンスを生成し、それによって、別のセルまたはローカルセルにおける二次同期信号によって一次同期信号に引き起こされる干渉を低減する。
【０２７４】
図9を参照すると、本出願の実施形態におけるユーザ機器の別の実施形態は、受信ユニット901と生成ユニット902と、処理ユニット903とを含む。
受信ユニット901は、第1の受信信号と第2の受信信号とを受信するように構成される。
生成ユニット902は、ローカル同期信号シーケンスを生成するように構成され、ローカル同期信号シーケンスは、第1のローカル同期信号シーケンスと第2のローカル同期信号シーケンスとを含む。第1のローカル同期信号シーケンスは、第1のGoldシーケンスに基づいて取得されたシーケンスである。第1のGoldシーケンスは、第1のmシーケンスと第2のmシーケンスとに基づいて生成されたシーケンスである。第2のローカル同期信号シーケンスは、第2のGoldシーケンスに基づいて取得されたシーケンスである。第2のGoldシーケンスは、第3のmシーケンスと第4のmシーケンスとに基づいて生成されたシーケンスである。第1のmシーケンスおよび第3のmシーケンスの生成多項式は、同じである。第2のmシーケンスおよび第4のmシーケンスの生成多項式は、同じである。第1のmシーケンスと第2のmシーケンスとの間の相対シフト値は、m1であり、第3のmシーケンスと第4のmシーケンスとの間の相対シフト値は、m2であり、m1≠m2(modN)である。第1のmシーケンス、第2のmシーケンス、第3のmシーケンス、および第4のmシーケンスは、各々、Nの長さを有し、Nは、1よりも大きい正の整数である。
処理ユニット903は、ローカル同期信号シーケンスに基づいて第1の受信信号と第2の受信信号とを処理するように構成される。
【０２７５】
オプションで、第1のローカル同期信号シーケンスは、第1のGoldシーケンスに基づいて取得されたシーケンスであり、第1のGoldシーケンスは、第1のmシーケンスf1(n)と第2のmシーケンスf2(n)とに基づいて生成されたシーケンスである。第2のローカル同期信号シーケンスは、第2のGoldシーケンスに基づいて取得されたシーケンスである。第2のGoldシーケンスは、第3のmシーケンスf3(n)と第4のmシーケンスf4(n)とに基づいて生成されたシーケンスであり、第1のGoldシーケンス、第1のmシーケンス、および第2のmシーケンスは、ym,k(n)=1-2・gm,k(n)、gm,k(n)=(f1((n+m+k)modN)+f2((n+k)modN))mod2を満たし、ym,k(n)が第1の同期信号シーケンスであり、gm,k(n)が第1のGoldシーケンスであり、第1のmシーケンスと第2のmシーケンスとの間の相対シフト値がm1である。第2のGoldシーケンス、第3のmシーケンス、および第4のmシーケンスは、ym,k(n)=1-2・gm,k(n)、gm,k(n)=(f3((n+m+k)modN)+f4((n+k)modN))mod2を満たし、ym,k(n)が第2の同期信号シーケンスであり、gm,k(n)が第2のGoldシーケンスであり、第3のmシーケンスと第4のmシーケンスとの間の相対シフト値がm2であり、n=0,1,2,...,N-1、k=0,1,2,...,N-1、m=0,1,2,...,N-1であり、kが循環シフト値である。第1のmシーケンスおよび第3のmシーケンスの生成多項式は、同じであり、
【０２７６】
【数５７】
2020519201.tif 000059
【０２７７】
であり、第2のmシーケンスおよび第4のmシーケンスの生成多項式は、同じであり、
【０２７８】
【数５８】
2020519201.tif 000060
【０２７９】
であり、m1≠m2(modN)が満たされる。
【０２８０】
この実施形態における第1のローカル同期信号シーケンス、第2のローカル同期信号シーケンス、第1のmシーケンス、第2のmシーケンス、第3のmシーケンスなどについて、前述の実施形態における関連する説明を参照することが理解され得る。
【０２８１】
本出願のこの実施形態において、ユーザ機器は、小さい相関値を有する生成された第1の同期信号シーケンスと第2の同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【０２８２】
図10を参照すると、本出願の実施形態におけるネットワークデバイスの別の実施形態は、
第1の同期信号シーケンスと第2の同期信号シーケンスとを生成するように構成された生成ユニット1001を含み、第2の同期信号シーケンスは、第1のmシーケンスと第2のmシーケンスとに基づいて取得されたシーケンスである。第1のmシーケンスと第2のmシーケンスとの間の相対シフト値は、mであり、循環シフト値は、pであり、pの値範囲は、第1の同期信号シーケンスに強く相関する循環シフト値kを含まず、第1のmシーケンスおよび第2のmシーケンスは、各々、Nの長さを有する。第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングするように構成されたマッピングユニット1002であって、MおよびNは、1よりも大きい正の整数である。第1の同期信号と第2の同期信号とを送信するように構成された送信ユニット1003。
【０２８３】
本出願のこの実施形態において、ネットワークデバイスは、二次同期信号と一次同期信号との間の相互相関を低減するために、小さい相関値を有する第1の同期信号シーケンスと第2の同期信号シーケンス、すなわち、一次同期信号シーケンスと二次同期信号シーケンスとを生成し、それによって、別のセルまたはローカルセルにおいて二次同期信号によって一次同期信号に引き起こされる干渉を低減する。
【０２８４】
図11を参照すると、本出願の実施形態におけるユーザ機器の別の実施形態は、受信ユニット1101と、生成ユニット1102と、処理ユニット1103とを含む。
第1の受信信号と第2の受信信号とを受信するように構成された受信ユニット1101。ローカル同期信号シーケンスを生成するように構成された生成ユニット1102であって、ローカル同期信号シーケンスは、第1のローカル同期信号シーケンスと第2のローカル同期信号シーケンスとを含む。第2のローカル同期信号シーケンスは、第1のmシーケンスと第2のmシーケンスとに基づいて取得されたシーケンスである。第1のmシーケンスと第2のmシーケンスとの間の相対シフト値は、mであり、循環シフト値は、pであり、pの値範囲は、第1の同期信号シーケンスに強く相関する循環シフト値kを含まず、第1のmシーケンスおよび第2のmシーケンスは、各々、Nの長さを有し、Nは、1よりも大きい正の整数である。ローカル同期信号シーケンスに基づいて第1の受信信号と第2の受信信号とを処理するように構成された処理ユニット1103。
【０２８５】
この実施形態における第1のローカル同期信号シーケンス、第2のローカル同期信号シーケンスなどについて、前述の実施形態における関連する説明を参照することが理解され得る。
【０２８６】
本出願のこの実施形態において、ユーザ機器は、小さい相関値を有する生成された第1のローカル同期信号シーケンスと第2のローカル同期信号シーケンスとを使用することによって、第1の受信信号と第2の受信信号とをそれぞれ処理し、すなわち、ユーザ機器は、ローカル二次同期信号およびローカル一次同期信号の誤検出の可能性を低減するために、ローカル一次同期信号シーケンスとローカル二次同期信号シーケンスとを使用することによって、第1の受信信号と第2の受信信号とをそれぞれ処理し、それによって、第1の受信信号と第2の受信信号とを検出する性能を改善する。
【０２８７】
本発明のすべての実施形態において、第1の同期信号は、一次同期信号であり、第2の同期信号は、二次同期信号である。第1のローカル同期信号は、ローカル一次同期信号であり、第2のローカル同期信号は、ローカル二次同期信号である。一次同期信号は、基本時間および周波数同期、またはチャネル中心を決定するために使用される。二次同期信号は、セル識別情報を決定するために使用される。
【０２８８】
図6から図11は、本出願の実施形態におけるネットワークデバイスおよびユーザ機器について、モジュール式機能エンティティの観点から詳細に説明し、以下は、本出願の実施形態におけるネットワークデバイスおよびユーザ機器について、ハードウェア処理の観点から詳細に説明する。
【０２８９】
図12aは、本出願の実施形態によるユーザ機器の概略構造図である。図12aを参照すると、統合ユニットが使用されるとき、図12aは、前述の実施形態におけるユーザ機器の可能な概略構造図である。ユーザ機器1200は、処理ユニット1202と通信ユニット1203とを含む。処理ユニット1202は、ユーザ機器のアクションを制御および管理するように構成される。例えば、処理ユニット1202は、図2におけるステップ201とステップ202とを実行する際にユーザ機器をサポートするように構成され、および/または、本明細書において説明する技術における別の処理を実行するように構成される。通信ユニット1203は、別のネットワークエンティティと通信する際にユーザ機器をサポートするように構成される。ユーザ機器は、ユーザ機器のプログラムコードとデータとを記憶するように構成された記憶ユニット1201をさらに含み得る。オプションで、記憶ユニット1201は、前述の実施形態において言及した様々なmシーケンス、同期信号シーケンス、同期信号、生成多項式、または漸化式、同期信号または同期信号シーケンスを生成するために使用されるパラメータなどを記憶し得る。
【０２９０】
処理ユニット1202は、プロセッサまたはコントローラであり得、例えば、中央処理装置(central processing unit、CPU)、汎用プロセッサ、デジタル信号プロセッサ(digital signal processor、DSP)、特定用途向け集積回路(application-specific integrated circuit、ASIC)、フィールドプログラマブルゲートアレイ(field programmable gate array、FPGA)もしくは別のプログラマブル論理デバイス、トランジスタ論理デバイス、ハードウェア構成要素、またはそれらの任意の組合せであり得る。処理ユニット1202は、本出願において開示される内容を参照して説明した論理ブロック、モジュール、および回路の様々な例を実装または実行し得る。プロセッサは、例えば、1つもしくは複数のマイクロプロセッサもしくは複数のマイクロプロセッサの組合せ、またはDSPとマイクロプロセッサとの組合せを含む、計算機能を実装する組合せでもあり得る。通信ユニット1203は、通信インターフェース、トランシーバ、トランシーバ回路などであり得る。通信インターフェースは、総称であり、1つまたは複数のインターフェース、例えば、トランシーバインターフェースを含み得る。記憶ユニット1201は、メモリであり得る。
【０２９１】
処理ユニット1202がプロセッサであり、通信ユニット1203が通信インターフェースであり、記憶ユニット1201がメモリであるとき、本出願のこの実施形態におけるユーザ機器は、図12bに示すユーザ機器であり得る。
【０２９２】
図12bを参照すると、ユーザ機器1210は、プロセッサ1212と、通信インターフェース1213と、メモリ1212とを含む。オプションで、ユーザ機器1210は、バス1214をさらに含み得る。通信インターフェース1213、プロセッサ1212、およびメモリ1212は、バス1214を使用することによって接続され得る。バス1214は、周辺構成要素相互接続(peripheral component interconnect、PCI)バス、拡張業界標準アーキテクチャ(extended industry standard architecture、EISA)バスなどであり得る。バス1214は、アドレスバス、データバス、制御バスなどに分類され得る。表現の便宜上、図12bにおける表現のために1本の太線のみが使用されているが、それは、1つのバスまたは1種類のバスのみが存在することを示していない。オプションで、メモリ1212は、前述の実施形態において言及した様々なmシーケンス、同期信号シーケンス、同期信号、生成多項式、または漸化式、同期信号または同期信号シーケンスを生成するために使用されるパラメータなどを記憶し得る。
【０２９３】
図13は、本出願の実施形態によるネットワークデバイスの概略構造ブロック図である。図13は、本出願の実施形態によるネットワークデバイスの概略構造図である。異なる構成またはパフォーマンスのため、ネットワークデバイス1300には大きな違いが存在する場合がある。ネットワークデバイス1300は、1つまたは複数の中央処理装置(Central processing units、CPU)1301(例えば、1つまたは複数のプロセッサ)と、1つまたは複数のメモリ1309と、アプリケーションプログラム13013またはデータ1306を記憶するための1つまたは複数の記憶媒体1308(例えば、1つまたは複数の大容量記憶デバイス)とを含み得る。メモリ1309および記憶媒体1308は、一時的記憶装置または永続的記憶装置であり得る。記憶媒体1308内に記憶されたプログラムは、1つまたは複数のモジュール(図示せず)を含み得、各モジュールは、サーバ内の一連の命令動作を含み得る。さらに、プロセッサ1301は、記憶媒体1308と通信し、ネットワークデバイス1300において記憶媒体1308内の一連の命令動作を実行し得る。オプションで、メモリ1309または記憶媒体1308は、前述の実施形態において言及した様々なmシーケンス、同期信号シーケンス、同期信号、生成多項式、または漸化式、同期信号または同期信号シーケンスを生成するために使用されるパラメータなどを記憶し得る。
【０２９４】
ネットワークデバイス1300は、1つもしくは複数の電源1302、1つもしくは複数の有線もしくはワイヤレスネットワークインターフェース1303と、1つもしくは複数の入力/出力インターフェース1304、ならびに/または、Windows Server(商標)、Mac OS X(商標)、Unix(商標)、Linux(登録商標)、およびFreeBSD(商標)などの1つもしくは複数のオペレーティングシステム1305をさらに含み得る。
【０２９５】
前述の実施形態のすべてまたはいくつかは、ソフトウェア、ハードウェア、ファームウェア、またはそれらの任意の組合せを通して実装され得る。実施形態を実装するためにソフトウェアが使用されるとき、実施形態は、コンピュータプログラム製品の形態において完全にまたは部分的に実装され得る。
【０２９６】
コンピュータプログラム製品は、1つまたは複数のコンピュータ命令を含む。コンピュータプログラム命令がコンピュータ上にロードされ実行されると、本出願の実施形態による手順または機能は、すべてまたは部分的に生成される。コンピュータは、汎用コンピュータ、専用コンピュータ、コンピュータネットワーク、または別のプログラム可能な装置であり得る。コンピュータ命令は、コンピュータ可読記憶媒体内に記憶され得、または、コンピュータ可読記憶媒体から別のコンピュータ可読記憶媒体に送信され得る。例えば、コンピュータ命令は、ウェブサイト、コンピュータ、サーバ、またはデータセンタから、別のウェブサイト、コンピュータ、サーバ、またはデータセンタに、有線(例えば、同軸ケーブル、光ファイバ、またはデジタル加入者線(DSL))またはワイヤレス(例えば、赤外線、無線、またはマイクロ波)方式で送信され得る。コンピュータ可読記憶媒体は、コンピュータ、または、1つもしくは複数の使用可能な媒体を統合するサーバもしくはデータセンタなどのデータ記憶デバイスによってアクセス可能な任意の使用可能な媒体であり得る。使用可能な媒体は、磁気媒体(例えば、フロッピーディスク、ハードディスク、または磁気テープ)、光学媒体(例えば、DVD)、半導体媒体(例えば、ソリッドステートディスク(SSD))などであり得る。
【０２９７】
便利で簡潔な説明の目的のために、前述のシステム、装置、およびユニットの詳細な作業プロセスについて、前述の方法の実施形態における対応するプロセスを参照することは、当業者によって明確に理解され得る。前述の実施形態は、互いに参照または補足され得る。理解は影響を受けず、詳細についてここでは再び説明しない。
【０２９８】
本出願において提供されるいくつかの実施形態において、開示されたシステム、装置、および方法は、他の方法で実装され得ることが理解されるべきである。例えば、説明した装置の実施形態は、単なる例である。例えば、ユニット分割は、単なる論理的機能分割であり、実際の実装形態では他の分割であり得る。例えば、複数のユニットまたは構成要素が別のシステムに結合もしくは統合され得、またはいくつかの特徴が無視されるか、もしくは実行されない場合がある。加えて、表示したまたは論じた相互結合または直接結合または通信接続は、いくつかのインターフェースを使用することによって実装され得る。装置またはユニット間の直接結合または通信接続は、電子的、機械的、または他の形式において実装され得る。
【０２９９】
別個の部分として説明したユニットは、物理的に分離されてもされなくてもよく、ユニットとして表示した部分は、物理的ユニットであってもなくてもよく、1つの位置に配置されてもよく、または複数のネットワークユニット上に分散されてもよい。ユニットのうちのいくつかまたはすべては、実施形態の解決策の目的を達成するために、実際の要件に従って選択され得る。
【０３００】
加えて、本出願の実施形態における機能ユニットは、1つの処理ユニットに統合され得、または、ユニットの各々は、物理的に単独で存在し得、または、2つ以上のユニットが1つのユニットに統合される。統合されたユニットは、ハードウェアの形態において実装され得、または、ソフトウェア機能ユニットの形態において実装され得る。
【０３０１】
統合されたユニットがソフトウェア機能ユニットの形態において実装され、独立した製品として販売または使用されるとき、統合されたユニットは、コンピュータ可読記憶媒体内に記憶され得る。そのような理解に基づいて、本質的に本出願の技術的解決策、または従来技術に寄与する部分、または、技術的解決策のすべてもしくは一部は、ソフトウェア製品の形態において実装され得る。ソフトウェア製品は、記憶媒体内に記憶され、本出願の実施形態において説明した方法のステップのすべてまたは一部を実行するようにコンピュータデバイス(パーソナルコンピュータ、サーバ、またはネットワークデバイスであり得る)に命令するためのいくつかの命令を含む。前述の記憶媒体は、USBフラッシュドライブ、リムーバブルハードディスク、読み取り専用メモリ(read-only memory、ROM)、ランダムアクセスメモリ(random access memory、RAM)、磁気ディスク、または光ディスクなどの、プログラムコードを記憶し得る任意の媒体を含む。
【０３０２】
前述の実施形態は、単に本出願の技術的解決策説明することを意図しており、本出願を限定することを意図していない。本出願について、前述の実施形態を参照して詳細に説明したが、当業者は、本出願の実施形態の技術的解決策の要旨および範囲から逸脱することなく、前述の実施形態において説明した技術的解決策に依然として修正を行い得るか、または、そのうちのいくつかの技術的特徴に同等の置換を行い得ることを理解すべきである。
【符号の説明】
【０３０３】
601  生成ユニット
602  マッピングユニット
603  送信ユニット
701  受信ユニット
702  生成ユニット
703  処理ユニット
801  生成ユニット
802  マッピングユニット
803  送信ユニット
901  受信ユニット
902  生成ユニット
903  処理ユニット
1001  生成ユニット
1002  マッピングユニット
1003  送信ユニット
1101  受信ユニット
1102  生成ユニット
1103  処理ユニット
1200  ユーザ機器
1201  記憶ユニット
1202  処理ユニット
1203  通信ユニット
1210  ユーザ機器
1212  プロセッサ、メモリ
1213  通信インターフェース
1214  バス
1300  ネットワークデバイス
1301  中央処理装置(Central processing units、CPU)、プロセッサ
1302  電源
1303  有線もしくはワイヤレスネットワークインターフェース
1304  入力/出力インターフェース
1305  オペレーティングシステム
1306  データ
1308  記憶媒体
1309  メモリ
7031  第1の処理サブユニット
7032  第2の処理サブユニット
13013  アプリケーションプログラム
【図１ａ】
2020519201.tif 000085
【図１ｂ】
2020519201.tif 000086
【図２】
2020519201.tif 000087
【図３】
2020519201.tif 000088
【図４】
2020519201.tif 000089
【図５】
2020519201.tif 000090
【図６】
2020519201.tif 000091
【図７】
2020519201.tif 000092
【図８】
2020519201.tif 000093
【図９】
2020519201.tif 000094
【図１０】
2020519201.tif 000095
【図１１】
2020519201.tif 000096
【図１２ａ】
2020519201.tif 000097
【図１２ｂ】
2020519201.tif 000098
【図１３】
2020519201.tif 000099
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
ネットワークデバイスから一次同期信号と二次同期信号とを受信するステップであって、
前記一次同期信号が第1の同期シーケンスs(n)に基づいており、
前記二次同期信号が、
y(n)=[1-2・f1((n+k1)mod127)]・[1-2・f2((n+k)mod127)]
を満たす第2の同期シーケンスy(n)に基づいており、
nが整数であり、n=0,1,...126であり、kが整数でk<127であり、k1が整数でk1<253である、ステップと、
前記一次同期信号と前記第2の同期信号とに基づいてセル識別情報を取得するステップと
を備える、ワイヤレス通信のための方法。
【請求項２】
前記第1の同期シーケンスs(n)が第1のシーケンスc(n)に基づいており、前記シーケンスc(n)の漸化式がc(n+7)=(c(n+4)+c(n))mod2を満たす、請求項1に記載の方法。
【請求項３】
シーケンスf1(n)またはf2(n)のうちの1つが、前記シーケンスc(n)と同じ漸化式を有する、請求項2に記載の方法。
【請求項４】
前記シーケンスc(n)が、
{c(6),c(5),c(4),c(3),c(2),c(1),c(0)}={1,1,1,0,1,1,0}
を満たす、請求項2または3に記載の方法。
【請求項５】
前記シーケンスc(n)が、
{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}
である、請求項2から4のいずれか一項に記載の方法。
【請求項６】
前記第1の同期シーケンスs(n)が、
s(n)=1-2・c((n)mod 127)、
s(n)=1-2・c((n+43)mod 127)、または
s(n)=1-2・c((n+86)mod 127)
のうちの1つを満たす、請求項1から5のいずれか一項に記載の方法。
【請求項７】
前記第1の同期シーケンスs(n)が、
{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}
である、請求項1から6のいずれか一項に記載の方法。
【請求項８】
前記シーケンスf1(n)およびf2(n)のうちの1つの生成多項式がg(x)=x7+x4+1である、請求項1から7のいずれか一項に記載の方法。
【請求項９】
前記第1のシーケンスc(n)に基づいて少なくとも1つのローカル同期信号シーケンスを取得するステップと、
前記少なくとも1つの第1のローカル同期信号シーケンスに基づいて前記一次同期信号を検出するステップと
をさらに備える、請求項2から8のいずれか一項に記載の方法。
【請求項１０】
第2のシーケンスf1(n)と第3のシーケンスf2(n)とに基づいて少なくとも1つの第2のローカル同期信号を取得するステップであって、前記第2のシーケンスf1(n)および前記第3のシーケンスf2(n)のうちの少なくとも1つが、前記第1のシーケンスc(n)と同じ漸化式を有する、ステップと、
前記少なくとも1つの第2のローカル同期信号シーケンスに基づいて前記第2の同期信号を検出するステップと
をさらに備える、請求項1から9のいずれか一項に記載の方法。
【請求項１１】
第1の同期シーケンスs(n)を取得するステップと、
y(n)=[1-2・f1((n+k1)mod127)]・[1-2・f2((n+k)mod127)]
を満たす第2の同期信号シーケンスy(n)を取得するステップであって、
nが整数であり、n=0,1,...126であり、kが整数でk<127であり、k1が整数でk1<253である、ステップと、
前記第1の同期信号シーケンスに基づいて一次同期信号を生成するステップと、
前記第2の同期信号シーケンスに基づいて二次同期信号を生成するステップと
を備える、ワイヤレス通信のための方法。
【請求項１２】
前記第1の同期シーケンスs(n)が第1のシーケンスc(n)に基づいており、前記シーケンスc(n)の漸化式がc(n+7)=(c(n+4)+c(n))mod2を満たす、請求項11に記載の方法。
【請求項１３】
シーケンスf1(n)またはf2(n)のうちの1つが、前記シーケンスc(n)と同じ漸化式を有する、請求項12に記載の方法。
【請求項１４】
前記シーケンスc(n)が、
{c(6),c(5),c(4),c(3),c(2),c(1),c(0)}={1,1,1,0,1,1,0}
を満たす、請求項12または13に記載の方法。
【請求項１５】
前記シーケンスc(n)が、
{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}
である、請求項12から14のいずれか一項に記載の方法。
【請求項１６】
前記第1の同期シーケンスs(n)が、
s(n)=1-2・c((n)mod 127)、
s(n)=1-2・c((n+43)mod 127)、または
s(n)=1-2・c((n+86)mod 127)
のうちの1つを満たす、請求項11から15のいずれか一項に記載の方法。
【請求項１７】
前記第1の同期シーケンスs(n)が、
{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}
である、請求項11から16のいずれか一項に記載の方法。
【請求項１８】
前記シーケンスf1(n)およびf2(n)のうちの1つの生成多項式がg(x)=x7+x4+1である、請求項11から17のいずれか一項に記載の方法。
【請求項１９】
前記一次同期信号を送信するステップと、
前記二次同期信号を送信するステップと
をさらに備える、請求項11から18のいずれか一項に記載の方法。
【請求項２０】
ネットワークデバイスから一次同期信号と二次同期信号とを受信するように構成された受信ユニットであって、
前記一次同期信号が第1の同期シーケンスs(n)に基づいており、
前記二次同期信号が、
y(n)=[1-2・f1((n+k1)mod127)]・[1-2・f2((n+k)mod127)]
を満たす第2の同期シーケンスy(n)に基づいており、
nが整数であり、n=0,1,...126であり、kが整数でk<127であり、k1が整数でk1<253である、受信ユニットと、
前記一次同期信号と前記第2の同期信号とに基づいてセル識別情報を取得するように構成された処理ユニットと
を備える、通信デバイス。
【請求項２１】
前記第1の同期シーケンスs(n)が第1のシーケンスc(n)に基づいており、前記シーケンスc(n)の漸化式がc(n+7)=(c(n+4)+c(n))mod2を満たす、請求項20に記載のデバイス。
【請求項２２】
シーケンスf1(n)またはf2(n)のうちの1つが、前記シーケンスc(n)と同じ漸化式を有する、請求項21に記載のデバイス。
【請求項２３】
前記シーケンスc(n)が、
{c(6),c(5),c(4),c(3),c(2),c(1),c(0)}={1,1,1,0,1,1,0}
を満たす、請求項21または22に記載のデバイス。
【請求項２４】
前記シーケンスc(n)が、
{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}
である、請求項21から23のいずれか一項に記載のデバイス。
【請求項２５】
前記第1の同期シーケンスs(n)が、
s(n)=1-2・c((n)mod 127)、
s(n)=1-2・c((n+43)mod 127)、または
s(n)=1-2・c((n+86)mod 127)
のうちの1つを満たす、請求項20から24のいずれか一項に記載のデバイス。
【請求項２６】
前記第1の同期シーケンスs(n)が、
{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}
である、請求項20から25のいずれか一項に記載のデバイス。
【請求項２７】
前記シーケンスf1(n)およびf2(n)のうちの1つの生成多項式がg(x)=x7+x4+1である、請求項20から26のいずれか一項に記載のデバイス。
【請求項２８】
前記処理ユニットが、前記第1のシーケンスc(n)に基づいて少なくとも1つのローカル同期信号シーケンスを取得するようにさらに構成され、
前記受信ユニットが、前記少なくとも1つの第1のローカル同期信号シーケンスに基づいて前記一次同期信号を検出するようにさらに構成された、
請求項21から27のいずれか一項に記載のデバイス。
【請求項２９】
前記処理ユニットが、第2のシーケンスf1(n)と第3のシーケンスf2(n)とに基づいて少なくとも1つの第2のローカル同期信号を取得するようにさらに構成され、前記第2のシーケンスf1(n)および前記第3のシーケンスf2(n)のうちの少なくとも1つが、前記第1のシーケンスc(n)と同じ漸化式を有し、
前記受信ユニットが、前記少なくとも1つの第2のローカル同期信号シーケンスに基づいて前記第2の同期信号を検出するようにさらに構成された、
請求項20から28のいずれか一項に記載のデバイス。
【請求項３０】
第1の同期シーケンスs(n)を取得するように構成された処理ユニットであって、
前記処理ユニットが、
y(n)=[1-2・f1((n+k1)mod127)]・[1-2・f2((n+k)mod127)]
を満たす第2の同期信号シーケンスy(n)を取得するようにさらに構成され、
nが整数であり、n=0,1,...126であり、kが整数でk<127であり、k1が整数でk1<253である、処理ユニットと、
前記第1の同期信号シーケンスに基づいて一次同期信号を生成するようにさらに構成された生成ユニットであって、
前記処理ユニットが、前記第2の同期信号シーケンスに基づいて二次同期信号を生成するようにさらに構成された、生成ユニットと
を備える、ワイヤレス通信のためのデバイス。
【請求項３１】
前記第1の同期シーケンスs(n)が第1のシーケンスc(n)に基づいており、前記シーケンスc(n)の漸化式がc(n+7)=(c(n+4)+c(n))mod2を満たす、請求項30に記載のデバイス。
【請求項３２】
シーケンスf1(n)またはf2(n)のうちの1つが、前記シーケンスc(n)と同じ漸化式を有する、請求項31に記載のデバイス。
【請求項３３】
前記シーケンスc(n)が、
{c(6),c(5),c(4),c(3),c(2),c(1),c(0)}={1,1,1,0,1,1,0}
を満たす、請求項31または32に記載のデバイス。
【請求項３４】
前記シーケンスc(n)が、
{1 1 1 1 1 1 0 0 0 0 1 1 1 0 1 1 1 1 0 0 1 0 1 1 0 0 1 0 0 1 0 0 0 1 0 0 1 1 0 0 0 1 0 1 1 1 0 1 0 1 1 0 1 1 0 0 0 0 0 1 1 0 0 1 1 0 1 0 1 0 0 1 1 1 0 0 1 1 1 0 0 1 1 1 1 0 1 1 0 1 0 0 0 0 1 0 1 0 1 0 1 1 1 1 1 0 1 0 0 1 0 1 0 0 1 1 1 0 0 1 1 1 1 0 1 1 0}
である、請求項31から33のいずれか一項に記載のデバイス。
【請求項３５】
前記第1の同期シーケンスs(n)が、
s(n)=1-2・c((n)mod 127)、
s(n)=1-2・c((n+43)mod 127)、または
s(n)=1-2・c((n+86)mod 127)
のうちの1つを満たす、請求項30から34のいずれか一項に記載のデバイス。
【請求項３６】
前記第1の同期シーケンスs(n)が、
{-1 -1 -1 -1 -1 -1 1 1 1 1 -1 -1 -1 1 -1 -1 -1 -1 1 1 -1 1 -1 -1 1 1 -1 1 1 -1 1 1 1 -1 1 1 -1 -1 1 1 1 -1 1 -1 -1 -1 1 -1 1 -1 -1 1 -1 -1 1 1 1 1 1 -1 -1 1 1 -1 -1 1 -1 1 -1 1 1 -1 -1 -1 1 1 -1 -1 -1 1 1 -1 -1 -1 -1 1 -1 -1 1 -1 1 1 1 1 -1 1 -1 1 -1 1 -1 -1 -1 -1 -1 1 -1 1 1 -1 1 -1 1 1 -1 -1 -1 1 1 -1 -1 -1 -1 1 -1 -1 1}
である、請求項30から35のいずれか一項に記載のデバイス。
【請求項３７】
前記シーケンスf1(n)およびf2(n)のうちの1つの生成多項式がg(x)=x7+x4+1である、請求項30から36のいずれか一項に記載のデバイス。
【請求項３８】
前記一次同期信号を送信するように構成された送信ユニットをさらに備え、
前記送信ユニットが、前記二次同期信号を送信するようにさらに構成された、
請求項30から37のいずれか一項に記載のデバイス。
【請求項３９】
コンピュータによって実行されると、請求項11から19のいずれか一項に記載の方法が実行される、1つまたは複数の命令を備えるコンピュータ可読媒体。
【請求項４０】
コンピュータによって実行されると、請求項1から19のいずれか一項に記載の方法が実行される、プログラム。
【請求項４１】
装置であって、前記装置が、請求項1から19のいずれか一項に記載の方法を実行するように構成された、装置。
【請求項４２】
ユーザ機器と基地局とを備える通信システムであって、前記ユーザ機器が、請求項1から10のいずれか一項に記載の方法を実行するように構成され、前記基地局が、請求項11から19のいずれか一項に記載の方法を実行するように構成された、通信システム。
【手続補正２】
【補正対象書類名】明細書
【補正対象項目名】０００１
【補正方法】削除
【補正の内容】
【手続補正３】
【補正対象書類名】明細書
【補正対象項目名】００１８
【補正方法】変更
【補正の内容】
【００１８】
本出願のこの実施形態における第1の態様の第3の実装形態では、第2の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2の同期信号シーケンスであり、f1(n)が第2のmシーケンスであり、f2(n)が第3のmシーケンスである。第2の同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2の同期信号シーケンスym,k(n)はまた、ym,k(n)=[1-2・f1((n+k1)modN)]・[1-2・f2((n+k)modN)]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第2の同期信号によって満たされ得る別の条件は、本出願のこの実施形態において提供され、それによって、本出願のこの実施形態の実装形態を向上させる。
【手続補正４】
【補正対象書類名】明細書
【補正対象項目名】００３１
【補正方法】変更
【補正の内容】
【００３１】
本出願のこの実施形態における第2の態様の第4の実装形態では、第2のローカル同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2のローカル同期信号シーケンスであり、f1(n)が第2のmシーケンスであり、f2(n)が第3のmシーケンスである。ym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、ym,k(n)はまた、ym,k(n)=[1-2・f1((n+k1)modN)]・[1-2・f2((n+k)modN)]として表され得、n=0,1,...,N-1、kがN-1以下の整数、およびk1が2(N-1)以下の整数である。第2のローカル同期信号によって満たされ得る別の条件は、本出願のこの実施形態において提供され、それによって、本出願のこの実施形態の実装形態を向上させる。
【手続補正５】
【補正対象書類名】明細書
【補正対象項目名】００３８
【補正方法】変更
【補正の内容】
【００３８】
本出願のこの実施形態における第3の態様の第2の実装形態では、第1の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1の同期信号シーケンスであり、f1(n)が第1のmシーケンスであり、f2(n)が第2のmシーケンスである。第1の同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1((n+k1)modN)]・[1-2・f2((n+k)modN)]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第1の同期信号によって満たされ得る別の条件は、本出願のこの実施形態において提供され、それによって、本出願のこの実施形態の実装形態を向上させる。
【手続補正６】
【補正対象書類名】明細書
【補正対象項目名】００４５
【補正方法】変更
【補正の内容】
【００４５】
本出願のこの実施形態における第4の態様の第2の実装形態では、第1のローカル同期信号は、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1のローカル同期信号シーケンスであり、f1(n)が第1のmシーケンスであり、f2(n)が第2のmシーケンスである。第1の同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1((n+k1)modN)]・[1-2・f2((n+k)modN)]として表され得、n=0,1,...,N-1、k=0,1,...,N-1、およびk1=0,1,...,2(N-1)である。すなわち、nがN-1以下の整数であり、kがN-1以下の整数であり、k1が2(N-1)以下の整数である。第1のローカル同期信号によって満たされ得る別の条件は、本出願のこの実施形態において提供され、それによって、本出願のこの実施形態の実装形態を向上させる。
【手続補正７】
【補正対象書類名】明細書
【補正対象項目名】００６１
【補正方法】変更
【補正の内容】
【００６１】
本出願のこの実施形態における第7の態様の第3の実装形態では、第2の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2の同期信号シーケンスであり、f1(n)が第2のmシーケンスであり、f2(n)が第3のmシーケンスである。第2の同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2の同期信号シーケンスym,k(n)はまた、ym,k(n)=[1-2・f1((n+k1)modN)]・[1-2・f2((n+k)modN)]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第2の同期信号によって満たされ得る別の条件は、本出願のこの実施形態において提供され、それによって、本出願のこの実施形態の実装形態を向上させる。
【手続補正８】
【補正対象書類名】明細書
【補正対象項目名】００７４
【補正方法】変更
【補正の内容】
【００７４】
本出願のこの実施形態における第8の態様の第4の実装形態では、第2のローカル同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2のローカル同期信号シーケンスであり、f1(n)が第2のmシーケンスであり、f2(n)が第3のmシーケンスである。第2のローカル同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2のローカル同期信号シーケンスym,k(n)はまた、ym,k(n)=[1-2・f1((n+k1)modN)]・[1-2・f2((n+k)modN)]として表され得、n=0,1,...,N-1、k=0,1,...,N-1、およびk1=0,1,...,2(N-1)である。すなわち、nがN-1以下の整数、kがN-1以下の整数、およびk1が2(N-1)以下の整数である。第2のローカル同期信号によって満たされ得る別の条件は、本出願のこの実施形態において提供され、それによって、本出願のこの実施形態の実装形態を向上させる。
【手続補正９】
【補正対象書類名】明細書
【補正対象項目名】００８１
【補正方法】変更
【補正の内容】
【００８１】
本出願のこの実施形態における第9の態様の第2の実装形態では、第1の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1の同期信号シーケンスであり、f1(n)が第1のmシーケンスであり、f2(n)が第2のmシーケンスである。第1の同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1((n+k1)modN)]・[1-2・f2((n+k)modN)]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。第1の同期信号によって満たされ得る別の条件は、本出願のこの実施形態において提供され、それによって、本出願のこの実施形態の実装形態を向上させる。
【手続補正１０】
【補正対象書類名】明細書
【補正対象項目名】００８８
【補正方法】変更
【補正の内容】
【００８８】
本出願のこの実施形態における第10の態様の第2の実装形態では、第1のローカル同期信号は、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第1のローカル同期信号シーケンスであり、f1(n)が第1のmシーケンスであり、f2(n)が第2のmシーケンスである。第1の同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第1の同期信号シーケンスym,k(n)はまた、ym,k(n)=[1-2・f1((n+k1)modN)]・[1-2・f2((n+k)modN)]として表され得、n=0,1,...,N-1、k=0,1,...,N-1、およびk1=0,1,...,2(N-1)である。すなわち、nがN-1以下の整数であり、kがN-1以下の整数であり、k1が2(N-1)以下の整数である。第1のローカル同期信号によって満たされ得る別の条件は、本出願のこの実施形態において提供され、それによって、本出願のこの実施形態の実装形態を向上させる。
【手続補正１１】
【補正対象書類名】明細書
【補正対象項目名】０１０４
【補正方法】変更
【補正の内容】
【０１０４】
オプションで、第2の同期信号シーケンスは、ym,k(n)=x1((n+m+k)modN)・x2((n+k)modN)、x1(n)=1-2・f1(n)、x2(n)=1-2・f2(n)、n=0,1,...,N-1、k=0,1,2,...,N-1、m=0,1,2,...,N-1を満たし、ym,k(n)が第2の同期信号シーケンスであり、f1(n)が第2のmシーケンスであり、f2(n)が第3のmシーケンスである。第2の同期信号シーケンスym,k(n)がym,k(n)=[1-2・f1((n+m+k)modN)]・[1-2・f2((n+k)modN)]としても表され得ることを知るために、x1(n)=1-2・f1(n)およびx2(n)=1-2・f2(n)がym,k(n)=x1((n+m+k)modN)・x2((n+k)modN)に代入されることが理解され得る。簡単にするために、m+kは、k1として表され得、すなわち、k1=m+kである。この場合、第2の同期信号シーケンスym,k(n)はまた、ym,k(n)=[1-2・f1((n+k1)modN)]・[1-2・f2((n+k)modN)]として表され得、n=0,1,...,N-1、k=0,1,2,...,N-1、およびk1=0,1,2,...,2(N-1)である。すなわちnは、N-1以下の整数であり、kは、N-1以下の整数であり、k1は、2(N-1)以下の整数である。
【手続補正１２】
【補正対象書類名】明細書
【補正対象項目名】０１１２
【補正方法】変更
【補正の内容】
【０１１２】
本出願の実施形態は、図1aに示すネットワークアーキテクチャに適用され得る。ネットワークアーキテクチャにおいて、ネットワークデバイス(例えば、基地局)とユーザ機器(例えば、モバイル電話)との間で同期信号が送信される。本出願において同期信号を送信するデバイスは、ネットワークデバイスと呼ばれる。本出願の実施形態について、ネットワークデバイスが同期信号をユーザ機器に送信する例を使用することによって説明する。図1bに示すように、セル1におけるユーザ端末が一次同期信号を検出すると、セル1およびセル2における二次同期信号が、セル1における一次同期信号への干渉を引き起こす。セル2およびセル1は、時間的に同期しない可能性があるので、セル2における二次同期信号およびセル1における一次同期信号は、時間的に互いに重複する可能性がある。この場合、セル2における二次同期信号は、セル1における一次同期信号への干渉を引き起こす。セル1における二次同期信号は、セル1における一次同期信号の検出への干渉を引き起こす可能性もある。これは、ユーザ端末がセル1における一次同期信号を検出すると、ユーザ端末は、ローカル一次同期信号シーケンスを使用することによって、受信信号に対して相関演算を実行するからである。受信信号が二次同期信号である場合、ローカル一次同期信号シーケンスを使用することによって、受信された二次同期信号に対する相関演算が実行される。その結果、一次同期信号の検出は、二次同期信号によって干渉される。
【手続補正１３】
【補正対象書類名】明細書
【補正対象項目名】０１２１
【補正方法】変更
【補正の内容】
【０１２１】
Goldシーケンスは、1対の好ましいmシーケンスに対してモジュロ2加算を実行することによって生成されるシーケンスである。1対の好ましいmシーケンスは、異なるGoldシーケンス間の比較的小さい相互相関をもたらす。f1(n)およびf2(n)は、各々がNの長さを有する2つのmシーケンスであり、gm,k(n)=(f1((n+m+k)modN)+f2((n+k)modN))mod2は、Nの長さを有するGoldシーケンスであり、m=0,1,2,...,N-1、k=0,1,2,...,N-1である。mおよびkにおける変動は、同じグループ内の複数の異なるGoldシーケンスの生成をもたらす。Goldシーケンス内の1対のmシーケンスは、同じグループ内の異なるGoldシーケンス間の比較的小さい相互相関をもたらす。
【手続補正１４】
【補正対象書類名】明細書
【補正対象項目名】０１２２
【補正方法】変更
【補正の内容】
【０１２２】
一次同期信号シーケンスの生成多項式がg(x)=x7+x4+1、すなわち、c(n+7)=(c(n+4)+c(n))mod2であり、c(n)がmシーケンスであることが仮定される。初期状態は、1 1 1 0 1 1 0、すなわち、c(6)=1、c(5)=1、c(4)=1、c(3)=0、c(2)=1、c(1)=1、c(0)=0である。mシーケンスは、{c(6),c(5),c(4),c(3),c(2),c(1),c(0)}={1 1 1 0 1 1 0}とも表され得る。BPSK変調がmシーケンスに対して実行された後、mシーケンスは、Nのサブキャリアにマッピングされる。例えば、N=127である。変調された一次同期信号シーケンスは、s(n)=1-2・c(n)、n=0,1,...,N-1である。本明細書では、mシーケンスc(n)および一次同期信号シーケンスs(n)が、各々、Nの長さを有することがわかり得る。例えば、3つの循環シフト(0、43、86)に基づいて、3つの一次同期信号シーケンスが生成され得る。シーケンス{c(n)|n=0,1,2,...N-1}の循環シフトシーケンスは、{c((n+p)modN)|n=0,1,2,...,N-1}として表され、pが循環シフト値であり、p=0,1,2,...,N-1である。
【手続補正１５】
【補正対象書類名】明細書
【補正対象項目名】０１２５
【補正方法】変更
【補正の内容】
【０１２５】
隣接セルにおける二次同期信号がローカルセルにおける一次同期信号と時間領域において重なるとき、一次同期信号への干渉が引き起こされる。UEがローカルセルの一次同期信号を検出したとき、二次同期信号および一次同期信号は、比較的大きい相関値を有する。これは、一次同期信号の検出への干渉も引き起こす。具体的には、二次同期信号の前述の生成されたGoldシーケンスについて、0の循環シフトを有する一次同期信号のシーケンスと、循環シフト値がGoldシーケンスの127の相対シフト値に対応するkmである(m=0,1,...,126)シーケンスとの間の最大相関値は、以下の通り、すなわち、{33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33,29,25,31,41,29,33,33}である。
【手続補正１６】
【補正対象書類名】明細書
【補正対象項目名】０１２６
【補正方法】変更
【補正の内容】
【０１２６】
kmの値は、以下、すなわち、{20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20,16,30,91,95,25,78,20}のうちの1つとしてである。
【手続補正１７】
【補正対象書類名】明細書
【補正対象項目名】０１４４
【補正方法】変更
【補正の内容】
【０１４４】
実装形態において、第1の同期信号シーケンスym,k(n)は、ym,k(n)=1-2・gm,k(n)を満たす。シーケンスgm,k(n)は、第1のmシーケンスf1(n)と第2のmシーケンスf2(n)とに基づいて取得されたGoldシーケンスであり得、gm,k(n)=(f1((n+m+k)modN)+f2((n+k)modN))mod2、n=0,1,2,...,N-1、k=0,1,2,...,N-1、m=0,1,2,...,N-1であり、mが、シーケンスf1(n)とシーケンスf2(n)との間の相対シフト値である。第2の同期信号シーケンスym,k(n)は、ym,k(n)=1-2・gm,k(n)を満たす。シーケンスgm,k(n)は、gm,k(n)第3のmシーケンスf3(n)と第4のmシーケンスf4(n)とに基づいて取得されたGoldシーケンスであり得、gm,k(n)=(f3((n+m+k)modN)+f4((n+k)modN))mod2である。シーケンスf3(n)とシーケンスf4(n)との間の相対シフト値は、m2であり、n=0,1,2,...,N-1、k=0,1,2,...,N-1、m=0,1,2,...,N-1であり、kが循環シフト値である。
【手続補正１８】
【補正対象書類名】明細書
【補正対象項目名】０１８５
【補正方法】変更
【補正の内容】
【０１８５】
複数、例えば、3つの一次同期信号シーケンスが存在し得る。ネットワークデバイスは、セル識別子に基づいて一次同期信号シーケンスのうちの1つを使用することを決定する。実装形態において、3つの一次同期信号シーケンスが存在し、一次同期信号シーケンスのうちの2つが2つのmシーケンスに基づいて取得され得、他の一次同期信号シーケンスがGoldシーケンスに基づいて取得され得ることが想定される。2つのmシーケンスの生成多項式は、二次同期信号を生成するためのGoldシーケンスに関する2つのmシーケンスの生成多項式と同じである。一次同期信号に関するGoldシーケンスに関する2つのmシーケンスの生成多項式は、二次同期信号を生成するためのGoldシーケンスに関する2つのmシーケンスの多項式と同じである。すなわち、mシーケンスは、Goldシーケンスと同じグループに属する。複数の二次同期信号も存在し得る。異なるGoldシーケンスは、相対シフト値および循環シフト値の変化によって生成され、異なるGoldシーケンスは、セル識別情報を搬送し得る。
【手続補正１９】
【補正対象書類名】明細書
【補正対象項目名】０２２２
【補正方法】変更
【補正の内容】
【０２２２】
図6を参照すると、本出願の実施形態におけるネットワークデバイスの実施形態は、
第1の同期信号シーケンスと第2の同期信号シーケンスとを生成するように構成された生成ユニット601であって、第1の同期信号シーケンスが第1のmシーケンスに基づいて取得されたシーケンスであり、第2の同期信号シーケンスが第1のGoldシーケンスに基づいて取得されたシーケンスである。第1のGoldシーケンスは、第1のmシーケンスと第3のmシーケンスとに基づいて生成され、第1のmの生成多項式が第2のmシーケンスの生成多項式と同じであり、第1のmシーケンス、第2のmシーケンス、および第3のmシーケンスが、各々、Nの長さを有する、生成ユニット601と、
第1の同期信号を取得するために第1の時間単位において第1の同期信号シーケンスをMのサブキャリアにマッピングし、第2の同期信号を取得するために第2の時間単位において第2の同期信号シーケンスをMのサブキャリアにマッピングするように構成されたマッピングユニット602であって、MおよびNが1よりも大きい正の整数である、マッピングユニット602と、
第1の同期信号と第2の同期信号とを送信するように構成された送信ユニット603
とを含む。
【手続補正２０】
【補正対象書類名】明細書
【補正対象項目名】０２３５
【補正方法】変更
【補正の内容】
【０２３５】
ym,k(n)=[1-2・f1((n+m+k)modN)]・[1-2・f2((n+k)modN)] (式4)
を取得するために、式2および式3は、式1に代入され得ることが理解され得る。
【手続補正２１】
【補正対象書類名】明細書
【補正対象項目名】０２３６
【補正方法】変更
【補正の内容】
【０２３６】
簡単にするために、m+kは、K1と見なされ得、すなわち、K1=m+kと見なされ得る。この場合、式4は、
ym,k(n)=[1-2・f1((n+k1)modN)]・[1-2・f2((n+k)modN)] (式5)
としても表され得、
n=0,1,...,N-1、k=0,1,2,...,N-1、およびk1=0,1,2,...,2(N-1)であり、すなわち、nがN-1以下の整数であり、kがN-1以下の整数であり、k1が2(N-1)以下の整数である。
【手続補正２２】
【補正対象書類名】明細書
【補正対象項目名】０２５４
【補正方法】変更
【補正の内容】
【０２５４】
ym,k(n)は、
ym,k(n)=[1-2・f1((n+m+k)modN)]・[1-2・f2((n+k)modN)]としても表され得る。
【手続補正２３】
【補正対象書類名】明細書
【補正対象項目名】０２５５
【補正方法】変更
【補正の内容】
【０２５５】
簡単にするために、m+kは、K1と見なされ得、すなわち、K1=m+kと見なされ得る。この場合、ym,k(n)は、
ym,k(n)=[1-2・f1((n+k1)modN)]・[1-2・f2((n+k)modN)] (式5)
としても表され得、
n=0,1,...,N-1、k=0,1,2,...,N-1、k1=0,1,2,...,2(N-1)であり、すなわち、nがN-1以下の整数であり、kがN-1以下の整数であり、k1が2(N-1)以下の整数である。
【手続補正２４】
【補正対象書類名】明細書
【補正対象項目名】０２７２
【補正方法】変更
【補正の内容】
【０２７２】
別の例では、第2の同期信号シーケンスym,k(n)は、ym,k(n)=x1((n+m+k)modN)・x2((n+k)modN)を満たし、x1(n)=1-2・f1(n)、x2(n)=1-2・f2(n)、n=0,1,...,N-1、k=0,1,2,...,N-1、m=0,1,2,...,N-1であり、f1(n)が第2のmシーケンスであり、f2(n)が第3のmシーケンスである。ym,k(n)は、ym,k(n)=[1-2・f1((n+m+k)modN)]・[1-2・f2((n+k)modN)]としても表され得る。簡単にするために、m+kは、K1と見なされ得、すなわち、K1=m+kと見なされ得る。この場合、ym,k(n)は、
ym,k(n)=[1-2・f1((n+k1)modN)]・[1-2・f2((n+k)modN)]
としても表され得、n=0,1,...,N-1、k=0,1,2,...,N-1、k1=0,1,2,...,2(N-1)であり、すなわち、nがN-1以下の整数であり、kがN-1以下の整数であり、k1が2(N-1)以下の整数である。
【手続補正２５】
【補正対象書類名】明細書
【補正対象項目名】０２８７
【補正方法】変更
【補正の内容】
【０２８７】
本発明のすべての実施形態において、第1の同期信号は、一次同期信号であり、第2の同期信号は、二次同期信号である。第1のローカル同期信号は、ローカル一次同期信号であり、第2のローカル同期信号は、ローカル二次同期信号である。ユーザ機器は、同期を実施して、セル識別情報を取得するために、一次同期信号と二次同期信号とを受信し得る。例えば、ユーザ機器は、最初に、中心周波数と、基本時間および周波数同期情報、またはセル識別情報の一部とを決定するために、一次同期信号を検出し、次いで、二次同期信号を使用することによってセル識別情報を取得する。一次同期信号は、基本時間および周波数同期、チャネル中心、またはセル識別情報の一部を決定するために使用され得る。二次同期信号は、セル識別情報を決定するために使用され得る。
【手続補正２６】
【補正対象書類名】明細書
【補正対象項目名】０２９２
【補正方法】変更
【補正の内容】
【０２９２】
図12bを参照すると、ユーザ機器1210は、プロセッサ1212と、通信インターフェース1213と、メモリ1211とを含む。オプションで、ユーザ機器1210は、バス1214をさらに含み得る。通信インターフェース1213、プロセッサ1212、およびメモリ1211は、バス1214を使用することによって接続され得る。バス1214は、周辺構成要素相互接続(peripheral component interconnect、PCI)バス、拡張業界標準アーキテクチャ(extended industry standard architecture、EISA)バスなどであり得る。バス1214は、アドレスバス、データバス、制御バスなどに分類され得る。表現の便宜上、図12bにおける表現のために1本の太線のみが使用されているが、それは、1つのバスまたは1種類のバスのみが存在することを示していない。オプションで、メモリ1211は、前述の実施形態において言及した様々なmシーケンス、同期信号シーケンス、同期信号、生成多項式、または漸化式、同期信号または同期信号シーケンスを生成するために使用されるパラメータなどを記憶し得る。
【手続補正２７】
【補正対象書類名】明細書
【補正対象項目名】０２９３
【補正方法】変更
【補正の内容】
【０２９３】
図13は、本出願の実施形態によるネットワークデバイスの概略構造ブロック図である。図13は、本出願の実施形態によるネットワークデバイスの概略構造図である。異なる構成またはパフォーマンスのため、ネットワークデバイス1300には大きな違いが存在する場合がある。ネットワークデバイス1300は、1つまたは複数の中央処理装置(Central processing units、CPU)1301(例えば、1つまたは複数のプロセッサ)と、1つまたは複数のメモリ1309と、アプリケーションプログラム1307またはデータ1306を記憶するための1つまたは複数の記憶媒体1308(例えば、1つまたは複数の大容量記憶デバイス)とを含み得る。メモリ1309および記憶媒体1308は、一時的記憶装置または永続的記憶装置であり得る。記憶媒体1308内に記憶されたプログラムは、1つまたは複数のモジュール(図示せず)を含み得、各モジュールは、サーバ内の一連の命令動作を含み得る。さらに、プロセッサ1301は、記憶媒体1308と通信し、ネットワークデバイス1300において記憶媒体1308内の一連の命令動作を実行するように構成され得る。オプションで、メモリ1309または記憶媒体1308は、前述の実施形態において言及した様々なmシーケンス、同期信号シーケンス、同期信号、生成多項式、または漸化式、同期信号または同期信号シーケンスを生成するために使用されるパラメータなどを記憶し得る。
【国際調査報告】
2020519201.tif 000100
2020519201.tif 000101
2020519201.tif 000102
2020519201.tif 000103